(57)【要約】      （修正有）【課題】無線通信システムにおいてアップリンクデータレートの情報を選択し通信する方法を提供する。【解決手段】基地局はアップリンクセグメントを選択し特定の無線端末へ割り当て、無線端末が使用することを許可された最大アップリンクデータレートを示す潜在的なシステム干渉レベルを推定し、最大アップリンクレートインディケータ値を選択し割り当て、無線端末へ送信する。無線端末は最大データレートインディケータを受信し、最大データレートインディケータレベル以下である使用すべきアップリンクデータレートを選択し、選択された使用レートを示す情報を、送信されるべきユーザデータ／情報と共に符号化する。基地局はユーザデータ／情報及びデータレートを含むアップリンク情報を受信し、使用データレートを取り出し、アップリンクユーザデータ／情報を復調し復号化するためにこのデータレートを利用する。【選択図】図９
2011259461.tif 000002
【特許請求の範囲】
【請求項１】
無線通信チャネルを介して基地局と相互作用する少なくとも１台の無線端末を含む無線通信システムにおいて前記基地局を作動させる方法、該方法は下記を備える：
少なくとも幾つかの情報を前記基地局へ送信するときに、前記無線端末によって使用される最大のアップリンクデータ伝送レートを選択すること、ここにおいて、前記最大のアップリンクデータ伝送レートは複数の可能な伝送データレートのうちの１つである；
最大のアップリンクデータレートのインディケータを前記無線端末へ送信すること、ここにおいて、該最大のアップリンクデータレートのインディケータは、前記選択された最大のアップリンクデータ伝送レートを指示し、ここにおいて、前記選択された最大のアップリンクデータ伝送レートは、前記少なくとも幾つかの情報を送信するときに、前記無線端末が使用することを許可された、最大のアップリンクデータ伝送レートである；および、
前記無線通信チャネルを介して通信され、前記送信された最大のアップリンクデータレートのインディケータによって前記無線端末へ指示された前記選択された最大のアップリンクデータ伝送レートより大きくない、前記無線端末によって選択されたアップリンクデータ伝送レートで送信されたデータを、前記無線端末から、受信すること。
【請求項２】
更に下記を備える請求項１記載の方法：
データを前記基地局へ通信する際に使用されるアップリンクのトラヒックのセグメントの少なくとも幾つかを、前記無線端末に割り当てること、ここにおいて、前記アップリンクのトラフィックチャネルのセグメントは、アップリンク信号を前記基地局へ通信するために専ら使用される無線通信チャネルのセグメントである；および、
アップリンクのトラヒックのセグメント割り当ての情報を、前記無線通信チャネルを介して、前記無線端末へ送信すること。
【請求項３】
ある期間に亘って下記の前記ステップを繰り返すことを更に備える請求項２記載の方法：
前記選択すること；
前記最大のアップリンクデータレートのインディケータを送信すること；
前記少なくとも幾つかのアップリンクのトラヒックのセグメントを割り当てること；
前記アップリンクのトラヒックのセグメントの割り当て情報を送信すること。
【請求項４】
請求項３記載の方法、ここにおいて、
前記少なくとも幾つかのアップリンクのトラヒックのセグメントを割り当てるステップが前記期間に実行される度に、前記最大のアップリンクデータ伝送レートを選択するステップが１回ずつ実行される。
【請求項５】
請求項１記載の方法、ここにおいて、
前記最大のアップリンクデータ伝送レートを選択するステップは、
前記無線通信チャネルの品質に基づいて選択を行うことを含む。
【請求項６】
更に下記を備える請求項５記載の方法：
前記最大のアップリンクデータ伝送レートとして選択するために考慮されている少なくとも１つのデータ伝送レートを使用して、アップリンク信号を、前記無線端末が送信するならば、他の無線端末に引き起こされるであろう干渉を推定すること、ここにおいて、
前記最大のアップリンクデータ伝送レートを選択するステップは、前記選択された最大のアップリンクデータレートが使用されるときに、前記無線端末からのアップリンク伝送によって引き起こされるであろう前記他の無線端末への干渉の量にさらに基づいている、請求項５に記載の方法。
【請求項７】
請求項６記載の方法、ここにおいて、
前記基地局は、
前記アップリンク信号を送信するために使用される少なくとも１個のアップリンクの通信セグメントを割り当て、
前記セグメントの割り当て情報を前記無線端末へ通信し、
ある時点に前記無線端末へ割り当てられるセグメントの個数が前記無線端末によって送信されるデータの量の推定値に基づくように、
作動される。
【請求項８】
請求項１記載の方法、ここにおいて、
前記選択された最大のアップリンクデータ伝送レートは、指示されうる複数の可能な最大のアップリンクデータ伝送レートのうちの１つであり、指示されうる個数は、アップリンク信号の送信のために前記無線端末によって選択され使用されうるアップリンクデータレートの個数より少ない。
【請求項９】
請求項１記載の方法、ここにおいて、
前記最大のアップリンクデータレートのインディケータは、前記無線端末によって使用されうるアップリンクデータ伝送レートの完全な集合を一意に特定するために必要とされるビット数未満である最大のビット数を最大で含む。
【請求項１０】
更に下記を備える請求項１記載の方法：
前記無線端末から電力情報を受信すること、ここにおいて、
前記最大のアップリンクデータ伝送レートを選択するステップは、前記受信された電力情報によって指示されるような、前記無線端末で利用可能な電力の関数として実行される、請求項１に記載の方法。
【請求項１１】
更に下記を備える請求項２記載の方法：
データを前記基地局へ通信するために前記無線端末によって使用されるアップリンクデータ伝送レートを指示するアップリンクデータレートの情報を前記無線端末から受信すること。
【請求項１２】
請求項１１記載の方法、ここにおいて、
利用されたアップリンクデータレートの情報は、が前記利用されたアップリンクデータレートの情報によって指示された前記データレートで送信されたデータと共に受信される。
【請求項１３】
請求項１２記載の方法、ここにおいて、
前記利用されたアップリンクデータレートの情報は、前記データを通信するために使用される１個以上の信号の所定の部分集合で前記データを通信するために使用されるエネルギーを超える追加のエネルギーのロケーションによって指示され、
ここにおいて、前記部分集合は、前記データを通信するため使用される前記アップリンクデータレートに対応し、前記１個以上の信号は、直交周波数分割多重信号のトーンである。
【請求項１４】
前記追加のエネルギーは、選択された前記データレートに応じて決まる、請求項１３に記載の方法。
【請求項１５】
前記追加のエネルギーは、最低のデータレートに応じて決まる、請求項１３に記載の方法。
【請求項１６】
前記追加のエネルギーは、前記データを送信するため使用されるエネルギーを少なくとも２ｄＢ上回る、請求項１５に記載の方法。
【請求項１７】
無線通信チャネルを介して基地局と相互作用する少なくとも１台の無線端末を含む無線通信システムにおける前記基地局、前記基地局は下記を備える：
少なくとも幾つかの情報を前記基地局へ送信するときに、前記無線端末によって使用される最大のアップリンクデータ伝送レートを選択する手段、ここにおいて、前記最大のアップリンクデータ伝送レートは、複数の可能な伝送データレートのうちの１つである；
最大のアップリンクデータレートのインディケータを前記無線端末へ送信する手段、ここにおいて、該最大のアップリンクデータレートのインディケータは、前記選択された最大のアップリンクデータ伝送レートを指示し、ここにおいて、前記選択された最大のアップリンクデータ伝送レートは、前記少なくとも幾つかの情報を送信するときに、前記無線端末が使用することを許可された最大のアップリンクデータ伝送レートである；および、
前記無線通信チャネルを介して通信され、前記送信された最大のアップリンクデータレートのインディケータによって前記無線端末へ指示された前記選択された最大のアップリンクデータ伝送レートより大きくない、前記無線端末によって選択されたアップリンクデータ伝送レートで送信されたデータを、前記無線端末から受信する手段。
【請求項１８】
更に下記を備える請求項１７記載の基地局：
データを前記基地局へ通信する際に使用されるアップリンクのトラヒックのセグメントの少なくとも幾つか幾つかを、前記無線端末に割り当てる手段、ここにおいて、アップリンクのトラヒックチャネルの前記セグメントは、アップリンク信号を前記基地局へ通信するために専ら使用される無線通信チャネルのセグメントである；
アップリンクのトラヒックのセグメント割り当て情報を、前記無線通信チャネルを介して、前記無線端末へ送信する手段。
【請求項１９】
更に下記を備える請求項１８記載の基地局、
下記の前記ステップをある期間に亘って繰り返すように前記基地局を制御する手段：
前記選択すること；
前記最大のアップリンクデータレートのインディケータを送信すること；
前記少なくとも幾つかのアップリンクのトラヒックのセグメントを割り当てること；および、
前記アップリンクのトラヒックのセグメント割り当て情報を送信すること。
【請求項２０】
請求項１９記載の基地局、ここにおいて、前記制御する手段は下記を含む、
前記無線端末によって専用で使用される少なくとも幾つかのアップリンクのトラヒックのセグメントを前記基地局が割り当てる度に、前記基地局に最大のアップリンクデータ伝送レートを１回選択させる手段。
【請求項２１】
前記最大のアップリンクデータ伝送レートを選択する手段は、前記無線通信チャネルの品質に基づいて選択を行う手段を含む、請求項１７に記載の基地局。
【請求項２２】
更に下記を備える請求項２１記載の基地局：
前記最大のアップリンクデータ伝送レートとして選択するため考慮されている少なくとも１つのデータ伝送レートを使用して、アップリンク信号を、前記無線端末が送信するならば、他の無線端末に引き起こされるであろう干渉を推定する手段、ここにおいて、
前記最大のアップリンクデータ伝送レートを選択する手段は、前記選択された最大のアップリンクデータレートが使用されるときに前記無線端末からのアップリンク伝送によって引き起こされるであろう前記他の無線端末への干渉の量を前記選択の基礎に置く。
【請求項２３】
無線通信チャネルを介して無線端末と相互作用する少なくとも１台の基地局を含む無線通信システムにおいて前記無線端末を作動させる方法、該方法は下記を備える：
前記無線端末が使用することを許可された最大のアップリンクデータ伝送レートを指示する最大のアップリンクデータレートのインディケータを前記基地局から受信すること；
前記最大のアップリンクデータ伝送レート以下である複数の可能なアップリンク伝送データレートから、使用するアップリンク伝送データレートを選択すること；および、
前記選択されたアップリンクデータ伝送レートを使用して前記無線通信リンクを介して前記基地局へデータを送信すること。
【請求項２４】
更に下記を備える請求項２３記載の方法：
前記基地局によって前記無線端末に割り当てられ、アップリンク信号を通信する際に使用される少なくとも１個のアップリンクのセグメントを指定する割り当て情報を受信すること、ここにおいて、
前記最大のアップリンクデータレートのインディケータは、前記無線端末に割り当てられた前記少なくとも１個のアップリンクのセグメントで使用されうる前記最大のアップリンクデータ伝送レートを指示する。
【請求項２５】
請求項２４記載の方法、ここにおいて、
前記最大のアップリンクデータレートのインディケータは、アップリンク信号を送信するために前記無線端末によって選択されうる前記複数の可能なアップリンクデータ伝送レートを一意に識別するために必要とされるビット数未満であるビット数を最大で含む。
【請求項２６】
請求項２３記載の方法、ここにおいて、
アップリンクデータ伝送レートを選択することは、使用するアップリンクデータ伝送レートを選択する際に、係数として利用可能な電力に関する情報を使用することを含む。
【請求項２７】
前記アップリンクデータ伝送レートを選択することは、前記基地局へ送信されるデータの量に応じてさらに実行される、請求項２３に記載の方法。
【請求項２８】
前記アップリンクデータ伝送レートを選択することは、前記無線通信チャネルの変化に関係して前記無線端末に記憶された情報に応じてさらに実行される、請求項２７に記載の方法。
【請求項２９】
前記アップリンクデータ伝送レートを選択することは、送信されるデータの重要度に応じてさらに実行される、請求項２８に記載の方法。
【請求項３０】
更に下記を備える請求項２４記載の方法：
前記無線端末によって使用されるアップリンクデータ伝送レートを指示するアップリンクデータレートの情報を前記基地局へ通信すること。
【請求項３１】
請求項３０記載の方法、ここにおいて、
前記アップリンクデータレートの情報を通信することは、前記指示されたデータレートで送信された前記データと共に前記アップリンクデータレートの情報を送信することを含む。
【請求項３２】
請求項３１記載の方法、ここにおいて、
前記データを通信するために使用された信号の所定の部分集合で前記データを通信するのに使用されたエネルギーを超える追加のエネルギーを配置することにより、前記アップリンクデータレートの情報は指示され、ここにおいて、前記部分集合は前記データを通信するため使用された前記アップリンクデータレートに対応している。
【請求項３３】
前記追加のエネルギーは前記選択されたデータレートに応じて決まる、請求項３２に記載の方法。
【請求項３４】
前記追加のエネルギーは最低のデータレートに応じて決まる、請求項３２に記載の方法。
【請求項３５】
前記追加のエネルギーは前記データを送信するため使用された前記エネルギーを少なくとも２ｄＢ上回る、請求項３４に記載の方法。
【請求項３６】
前記アップリンクデータ伝送レートを選択することは前記無線端末によって検出された前記無線通信チャネルの品質に応じてさらに実行される、請求項２７に記載の方法。
【請求項３７】
無線通信チャネルを介して無線端末と相互作用する少なくとも１台の基地局を含む無線通信システムにおいて使用される前記無線端末、該無線端末は下記を備える：
前記無線端末が使用することを許可された最大のアップリンクデータ伝送レートを指示する最大のアップリンクデータレートのインディケータを前記基地局から受信する手段；
前記最大のアップリンクデータ伝送レート以下である複数の可能なアップリンク伝送データレートから、使用するアップリンク伝送データレートを選択する手段；および、
前記選択されたアップリンクデータ伝送レートを使用して前記無線通信リンクを介して前記基地局へデータを送信する手段。
【請求項３８】
請求項３７記載の無線端末、ここにおいて、前記受信する手段は下記を含む：
アップリンク信号を通信する際に使用するために、前記基地局によって前記無線端末に割り当てられた少なくとも１個のアップリンクのセグメントを指示する割り当て情報を検出する手段、ここにおいて、
前記最大のアップリンクデータレートのインディケータは前記無線端末に割り当てられた前記少なくとも１個のアップリンクのセグメントで使用されうる前記最大のアップリンクデータ伝送レートを指示する、請求項３７に記載の無線端末。
【請求項３９】
請求項３８記載の無線端末、ここにおいて、
前記最大のアップリンクデータレートのインディケータは、アップリンク信号を送信するために前記無線端末によって選択されうる前記複数の可能なアップリンクデータ伝送レートを一意に識別するために必要とされるビット数未満であるビット数を最大で含む。
【請求項４０】
請求項３７記載の無線端末、ここにおいて、
前記アップリンクデータ伝送レートを選択する手段は下記を含む：
使用するアップリンクデータ伝送レートを選択する際に、係数として利用可能な電力に関する情報を使用する手段。
【請求項４１】
請求項３７記載の無線端末、ここにおいて、
前記アップリンクデータ伝送レートを選択する手段は、前記基地局へ送信されるデータの量に応じて前記アップリンクデータ伝送レートを選択する。
【請求項４２】
請求項３７記載の無線端末、ここにおいて、
前記アップリンクデータ伝送レートを選択する手段は、前記基地局へ送信されるデータの重要度に応じて前記アップリンクデータ伝送レートを選択する。
【発明の詳細な説明】
【技術分野】
【０００１】
本発明は、無線通信機器のアップリンク通信を改良する方法及び装置に関し、より詳細には、無線通信システムにおいてアップリンクのレート情報を指示し使用する方法及び装置に関係する。
【背景技術】
【０００２】
無線通信システムにおいて、無線端末はアップリンクのユーザデータ及び／又はその他の情報を基地局へ送信する必要がよくある。基地局は無線端末のためのネットワークへの接続ポイントとしての機能を果たす。ある従来のシステムでは、無線端末の少なくとも一部は、様々なアップリングの符号化レートを使用してアップリンク信号を送信する能力があり、ユーザデータ／情報の様々なアップリンクの伝送レートを生じる。例えば、無線端末が様々な符号化レートを使用してアップリンクのトラヒックチャネルのセグメントに対応するアップリンク信号を送信する能力を備えている例示的な一実施形態を検討する。同じ変調方式、例えば、直交位相偏移変調（ＱＰＳＫ）を使用することが可能であり、同じ個数の変調シンボルがセグメント中に通信されてもよく、選択された符号化レートとは無関係に、同じ個数の総ビットを搬送する。しかし、低い符号化レートでは、無線端末は、比較的低レベルの電力を使用し、総ビット数当たり比較的少量のユーザデータ／情報ビットと、総ビット数当たり比較的大量の誤り訂正又は冗長情報ビットとを送信してもよい。逆に、高い符号化レートでは、無線端末は比較的高レベルの電力を使用し、総ビット数当たりに比較的大量のユーザデータ／情報ビットと、総ビット数当たりに比較的小量の誤り訂正又は冗長情報ビットとを送信してもよい。
【０００３】
ある種の従来の無線通信システムでは、無線端末の少なくとも一部は、様々なビット数が使用される変調方式に依存して各変調シンボルで通信される様々な変調方式、例えば、ＱＰＳＫ、二相位相偏移変調（ＢＰＳＫ）、及び／又は、直交振幅変調（ＱＡＭ）を使用してアップリンク信号を送信する能力がある。選択された符号化レートと選択された変調方式の両方は、アップリンクデータ伝送レートに寄与する要因である。アップリンクデータ伝送レートは、アップリンクデータレートと呼ばれることもあり、アップリンクの伝送単位当たりのデータ及び／又は情報ビットの個数の観点で指定されることが可能である。例えば、アップリンクデータレートは、伝送シンボル当たりのデータ及び／又は情報ビットの個数、又は、アップリンクのセグメント当たりのデータ及び／又は情報ビットの個数、又は、アップリンクのセグメント当たりのデータ及び／又は情報フレームの個数として指定されることが可能である。このような状況でのアップリンクのセグメントは、通常、多数のシンボルを送信するため使用されるアップリンク単位である。
【０００４】
幾つかの既知のシステムでは、基地局は、アップリンクのトラヒックチャネルのセグメントを割り当て、アップリンクの符号化レートを特定する無線端末が使用すべきアップリンクデータ伝送レートを決定し、様々な変調方式が可能であるならば、無線端末が使用すべき変調方式を決定する。このような従来のシステムでは、移動体は基地局が指令したアップリンクデータレートに従い、これに応じて、移動体側には全く決定権無しに、アップリンク信号を送信する。このアプローチは、基地局がアップリンクデータ伝送レートの割り当ての時点で無線端末の条件についての知識を制限しているので、あまり効率的ではない。その上、無線端末側の条件は、アップリンクデータ伝送レートの割り当ての時点から無線端末が割り当てられたアップリンクのトラヒックチャネルのセグメントで送信する準備が整う時点までに変化することがある。
【０００５】
基地局は、システム内の全体的な干渉のレベル、及び、指令されたデータレートでの既知の電力レベルをもつ無線端末のアップリンク信号がシステム内に引き起こす可能性がある潜在的な干渉のレベルについて合理的な知識を保有することが可能である。実際には、複数台のＷＴからフィードバックレポートを受信し、スケジューリングを制御する基地局は、一般に、システムの干渉レベルを評価するために個別の無線端末より非常に優位な立場にある。しかし、基地局は、無線端末が自分のアップリンク送信の時点でどのアップリンクデータレートを使用すべきであるかを決定することに関して不完全な情報の集合を保有する。ある種の要因は、無線端末によってより良く測定及び／又は評価されることができる。
【０００６】
基地局は、所定の無線端末によってアップリンク上で送信されるデータ量を推定する。しかし、無線端末は、割り当てられたアップリンクのトラヒックセグメントのメッセージが符号化されるときに送信されるべき実際の情報量を知っている。例えば、基地局は無線端末要求メッセージの後に到着した新しいユーザデータに気付かないかもしれず、又は、基地局は、無線端末要求メッセージの後に続きその後に中断され一時的に蓄積されていたユーザデータに気付かないかもしれない。典型的に、これは運用上の非効率性を招く。例えば、無線端末が実際に必要とするデータレートより高いデータレートを使用するように命令されたならば、無線端末は、典型的に、過剰な（空の）情報ロケーションに零を詰め込み、高いデータレートに関連付けられた比較的高い電力レベルで送信する。この結果として無線端末は貴重なバッテリーエネルギーを不必要に消費し、無線端末の要求を満たしていた筈のより低いデータレートで送信した場合より高い干渉レベルをシステム内に生じることになる。逆に、基地局がデータのアップリンク要求量を低く推定したために、無線端末に低いデータレートを使用するよう命令しても、要求量が無線端末の要求の後であって、しかも、無線端末のアップリンクのトラヒックチャネルのセグメントのメッセージの符号化／変調の前に変化するならば、無線端末は、より高いデータレートで可能であった量より少ないユーザデータ／情報ビット（又はデータ／情報フレーム）をアップリンクのトラヒックチャネルのセグメントで通信することになる。これはシステム内のレイテンシー遅延の原因となる。
【０００７】
さらに、無線端末は、典型的に、送信電力の一部分が特有の信号の組、例えば、制御チャネル、動作ドレイン、及び、動作電力の必要性などに割り付けられた後、自分のバッテリー電力レベル、データ及びその他の信号送信のために利用可能な送信電力に関して、基地局より良好かつより新しい情報を保有している。無線端末は、典型的には、例えば、無線端末移動に起因する変化若しくは移動速度の変化のようなチャネル条件の変化、トンネルに入る無線端末、地方環境から都市環境へ移動する無線端末などについて、基地局より優れた知識も保有している。殆どの場合、このような情報を基地局へ伝達することは、オーバーヘッドの観点から、若しくは、時間のレイテンシ−の観点から非現実的、非効率的かつ不便であり、又、このような情報は、これが伝達される範囲で、基地局に到着した頃には若干古くなる。
【０００８】
上記の検討事項に鑑みて、基地局と無線端末は何れも通常は、無線端末が使用するアップリンクデータ伝送レートの最良の選択を左右する要因に関する完全な情報の組を保有していないことが明白である。基地局と無線端末の両方が無線端末によって使用されるべきアップリンクデータレートの選択に関与する新しい方法及び装置が開発されるならば有利であろう。
【発明の概要】
【０００９】
本発明は、無線通信機器のアップリンク通信を改良する方法及び装置に関し、特に、無線通信システムにおいてアップリンクデータレートの情報を選択し通信する方法及び装置に関係する。
【００１０】
本発明によれば、基地局は、無線端末による使用が許可された、基地局が選択した最大のアップリンクデータ伝送レートを示す最大のアップリンクデータレートのインディケータ値を無線端末へ送信する。無線端末は最大のアップリンクデータレートのインディケータを受信し、最大のデータレートのインディケータレベル以下である使用すべきアップリンクデータレートを選択する。
【００１１】
本発明を使用するシステムでは、無線端末は、ネットワークへの自分の接続ポイントとして基地局を使用し、アップリンクのリソース、例えば、ユーザデータ／情報を通信するためのアップリンクのトラヒックのセグメントを要求できる。基地局は複数の無線端末から要求を受信することがある。セグメントはデータを通信するために使用されるリソースであり、基地局は特定の無線端末へ割り当てられるべき通信セグメントとセグメント数を選択する。幾つかの実施形態では、所定の時点で無線端末へ割り当てられるアップリンクのトラヒックチャネルのセグメントの個数は、無線端末が送信すべきデータ量についての基地局による推定値に応じて決まる。基地局は、セグメントの割り当てプロセスの一部分として、所定の無線端末が、最大のアップリンクデータ伝送レートであると考えられている少なくとも１個のデータレートを使用して送信する場合に、システム内の他の無線端末へ引き起こすことが予想される潜在的なシステム干渉レベルを推定可能であり、場合によっては推定する。基地局は、通常は、アップリンク上で情報を送信するときに無線端末によって使用されるように、複数の可能な最大のアップリンクデータ伝送レートのうちの１つである最大のアップリンクデータ伝送レートを選択する。幾つかの実施形態では、使用されるべき最大のアップリンクデータ伝送レートの選択は、通信チャネルの品質、生成された予想される干渉のレベル、及び／又は、電力情報に基づくレートの選択を伴う。無線端末によって使用するための実際のアップリンクデータレートの選択は、送信されるべき現在のデータ量と、通信されるべきデータの重要度のレベル、例えば、緊急性と、現在の通信チャネル品質と、通信チャネル品質に影響を与える変化と、及び／又は、電力情報を考慮可能であり、多くの場合に考慮している。必ずしも全部ではないが、幾つかの実施形態では、無線端末は、基地局による復号化を容易化するために、例えば、同じアップリンクのセグメント内で、選択され使用されたデータレートを示す情報を、送信されるべきユーザデータ／情報と共に符号化する。幾つかの実施形態では、使用される選択されたアップリンクデータレートは、追加のエネルギーをアップリンク信号の部分集合に配置することによって伝達される。基地局はユーザデータ／情報及びデータレートを含むアップリンク信号を受信する。基地局は、その後、使用されたデータレートを取り出し、使用された符号化レート及び／又は変調方式を決定し、取り出されたレート情報を利用して、データ／情報ビット（又はデータ／情報ビットのフレーム）を復元するアップリンクのユーザデータ／情報を復調し復号化する。
【００１２】
多様な実施形態が上記の概要に記載されているが、必ずしも全ての実施形態が同じ特長を含むものではないこと、並びに、上記の特長のうちの一部はある種の実施形態では不可欠ではないが、好ましいものであることが認められるべきである。本発明の多数のさらなる特長、実施形態、及び、利点は以下の詳細な説明に記載されている。
【図面の簡単な説明】
【００１３】
【図１】本発明に従って実施され、本発明の方法を使用する典型的な通信システムの図である。
【図２】本発明に従って実施され、本発明の方法を使用する例示的な基地局の図である。
【図３】本発明に従って実施され、本発明の方法を使用する例示的な無線端末の図である。
【図４】例示的な基地局の最大のアップリンクデータレートのインディケータのレベルと、無線端末によって選択され使用されることが可能な例示的な対応するアップリンクデータレートのレベルを説明する図である。
【図５】本発明に従って、追加のエネルギーをドウェルの１つのトーンに集中させることより、無線端末によって使用されるアップリンクデータレートがアップリンクのユーザデータと並行して伝達されることが可能であることを説明する図である。
【図６】無線通信システムにおける例示的なアップリンクのトラヒックチャネルのセグメントを説明する図である。
【図７】アップリンクのトラヒックのセグメントのために無線端末で利用可能な例示的なレート選択肢を説明する表である。
【図８】本発明に従って、例示的なアップリンクのトラヒックのセグメントと、セグメントのために使用されるアップリンクデータレートを伝達するためのドウェル内のトーンシンボル上の部分集合への追加のエネルギーの集中とを説明する図である。
【図９】本発明に従って、基地局を作動させる例示的な方法のフローチャートである。
【図１０】本発明に従って、無線端末を作動させる例示的な方法のフローチャートである。
【図１１】本発明に従う、アップリンクのトラヒックのセグメントのため例示的な無線端末で利用可能な例示的なデータレート選択肢の別の例及び対応する最大のアップリンクデータレートのインディケータの例である。
【図１２】本発明に従う、アップリンクのトラヒックのセグメントのための例示的な無線端末で利用可能な例示的なデータレート選択肢の別の例及び対応する最大のアップリンクデータレートのインディケータの例である。
【図１３】アップリンクのトラヒックのセグメントのために無線端末で利用可能な例示的なデータレート選択肢の別の組を説明する表である。
【図１４】本発明に従って、例示的なアップリンクのトラヒックのセグメントと、このセグメントのユーザデータ／情報信号のために使用されるアップリンクデータレートを伝達するためのトーンシンボルの部分集合及びユーザデータ／情報を伝達するために使用されるトーンシンボルの部分集合へのセグメントの区分とを説明する図である。
【図１５】無線端末によって選択されたアップリンクデータ伝送レートがアップリンクのセグメントのシンボルの部分集合に収容された電力差によって通信されることが可能である典型的な実施形態を図解する表であり、この電力差が固定値であっても、あるいは、ユーザデータ／情報の変調シンボルを通信するために使用された電力レベルを上回るｄＢ表現の選択されたデータレートの関数である値であってもよい。
【図１６】本発明に従って、情報ビットを伝達する変調シンボルを伝達するために使用されるトーンシンボル及び基準変調シンボルを伝達するために使用されるトーンシンボルを含む典型的なアップリンクのトラヒックのセグメントと、セグメントのため使用されたアップリンクデータレートを伝達するためのドウェル内のトーンシンボル上の部分集合への追加のエネルギーの集中とを説明する図である。
【図１７】本発明の別の例示的な実施形態による、基地局によって選択された最大レートのインディケータと無線端末が選択可能であるデータレートとの間の例示的な関係を説明する表である。
【図１８】本発明の例示的な実施形態による、例示的なアップリンクのトラヒックのセグメントの一部分と、セグメントのため使用されたアップリンクデータレートを伝達するためのドウェル内のトーンシンボルの部分集合への追加のエネルギーの集中とを説明する図である。
【図１９】本発明による、情報ビットを伝達する変調シンボルを伝達するために使用されるトーンシンボル及び基準変調シンボルを伝達するために使用されるトーンシンボルを含む例示的なアップリンクのトラヒックのセグメントの一部分と、セグメントのため使用されたアップリンクデータレートを伝達するためのドウェル内のトーンシンボル上の部分集合への追加のエネルギーの集中とを説明する図である。
【図２０】本発明による様々なタイプの例示的なアップリンクのトラヒックチャネルのセグメントの図である。
【図２１】本発明による様々なタイプの例示的なアップリンクのトラヒックチャネルのセグメントの図である。
【図２２】本発明による様々なタイプの例示的なアップリンクのトラヒックチャネルのセグメントの図である。
【図２３】本発明の種々の実施形態による、例示的なアップリンクのトラヒックチャネルのレート選択肢、及び、符号化レートと変調タイプ情報とを含むレート選択肢毎に対応する情報の組の表である。
【図２４】本発明の種々の実施形態による、アップリンクのトラヒックチャネルのセグメントの帯域内のインディケータＸとアップリンクのトラヒックチャネルのレート選択肢の値との間の例示的なマッピングを説明する表である。
【図２５】本発明によるインデックスＫの典型的なトーンハーフスロットの図である。
【図２６】無線端末がアップリンクのトラヒックのレート選択肢０を使用することを選択し、マップされた変調シンボルのスケーリングパターンを用いてこの選択を伝達する典型的なアップリンクのトラヒックチャネルのセグメントを説明する図である。
【図２７】無線端末がアップリンクのトラヒックのレート選択肢２を使用することを選択し、マップされた変調シンボルのスケーリングパターンを用いてこの選択を伝達する典型的なアップリンクのトラヒックチャネルのセグメントを説明する図である。
【図２８】無線端末がアップリンクのトラヒックのレート選択肢５又は６を使用することを選択し、アップリンクのトラヒックチャネルの帯域内のレートのインディケータＸが５と一致することを意味するマップされた変調シンボルのスケーリングパターンを用いてこの選択を伝達する典型的なアップリンクのトラヒックチャネルのセグメントを説明する図である。
【図２９】本発明による様々なタイプのアップリンクのトラヒックチャネルの割り当てシグナリング技術及び伝達される情報を説明する表である。
【図３０】例示的な直交位相偏移変調（ＱＰＳＫ）のコンステレーションのマッピング表及び例示的な直交振幅変調（ＱＡＭ）１６のコンステレーションのマッピング表を説明する図である。
【図３１】例示的な割り当て及び例示的な対応するアップリンクのトラヒックチャネルのセグメントを説明する図である。
【図３２】本発明に従って、無線通信において無線端末を作動させる例示的な方法のフローチャートである。
【図３３】本発明によって実施され、本発明の方法を使用する例示的な無線端末、例えば、移動ノードの図である。
【図３４Ａ】本発明に従って、無線端末を作動させる例示的な方法のフローチャートである。
【図３４Ｂ】本発明に従って、無線端末を作動させる例示的な方法のフローチャートである。
【図３５】本発明によって実施され、本発明の方法を使用する例示的な無線端末、例えば、移動ノードの図である。
【図３６】本発明に従って、所定の間隔を有するアップリンクの通信セグメントの割り当てを示す割り当て情報を生成し送信するために、通信システムにおいて基地局を作動させる例示的な方法を説明するフローチャートである。
【図３７】本発明によって実施され、本発明の方法を使用する例示的な基地局の図である。
【図３８】本発明に従って、無線通信システムにおいて無線端末を作動させる例示的な方法のフローチャートである。
【発明を実施するための形態】
【００１４】
第１図は、本発明に従って実施され、本発明の方法を使用する例示的な通信システム１００の図である。システム１００は、アップリンクデータレートの情報を選択し通信することにより、アップリンク通信を改良することを対象とする装置及び方法を含む。例示的なシステム１００は、例えば、直交周波数分割多重（ＯＦＤＭ）多元接続無線通信システムでもよい。システム１００は、複数のセル（セル１  １０２，セルＭ  １０４）を含む。各セル（セル１  １０２，セルＭ  １０４）は、それぞれ対応する基地局（ＢＳ１  １０６，ＢＳＭ  １０８）の無線カバレージエリアを表現している。複数の無線端末（ＷＴ）（ＷＴ１  １１０，ＷＴＮ  １１２，ＷＴ１’  １１４，ＷＴＮ’  １１６）がシステム１００に含まれている。少なくとも幾つかのＷＴは移動ノード（ＭＮ）であり、ＭＮはシステム１００の至る所を移動することがあり、ＷＴが現在位置しているセルに対応する様々なＢＳと無線リンクを確立することがある。第１図において、（ＷＴ１  １１０，ＷＴＮ  １１２）はそれぞれ無線リンク（１１８，１２０）を介してＢＳ１  １０６に連結され、（ＷＴ１’  １１４，ＷＴＮ’  １１６）はそれぞれ無線リンク（１２２，１２４）を介してＢＳＭ  １０８に連結されている。
【００１５】
ＢＳ（１０６，１０８）はそれぞれネットワークリンク（１２８，１３０）を介してネットワークノード１２６に連結されている。ネットワークノード１２６は、ネットワークリンク１３２を介して、例えば、ルーター、他の基地局、ＡＡＡサーバーノード、ホームエージェントノードなどのその他のネットワークノード、及び／又は、インターネットに連結されている。ネットワークリンク１２８、１３０、１３２は、例えば、光ファイバーリンクでもよい。ネットワークノード１２６とネットワークリンク１２８、１３０、１３２は、あるセルに位置しているＷＴが異なるセル内のピアノードと通信できるように、様々なセル内の種々のＢＳを一緒にリンクし、接続性を提供するバックホールネットワークの一部でもよい。
【００１６】
システム１００は、１セル当たりに１つのセクターを伴うセルを有することが示されている。本発明の方法及び装置は、１セル当たりに２つ以上のセクター、例えば、１セル当たりに２、３、又は、４以上のセクターを有するシステム、及び、システムの様々な部分において１セル当たりに様々な個数のセクターを有するシステムにも適用される。その上、本発明の方法及び装置は、少なくとも１台の基地局及び１台の無線端末を含む多数の非セルラー無線通信システムにも適用される。
【００１７】
第２図は、本発明に従って実施され、本発明の方法を使用する例示的な基地局２００の図である。例示的なＢＳ２００は、アクセスノードと呼ばれることもある。ＢＳ２００は、第１図のシステム１００のＢＳ（１０６，１０８）の何れでもよい。例示的なＢＳ２００は、種々のエレメントがデータ及び情報を交換するために用いられるバス２１２を介して一緒に連結されている受信機２０２、送信機２０４、プロセッサ２０６、Ｉ／Ｏインタフェース２０８、及び、メモリ２１０を含む。
【００１８】
受信機２０２は受信アンテナ２０３に連結され、ＢＳ２００は受信アンテナを用いて複数の無線端末からアップリンク信号を受信することがある。受信機２０２は、符号化され受信されたアップリンク信号を復号化する復号器２１４を含む。符号化され受信されたアップリンク信号は、ユーザデータ／情報及び用いられたデータレート情報を含むアップリンクのトラヒックチャネルの信号を含む。
【００１９】
送信機２０４は送信アンテナ２０５に連結され、送信アンテナを用いてダウンリンク信号が複数の無線端末へ送信される。送信機２０４は、送信前に情報を符号化する符号化器２１６を含む。ダウンリンク信号は、アップリンクのトラヒックチャネルの個別のセグメントの割り当て及び対応する最大アップリンクデータレートインディケータ信号を含む。
【００２０】
Ｉ／Ｏインタフェース２０８は、ＢＳ２００をその他のネットワークノード、例えば、ルーター、他の基地局、ＡＡＡサーバーノード、ホームエージェントノード及び／又はインターネットへ連結する。Ｉ／Ｏインタフェース２０８は、様々なセル内のノード間の相互接続を行うバックホールネットワークへのインタフェースを提供する。
【００２１】
メモリ２１０はルーチン２１８及びデータ／情報２２０を含む。プロセッサ２０６、例えば、ＣＰＵは、ＢＳ２００を動かし本発明の方法を実施するためにメモリ２１０内のルーチン２１８を実行し、データ／情報２２０を使用する。
【００２２】
ルーチン２１８は通信ルーチン２２２及び基地局制御ルーチン２２４を含む。通信ルーチン２２２はＢＳ２００によって使用される種々の通信プロトコルを実装する。
【００２３】
基地局制御ルーチン２２４は、受信機２０２の動作、送信機２０４の動作、Ｉ／Ｏインタフェース２０８の動作、及び、本発明の方法の実施を含むＢＳ２００の動作を制御する。基地局制御ルーチン２２４は、スケジューリングモジュール２２６、チャネル品質の判定モジュール２２８、無線端末の干渉の推定モジュール２３０、アップリンクデータ伝送推定モジュール２３２、最大アップリンクデータレート選択モジュール２３４、使用される無線端末アップリンクデータレートの判定モジュール２３６、ダウンリンクのシグナリングモジュール２３８、及び、アップリンクのシグナリングモジュール２４０を含む。
【００２４】
スケジューリングモジュール２２６、例えば、スケジューラは、アップリンク及びダウンリンクのチャネルのエアーリンクのリソース、例えば、セグメントを無線端末ユーザに対してスケジュールする。スケジューラ２２６の動作には、アップリンクのトラヒックチャネルのセグメントを複数の無線端末から特定の無線端末へ割り当てることが含まれる。アップリンクのトラヒックチャネルの様々なセグメントは、様々な特性、例えば、より短い期間内に、より多数のトーンを、より長い期間内に、より少数のトーンを有することがあり、スケジューラはどのアップリンクのトラヒックのセグメントがどのユーザへ割り当てられるべきであるかを決定するときにこれらの違いを考慮することがある。スケジューラ２２６は、ＷＴ３００によって送信されるべきデータ量の推定値に基づいて、ある時点で多数のアップリンクのトラヒックチャネルのセグメントを無線端末に割り当てることがある。各トーンはＯＦＤＭシンボル伝送期間中に信号を通信するために使用されることがある。
【００２５】
チャネル品質の判定モジュール２２８は、着目中のＷＴ３００毎に、例えば、ＷＴ３００から受信されたチャネル品質レポート２９２とＷＴ３００から受信され評価されたアップリンク信号とに基づいて、基地局２００と無線端末３００との間の通信チャネルの品質を判定する。幾つかの実施形態では、チャネル品質レポート２９２は、ＢＳ２００からＷＴ３００にダウンリンク信号として通信され、受信された既知の信号、例えば、パイロット信号、ビーコン信号などのＷＴ３００の測定値に基づき、アップリンクのチャネルの品質はダウンリンクのチャネルの品質に対応すると仮定する。
【００２６】
無線端末の干渉の推定モジュール２３０は、着目中のＷＴ３００毎に、特定の無線端末３００が１個以上のアップリンクの異なるデータレートを使用してアップリンク信号を送信するならば、他の無線端末に生じることになる干渉を推定する。
【００２７】
アップリンクデータ伝送推定モジュール２３２は、着目中のＷＴ３００毎に、無線端末３００が基地局へ送信すべきデータ量を推定する。アップリンクデータ伝送推定モジュール２３２は、受信されたリソース要求、実現されていない受信されたリソース要求、先に割り付けられたアップリンクのトラヒックのセグメント、アップリンクのトラヒックチャネルの受信されたセグメント信号に応じたＡＣＫ／ＮＡＫ比と、無線端末によって使用される前に選択されたアップリンクのレートと、例えば、データ端末、音声セルラー機器、音声／映像／メッセージングセルラー機器などのような無線端末のタイプと、音声、データ、映像などのようなアップリンクのシグナリングのタイプと、サービスプランと、及び／又は、ＷＴ３００に対応する使用履歴情報に、この推定の基礎を置く。
【００２８】
最大アップリンクデータレート選択モジュール２３４は、アップリンクのトラヒックの対応する割り当てられたセグメント上でアップリンク信号をＢＳ２００へ送信するときにＷＴ３００によって使用される最大のアップリンクデータ伝送レートを選択し、この選択された最大のアップリンクデータ伝送レートは複数の可能な伝送データレートのうちの１つである。最大アップリンクデータレート選択モジュール２３４は、アップリンクのトラヒックチャネルの割り当てられたセグメント毎に、アップリンクのトラヒックのセグメントが割り当てられたＷＴが使用すべき最大のデータレートを選択する。最大アップリンクデータレート選択モジュール２３４は、無線通信チャネルの推定された品質、干渉の推定量、及び／又は、該ＷＴ３００に対応する受信されたバッテリー情報にこの選択の基礎を置く。
【００２９】
使用されるＷＴアップリンクデータレートの判定モジュール２３６は、アップリンクのトラヒックチャネルのセグメント中で伝達された受信信号から、アップリンクのトラヒックチャネルのセグメントのためにＷＴ３００によって選択され利用されたアップリンクデータ伝送レートを判定する。幾つかの実施形態では、利用されたアップリンクデータレートの情報は、アップリンクのトラヒックチャネルのセグメント中でデータを通信するために使用された１個以上の信号のうちの所定の部分集合の上でデータを通信するために使用されたエネルギーを上回る追加のエネルギーのロケーションによって示される。追加のエネルギーを有する信号の様々な部分集合は、ＷＴによって選択され使用されたかもしれない様々な可能なデータレートに対応する。
【００３０】
ダウンリンクのシグナリングモジュール２３８は、アップリンクのトラヒックのセグメントの割り当て情報及び関連した最大アップリンクデータレートインディケータ、すなわち、アップリンクのトラヒックチャネルのセグメントが割り当てられたＷＴ３００によって使用されるべき基地局が選択した最大のアップリンクデータ伝送レートを含むダウンリンク信号を送信するため送信機２０４及びこの符号化器２０４の動作を制御する。
【００３１】
アップリンクのシグナリングモジュール２４０は、複数のＷＴからのリソース要求、チャネル品質のレポート、バッテリー指示メッセージ、及び、アップリンクのトラヒックのチャネル信号を含むアップリンク信号を受信し処理するために受信機２０２及びこの復号器２１４の動作を制御する。アップリンクのシグナリングモジュール２４０は、例えば、モジュール２３６から、アップリンクのトラヒックチャネルの対応するセグメント信号で伝達されたユーザ／データ情報を復元するために使用されるべき復号器２１４へ、符号化レートの識別情報及び／又は変調タイプの情報などのアップリンクの決定された各データ伝送レートをさらに転送する。
【００３２】
データ／情報２２０は、ＷＴデータ／情報２４４（ＷＴ１データ／情報２４６，ＷＴＮデータ情報２４８）の複数の組と、システムデータ／情報２７０とを含む。ＷＴ１データ／情報２４６は、ユーザデータ２５０、ＷＴ識別情報２５２、機器／セッション／リソース情報２５４、チャネル品質情報２５６、アップリンクの干渉の推定情報２５８、アップリンクの送信データの推定量２６０、バッテリー状態情報２６２、最大アップリンクデータレートインディケータ情報２６４、アップリンクの割り当てられたセグメントの情報２６６、及び、使用されるアップリンクデータレートの情報２６８を含む。
【００３３】
ユーザデータ２５０は、例えば、ＷＴ１との通信セッション内でＷＴ１のピアノードへ転送されることが意図された、ＷＴ１からアップリンクのトラヒックチャネルのセグメント上で受信された、音声、テキスト又は映像を表現するデータ／情報のようなユーザデータ／情報を含む。ユーザデータ２５０は、ダウンリンクのトラヒックチャネルのセグメント信号を用いてＷＴ１へ通信されるべき、ＷＴ１のピアノードから供給されたユーザデータ／情報をさらに含むことがある。
【００３４】
ＷＴ識別情報２５２は、例えば、基地局が割り当てたアクティブユーザの識別子及びＷＴ１と関連したＩＰアドレスを含む。機器／セッション／リソース情報２５４は、スケジューリングモジュール２２６によってＷＴ１へ割り当てられたアップリンク及びダウンリンクのセグメント、例えば、トラヒックチャネルのセグメントと、ＷＴ１との通信セッション内でＷＴ１のピアノードに属するアドレス及びルーティング情報を含むセッション情報とを収容することがある。
【００３５】
チャネル品質情報２５６は、ＷＴ１から受信されたチャネル品質レポート２９２から取得又は導出された情報と、ＷＴ１からのアップリンク信号の測定及び評価から決定されたチャネル品質情報とを含む。チャネル品質情報２５６は、チャネル品質判定モジュール２２８の出力であり、最大アップリンクデータレート選択モジュール２３４への入力として使用される。
【００３６】
アップリンクの干渉の推定情報２５８は、ＢＳによって最大のアップリンクデータ伝送レートとして選択されたと考えられる種々なアップリンクの伝送レートでＷＴ１がアップリンク信号を送信するならば、ＷＴ１が他のＷＴに引き起こすことが予想される潜在的な干渉レベルの基地局による推定値を含む。アップリンクの干渉の推定情報２５８は、モジュール２３０の出力であり、モジュール２３４の入力である。
【００３７】
アップリンクの伝送データの推定量２６０は、ＢＳ２００で現在利用可能な情報を使用するＢＳ２００によるＷＴ１の現在のアップリンクのデータ伝送需要の推定値である。アップリンクの伝送データの推定量２６０は、アップリンクのトラヒックチャネルのＷＴ１へ割り当てるセグメントの個数を決定する際にスケジューリングモジュール２６６によって使用されることがある。
【００３８】
電力状態情報２６２は、受信された電力指示メッセージ２９３から抽出されたＷＴ１に属する情報を含む。電力指示メッセージ２９３は、残りのバッテリー電力に関する情報、及び／又は、本書中でバックオフ電力情報とも呼ばれることがある情報を提供することがある。バックオフ電力情報は、例えば、基地局からの電力制御の対象となる、個別の制御チャネル（ＤＣＣＨ）に対応する１個以上の制御チャネルに対応する所定の信号のような信号の組への電力の割り付け後に、利用可能な送信電力量を示す。電力制御は、例えば、閉ループ電力制御プロセスであってもよい。法律、あるいは、ＷＴが電力を所定の信号の組に割り付けた後に、限られた量の送信電力が他の信号、例えばユーザデータの送信に利用可能に残るようなバッテリー電力等のその他の制約によって、ＷＴのための出力送信の電力の合計量は制限されうる。所定の信号の組への電力の割り付けは、所定の信号を送信するために使用される電力量の増減をＷＴに指令する基地局からの１個以上の制御信号の命令下で実行されることがある。幾つかの実施形態では、基地局は、所定の信号の組の中の１個以上の受信信号を測定し、所定の信号の組のために用いられる送信電力を増減させるために所定の信号の電力レベルを調整するようＷＴに指令する。基地局は所定の信号の組のために用いられる送信電力の変更を指示するかもしれないが、電力制御コマンドの全てが受信されるとは限らないので、基地局は、ＷＴによって所定の信号の組の送信のために用いられる実際の送信電力量を知ることが難しくなる。バックオフ電力情報は、所定の信号の組以外の信号を送信するためのバックオフ電力信号を送信するＷＴで利用可能な電力量の指標を基地局に提供する。バックオフ電力信号から、固定されているか、又は、基地局へ報告されたため、基地局が使用可能であるＷＴの送信電力の合計を知っている場合、基地局は、所定の信号の組以外の信号の送信のために利用可能な電力量だけでなく、所定の信号の組に割り当てられた電力量を決定することができる。所定の信号の組以外の信号のために利用可能である電力量は、幾つかの実施形態では、特定の時点におけるアップリンクのシグナリングのための特定のＷＴによる使用が許可されている最大の伝送レートを選択する際に基地局によって使用される。
【００３９】
所定の信号の組以外の信号を送信するため利用可能な電力量及び／又は利用可能なバッテリー電力の指標は、ＷＴ１のアップリンクのトラヒックチャネルのセグメントのためのアップリンクの許容される最大のデータレートを選択する際に、最大アップリンクデータレート選択モジュール２３４によって考慮可能であり、種々の実施形態で考慮される。例えば、利用可能な送信電力量は、データ信号の送信のためＷＴで利用可能であると考えられる電力が与えられるならばサポートされうるような最大のデータレート選択肢を選択する基地局によって考えられる最大のデータレートを制限することがある。前述の所定の信号の組以外の信号を送信するために利用可能である電力量が減少すると、より低いデータレート選択肢がアップリンクの許容される最大のデータレート選択肢として選択されることがあり、一方、利用可能な送信電力が増加すると、より高いデータレートに対応するアップリンクの許容される最大のデータレート選択肢が増加した利用可能な電力量を報告する無線端末のために選択されるという結果をもたらしうる。
【００４０】
最大アップリンクデータレートインディケータ情報２６４は、最大アップリンクデータレート選択モジュール２３４の出力であり、ＷＴ１が割り当てられた対応するアップリンクのトラヒックチャネルのセグメントでアップリンク信号を送信するときに使用することを許可された最大のアップリンクデータ伝送レートである基地局が選択した最大のアップリンクデータ伝送レートを示す。幾つかの実施形態では、最大アップリンクデータレートインディケータは、ＷＴ１によって使用可能なアップリンクデータ伝送レートの完全な組を一意に指定するために必要なビット数未満である最大ビット数を最大限含む。最大アップリンクデータレートインディケータ情報２６４は、ＢＳ２００によるダウンリンクのシグナリングモジュール２３８の制御によってＷＴ１へ送信された最大アップリンクデータレートメッセージ２９６に含まれている。
【００４１】
アップリンクの割り当てられたセグメントの情報２６６は、アップリンクのトラヒックチャネルのＷＴ１へ割り当てられたセグメントを特定する情報と、このようなセグメント中で伝達される符号化データ／情報と、このようなセグメントから復元された、ユーザデータのフレームを含むデータ／情報とを含む。使用されるアップリンクデータレートの情報２６８は、ＷＴ１へ割り当てられたアップリンクのトラヒックチャネルの各セグメント中のＷＴが選択し利用したアップリンクのデータ送信レートを含む。使用されるアップリンクデータレートの情報２６８は、符号化レート情報及び／又は変調方式情報を含むことができる。使用されるアップリンクデータレートの情報２６８は、ＷＴ  ＵＬデータレート判定モジュール２３６の出力であり、ユーザデータ／情報の復元の際に復号器２１４によって使用される。
【００４２】
システムデータ／情報２７０は、アップリンク／ダウンリンクのタイミング及び周波数の構造情報２７２、最大の選択されたアップリンクデータレートの情報２７４、及び、使用されるアップリンクデータレートの情報２７６を含む。アップリンク／ダウンリンクのタイミング及び周波数の構造情報２７２は、例えば、シンボルタイミング情報と、トーン間隔情報と、アップリンクトーンの個数と、ダウンリンクトーンの個数と、アップリンクの搬送周波数と、ダウンリンクの搬送周波数と、アップリンクの帯域幅と、ダウンリンクの帯域幅と、アップリンクトーンの組と、ダウンリンクトーンの組と、アップリンクのトーンホッピング情報と、アップリンクのドウェル情報と、ダウンリンクのトーンホッピング情報と、ダウンリンクのトラヒックセグメントの構造情報と、アップリンクのトラヒックセグメントの構造情報と、例えば、シンボル期間及びドウェル、ハーフスロット、スロット、スーパースロット、ビーコンスロット、ウルトラスロット等へのシンボル期間のグループ分けのような反復タイミング構造を含む。
【００４３】
最大の選択されたアップリンクデータレートの情報２７４は、データレート情報の複数の組（レート１情報２７８，レートＭ情報２８０）、選択規準２８２、及び、符号化情報２８４を含む。レート情報の各組（２７８，２８０）は、ＢＳ２００のモジュール２３４によって最大のアップリンクデータ伝送レートとして示されるように選択されることが可能な見込まれるデータレートの１つに対応する。データレート情報の各組（２７８，２８０）は、符号化レート及び／又は変調方式を含むこと、又は、対応することができる。選択規準２８２は、最大の選択されたアップリンクデータレートを判定する際にモジュール２３４によって使用される所定の限界及び値、例えば、ＳＮＲ基準レベル、ＳＩＲ基準レベル、及び／又は、受信された低いバッテリーレベルの指標の情報と関連したレートバックオフ量を含む。
【００４４】
符号化情報２８４は、ＢＳが選択した最大アップリンクデータレートインディケータを、アップリンクのトラヒックチャネルの対応するセグメントが割り当てられたＷＴに伝えられるべきメッセージに符号化するために使用される情報を含む。幾つかの実施形態では、最大アップリンクデータレートインディケータは、アップリンクのトラヒックチャネル割り当てメッセージに含まれているが、他の実施形態では、異なるダウンリンクのメッセージに含まれている。幾つかの実施形態では、無線端末は、例えば、どの時点でも割り当てられている、アップリンクのトラヒックチャネルのセグメント単位、又は、トラヒックチャネルのセグメントのグループ単位で最大のアップリンクデータ伝送レートが割り当てられる。他の実施形態では、ＷＴは、ＢＳが新しい最大のアップリンクデータ伝送レートを信号で合図するまで有効な状態を保ち続ける最大のアップリンクデータ伝送レートが割り当てられることがある。
【００４５】
使用されるアップリンクデータレートの情報２７６は、データレート情報の複数の組（レート１情報２８６，レートＮ情報２８８）と、データレート判定情報２９０とを含む。データレート情報の各組（２８６，２８８）は、アップリンクのトラヒックチャネルのセグメント信号の送信のためＷＴ３００によって使用されうる可能なアップリンクデータレートに対応する。各アップリンクデータレートは符号化レート及び／又は変調方式に対応可能である。データレート判定情報２９０は、ＷＴ３００によってアップリンクのトラヒックチャネルのセグメント中に選択され使用されたアップリンクのレートを復号化するためにモジュール２３６によって使用される情報を含む。データレート判定情報２９０は、例えば、追加のエネルギーがセグメントの特定のシンボル伝送時間中に特定のトーンに割り付けられた場所を特定するセグメント内のロケーション、又はセグメント内のパターンの組を含み得、異なる各組はＷＴ３００によって選択されていたかも知れない異なるアップリンクデータレートに対応する。
【００４６】
幾つかの実施形態では、情報２７４及び２７６の様々な組が様々な無線端末に対し、又は、無線端末の様々なタイプ若しくはクラスに対して存在することがある。所定の無線端末に対し、最大の選択されたアップリンクレート（２７８，２８０）の個数Ｍは、使用されたアップリンクデータレート（２８６，２８８）の個数Ｎ以下である。幾つかの実施形態では、少なくとも幾つかの無線端末に対し、最大の選択されたアップリンクデータレート（２７８，２８０）の個数Ｍは使用されたアップリンクデータレート（２８６，２８８）の個数Ｎ未満である。
【００４７】
データ／情報２２０は、例えば、測定されたチャネルの条件のフィードバックレポートのような受信チャネルの品質レポート２９２と、例えば、送信電力のバックオフ信号及び／又はバッテリー電力信号のような受信電力指示メッセージ２９３と、例えば、１個又は複数のアップリンクのトラヒックチャネルのセグメントの要求のようなアップリンクのリソース要求の受信されたメッセージ２９４と、アップリンクのトラヒックチャネルの受信されたセグメント２９７とをさらに含み、上記の受信されたメッセージ２９２、２９３、２９４、２９７は複数のＷＴ３００から供給される。アップリンクのトラヒックチャネルのセグメントの受信されたメッセージ２９７は、ユーザデータ２９８及びデータレート情報２９９を含み、ユーザデータ２９８はレート情報２９９によって示された符号化レート及び／又は変調方式を使用して通信されている。データ／情報２２０は、例示的な実施形態では、例えば、アップリンクのトラヒックチャネルの個別のセグメントの特定のＷＴへの割り当てのようなアップリンクのセグメント割り当てメッセージ２９５と、最大データレートインディケータをＷＴへ伝達する最大アップリンクデータレートメッセージ２９６とをさらに含む。幾つかの実施形態では、最大アップリンクデータレートメッセージ情報は、アップリンクのセグメント割り当てメッセージの一部として収容されている。
【００４８】
第３図は、本発明に従って実施され、本発明の方法を使用する例示的な無線端末３００の図である。ＷＴ３００は、第１図のシステム１００のＷＴ（１００，１１２，１１４，１１６）の何れでもよい。例示的なＷＴ３００は、種々のエレメントがデータ及び情報を交換するために用いられるバス３１２を介して一緒に連結されている受信機３０２、送信機３０４、プロセッサ３０６、ユーザＩ／Ｏ機器３０８、及び、メモリ３１０を含む。
【００４９】
受信機３０２は、受信アンテナ３０３に連結され、ＷＴ３００は受信アンテナを用いてアップリンクのトラヒックチャネル、及びアップリンクの最大のレートのインディケータの信号の割り当てを含むダウンリンク信号を、ＢＳ２００から受信する。受信機３０２は、ＢＳ２００から受信されたダウンリンク信号を復号化するためにＷＴ３００によって使用される復号器３１４を含む。
【００５０】
送信機３０４は送信アンテナ３０５に連結され、ＷＴ３００は送信アンテナを用いて、チャネル品質レポートと、電力指示信号と、アップリンクのリソース要求メッセージと、及び、ユーザデータ及びデータレート情報を含むアップリンクのトラヒックチャネルのセグメント信号とを含むアップリンク信号をＢＳ２００へ送信する。幾つかの実施形態では、同じアンテナが送信アンテナ３０５と受信アンテナ３０３の両方として使用される。送信機２０４は、送信前にアップリンクデータ／情報を符号化する符号化器３１６を含む。
【００５１】
ユーザＩ／Ｏ機器３０８は、例えば、マイクロホン、スピーカー、キーパッド、キーボード、マウス、タッチスクリーン、カメラ、ディスプレイ、アラーム、振動機器などを含む。種々のユーザＩ／Ｏ機器３０８がＷＴ３００のピアノードへ向けられたユーザデータ／情報を入力し、ＷＴ３００のピアノードから受信されたデータ／情報を出力するために使用される。その上、ユーザＩ／Ｏ機器３０８は、例えば、電源投入、電源切断、発呼、終呼のような種々の機能を開始するためＷＴ３００のオペレータによって使用される。
【００５２】
メモリ３１０は、ルーチン３１８及びデータ／情報３２０を含む。プロセッサ３０６、例えば、ＣＰＵは、ルーチン３１８を実行し、メモリ３１０内のデータ／情報３２０を使用し、ＷＴ３００の動作を制御し、本発明の方法を実施する。
【００５３】
ルーチン３１８は、通信ルーチン３２２及び無線端末制御ルーチン３２４を含む。通信ルーチン３３４は、ＷＴ３００によって使用される種々の通信プロトコルを実施する。無線端末制御ルーチン３２４は、受信機３０２、送信機３０４、及び、ユーザＩ／Ｏ機器３０８の動作を含むＷＴ３００の動作を制御する。無線端末制御ルーチン３２４は、電力監視モジュール３２６、チャネル変動検出モジュール３２８、基地局が許容する最大のデータレートの判定モジュール３３０、使用されるアップリンクデータレートの選択モジュール３３２、使用されるアップリンクデータレートの符号化を行うモジュール３３４、ダウンリンクのシグナリングモジュール３３６、及び、アップリンクのシグナリングモジュール３３８を含む。
【００５４】
電力監視モジュール３２６は、送信電力が信号の組、例えば、所定の制御チャネル信号の組に割り当てられた後に、信号を送信するため利用可能である電力量を監視する。モジュール３２６は、ＷＴのバッテリーの状態、例えば、エネルギーレベル及び現在のエネルギーレベルの増減のレートをさらに監視することもでき、残りのバッテリー電力を推定する。推定電力情報３５４、すなわち、電力監視モジュール３２６の出力は、信号、例えば、ユーザデータ信号を送信するため使用されるべき実際のアップリンクデータレートを判定する際にアップリンクデータレートの選択モジュール３３２によって使用される。幾つかの実施形態では、推定電力情報３５４は、無線端末３００が自分の固有のバッテリー予備、又は、外部電源、例えば、車の電気システムで現在動作しているかどうかを示す情報をさらに含み、外部電源で動作している場合、アップリンクの現在のシグナリングのために使用される電力はこれ以上バッテリーを消耗させない。その上、電力監視モジュール３２６は、幾つかの実施形態では、例えば、ＢＴ２００へのＷＴ電力バックオフメッセージ、及び／又は、バッテリー電力情報メッセージのような電力指示メッセージ３３８を生成する。
【００５５】
チャネル変動検出モジュール３２８は、例えば、ダウンリンクを介してＢＳ２００から通信されたパイロット信号、ビーコン信号などのような受信された基地信号に基づいて、チャネル品質を測定し、その後にＢＳ２００へ通信されるチャネル品質レポート３８６を、例えば、周期的に生成する。使用されるアップリンクデータレートの選択モジュール３３２で利用できるようにされ、モジュール３２８の出力であるチャネル品質情報３５０は、一般に、チャネル品質レポート３８６より頻繁に更新されるので、使用するアップリンクデータレートに関するより良い決定を行うあらゆる時点で、より最新の情報をＷＴ３００に提供する。その上、チャネル変動検出モジュール３２８は、チャネル品質の変化、及び／又は、チャネル品質を変化させるために予想されうる動作条件の変化及び／又は環境の変化を検出する。検出された変化情報３５２を含むチャネル品質情報３５０は、使用されるアップリンクデータレートの選択モジュール３３２で利用できるようにされる。変化変動検出モジュール３２８は、例えば、無線端末が静止機器から移動機器へ移るときの無線端末３００の速度の変化、又は、例えば、ＷＴが地方環境から都市環境へ移動する、ＷＴがトンネルに入るといった環境の変化のような要因による変化を検出可能である。このような変動はＷＴによって検出可能であり、このような情報は使用すべきアップリンクデータレートを判定する際に役立つことができる。殆どの環境において、このような変化情報を、ＷＴ３００の最大のアップリンクデータレートの選択に使用するため、ＢＳ２００へ通信することは非効率的となること、及び／又は、このような情報の妥当性に関連した時間的制約はこのことを非現実的にすることがある。しかし、このような変化情報は、幾つかの実施形態では、無線端末の使用されるアップリンクデータレートの選択モジュール３３２によって使用可能であり、かつ、使用される。
【００５６】
基地局が許容する最大のデータレートの判定モジュール３３０は、例えば、最大のアップリンクデータレートの受信されたメッセージ３９４のような最大アップリンクデータレートインディケータを伝達する受信信号を処理する。幾つかの実施形態では、最大アップリンクデータレートインディケータは、例えば、アップリンクのセグメント割り当ての受信されたメッセージ３９２のような様々なメッセージで伝達されることがある。モジュール３３０は、情報（３７０，３７２）に対応する複数の見込まれる最大のアップリンクデータレートから、ＷＴ３００に割り当てられた少なくともある種のアップリンクのトラヒックチャネルのセグメントに対応する受信された最大の許容されるアップリンクデータレート３５８を判定するために、例えば、データレートレベルの復号化情報のようなデータレート判定情報３７４を含む情報３２０を使用する。
【００５７】
アップリンクデータレートの選択モジュール３３２は、アップリンクの割り当てられたセグメント情報３６０内で特定されたアップリンクのトラヒックチャネルの割当てられたセグメントのため使用する選択されたアップリンクデータ伝送レート３６２を判定する。各データレートは符号化レート及び／又は変調方式に対応することがある。アップリンクデータレートの選択モジュール３２２は、送信するアップリンクのユーザデータ量３５６、送信する情報の重要度レベル３４２、推定電力情報３５４、検出変化情報３５２を含むチャネル品質情報３５０、及び、情報（３７８，３８０）内で特定されているＷＴ３００によってサポートされているアップリンクデータレートの見込みの中から受信された最大の許容されるアップリンクデータレート３５８以下である選択されたアップリンクデータ伝送レート３６２を選択するためのデータレート選択規準３８２といったデータ／情報３２０を使用する。
【００５８】
使用されるアップリンクデータレートの符号化を行うモジュール３３４は、アップリンクのトラヒックチャネルの所定のセグメントのための選択されたアップリンクデータ伝送レート３６２を、アップリンクのトラヒックチャネルのセグメントで通信されるべきユーザデータ／情報と共に符号化するための符号化情報３８４を含むデータ／情報３２０を使用する。幾つかの実施形態では、符号化情報３８４は、データを通信するために使用されたエネルギーを超える追加のエネルギーを得るために、（アップリンクのトラヒックチャネルのセグメントに対応する時間／周波数グリッドのロケーションの集合内の）ロケーションの部分集合を指定し、アップリンクのトラヒックチャネルの同じセグメントのためのロケーションの異なる部分集合は、データを通信するために使用される、異なるアップリンクデータレートに対応する。幾つかの実施形態では、追加のエネルギーはデータを送信するため使用されるエネルギーを少なくとも２ｄＢ上回る。幾つかの実施形態では、ドウェルのアップリンク構造及びアップリンクのセグメントを使用して、アップリンクのセグメントの各ドウェルのシンボル伝送期間のうちの１つ、例えば、ドウェルの最初のシンボル期間が追加のエネルギーを伴う信号の部分集合を伝達するために使用され、アップリンクセグメント中に信号の部分集合上で追加のエネルギーを伝達するために選択されたトーンの順次パターンは使用されるデータレートを伝達するため使用され、異なるパターンは異なるデータレートに対応している。
【００５９】
ダウンリンクのシグナリングモジュール３３６は、ＢＳ２００からのダウンリンク信号を受信し処理するために受信機３０２及び復号器３０４の動作を制御し、上記ダウンリンク信号は、アップリンクのトラヒックチャネルのセグメント割り当てメッセージ３９２及び最大アップリンクデータレートインディケータメッセージ３９４を含む。
【００６０】
アップリンクのシグナリングモジュール３３８は、ＢＳ２００へのアップリンク信号を符号化し送信するために送信機３０４及び符号器３１６の動作を制御し、上記アップリンク信号は、チャネル品質レポート３８６、電力指示メッセージ３８８、アップリンクのリソース要求メッセージ３９０、及び、アップリンクのトラヒックチャネルのセグメントのメッセージ３９６を含む。アップリンクのトラヒックチャネルのセグメントのメッセージ３９６は、ユーザデータ３９８及びデータレート情報３９９を含む。
【００６１】
データ／情報３２０は、ＷＴデータ／情報３３９と、システムデータ／情報３６４と、例えば、測定されたチャネルの条件のフィードバックレポートのようなチャネル品質レポート３８６と、例えば、送信電力バックオフ信号のような電力指示メッセージ３８８と、例えば、アップリンクのトラヒックチャネルの１個又は複数のセグメントの要求のようなアップリンクのリソース要求メッセージ３９０と、例えば、アップリンクのトラヒックチャネルの個別のセグメントのＷＴ３００への割り当てのようなアップリンクのセグメント割り当ての受信されたメッセージ３９２と、最大データレートインディケータをＷＴ３００へ伝達する最大のアップリンクデータレートの受信されたメッセージ３９４と、アップリンクのトラヒックチャネルのセグメントのメッセージ情報３９６とを含む。アップリンクのトラヒックチャネルのメッセージ情報３９６は、ユーザデータ３９８及び対応するデータレート情報３９９を含む。アップリンクのトラヒックチャネルのメッセージ情報３９６は、アップリンクのシグナリングモジュール３０８の制御下で、送信機３０４を用いて、割り当てられたアップリンクのトラヒックのセグメントを使用してＢＳ２００へ送信される。
【００６２】
ＷＴデータ／情報３３９は、ユーザデータ３４０と、重要度レベル情報３４２と、ＷＴ識別（ＩＤ）情報３４４と、基地局ＩＤ情報３４６と、機器／セッション／リソース情報３４８と、検出変化情報３５２を含むチャネル品質情報３５０と、電力情報３５４と、アップリンクの伝送データ量３５６と、受信された最大の許容されるアップリンクデータレート３５８と、アップリンクの割り当てられたセグメントの情報３６０と、選択されたアップリンクデータ伝送レート３６２とを含む。ユーザデータ３４０は、ＷＴ３００との通信セッションにおいてＷＴ３００のピアへ向けられ、アップリンクのトラヒックチャネルのセグメントを介してＷＴ３００によってＢＳ２００へ送信されたデータ／情報を含む。ユーザデータ３４０は、ＷＴ３００との通信セッションにおいてＷＴ３００のピアから供給され、ダウンリンクのトラヒックのセグメントを介してＢＳ２００から受信されたデータ／情報をさらに含む。
【００６３】
重要度レベル情報３４２は、送信されるべきアップリンクのユーザデータの様々な部分と関連し、例えば、優先度、アプリケーション、送信緊急度などに関してこのデータの部分の重要度を特定する情報を含む。様々なアプリケーション及び／又はピアは、例えば、充電モデル、ユーザ嗜好、及び／又は、所定の取り決めに基づいて優先順位を付けられることができる。例えば、プッシュ・ツー・トーク機能、音声通話、ビデオストリーム、スチルビデオ画像、テキストデータなどのような異なるアプリケーションは、異なる伝送レイテンシ−の要件を有する。アップリンクデータの競合部分間の相対的な重要度レベルは、新しいアップリンクのユーザデータ／情報が、例えば、ユーザＩ／Ｏ機器３０８を介して、受信されるときに変化することがある。アップリンクデータの一部分に関連した重要度レベルは時間と共に変化することがある。例えば、データの一部分は、ある特定のレイテンシ−の制約を有するボイスオーバーインターネットプロトコル（ＶｏＩＰ）呼のための情報を表現することがあるので、従って、時間が進むにつれて、バッファーされたＶｏＩＰデータの送信と、許容可能な送信用のウィンドウが短くなり始めること無しに、重要度レベルが上昇することがある。
【００６４】
無線端末の識別情報３４４は、例えば、無線端末ＩＰアドレス及びＢＳ２００が割り当てたＷＴのアクティブユーザの識別子を含む。基地局の識別子の情報３４６は、無線通信システムにおける複数の様々なネットワークへの接続ポイントとしてのＢＳの中から、例えば、ＷＴ３００がネットワークへの自分の現在の接続ポイントとして使用するネットワークへの接続ポイントとしての特定のＢＳ２００を識別する値のような識別子を含む。幾つかの実施形態では、ＢＳ  ＩＤ情報３４６は、ネットワークへの接続ポイントとしてのＢＳによって使用される特定のセクター及び／又は搬送波周波数を特定する情報を含む。機器／セッション／リソース情報３４８は、アップリンクのセグメント及びダウンリンクのセグメント、例えば、トラヒックチャネルのWT３００に割り当てられたセグメントと、ＷＴ３００との通信セッション内でＷＴ３００のピアノードに属するアドレス及びルーティング情報を含むセッション情報とを含む。チャネル品質情報３５０は、ＷＴ３００とＢＳ２００の間の無線通信チャネルに関する測定され、導出され、及び推定された情報を含む。チャネル品質情報３５０は、チャネル品質の変化と、チャネル品質の変化を結果として生じることが予想される検出された変化とを特定する検出変化情報３５２を含む。
【００６５】
推定電力情報３５４は、電力監視モジュール３２６の出力であり、バックオフ電力情報、及び／又は、バッテリー条件及びバッテリー消耗の現在状態に関する情報を含む。アップリンクの伝送データ量３５６は、アップリンクのトラヒックチャネルのセグメント上でＢＳ２００へ送信されるのを待機しているユーザデータ量の尺度である。アップリンクの伝送データ量３５６は、例えば、未だ送信されていないデータの量、送信済み又は送信の過程にあるが、ＷＴが送信の成功／失敗状態を知らないデータの量、及び、送信に失敗し、再送信を必要とするデータの量を特定する情報を含む。アップリンクの伝送データ量３５６は、送信すべき新しいデータがユーザＩ／Ｏインタフェース３０８を介して受信されるとき、データの送信が成功したとき、及び、送信されるべくバッファーされたデータが、例えば、過剰となったデータに関連付けられたタイミング要件に起因して、取りこぼされたときに変化する。受信された最大の許容されるアップリンクデータレート３５８は、レートインディケータが対応しているＷＴ３００が割り当てられたアップリンクのトラヒックチャネルのセグメントのために使用することが許可されている最大のアップリンクデータレートを示す、ＢＳが割り当てた最大アップリンクデータレートインディケータを特定する情報を含む。アップリンクのトラヒックチャネルの異なる割り当てられたセグメントは、異なる最大アップリンクデータレートが割り当てられることが可能である。
【００６６】
アップリンクの割り当てられたセグメントの情報３６０は、例えば、アップリンクのセグメント割り当ての受信されたメッセージ３９２中で、ＢＳ２００によってＷＴ３００に割り当てられたアップリンクのトラヒックチャネルのセグメントを特定する情報を含む。アップリンクの割り当てられたセグメントの情報３６０は、これらの割り当てられたセグメントを用いて通信されるべき情報、例えば、アップリンクのトラヒックチャネルのメッセージ３９６内のユーザデータ３９８及びデータレート情報３９９をさらに含む。選択されたアップリンク伝送レート３６２は、アップリンクのトラヒックチャネルの割り当てられた各セグメント毎にモジュール３３２による選択を含み、選択されたデータレートは、アップリンクのトラヒックチャネルのセグメントのための受信された最大の許容されるアップリンクデータレート３５８以下である。
【００６７】
システムデータ／情報３６４は、基地局の識別情報３６５と、アップリンク／ダウンリンクのタイミング及び周波数の構造情報３６６と、基地局が許容する最大のアップリンクデータレートの情報３６８と、使用されるアップリンクデータレートの情報３７６とを含む。アップリンク／ダウンリンクのタイミング及び周波数の構造情報３６６は、例えば、シンボルタイミング情報と、トーン間隔情報と、アップリンクトーンの個数と、ダウンリンクトーンの個数と、アップリンクの搬送波周波数と、ダウンリンクの搬送波周波数と、アップリンクの帯域幅と、ダウンリンクの帯域幅と、アップリンクトーンの組と、ダウンリンクトーンの組と、アップリンクのトーンホッピング情報と、アップリンクのドウェル情報と、ダウンリンクのトーンホッピング情報と、ダウンリンクのトラヒックのセグメントの構造情報と、アップリンクのトラヒックのセグメントの構造情報と、例えば、シンボル期間及びドウェル、ハーフスロット、スロット、スーパースロット、ビーコンスロット、ウルトラスロット等へのシンボル期間のグループ分けのような反復タイミング構造を含む。ＵＬ／ＤＬのタイミング及び周波数の構造情報３６６の異なる組が存在し、無線通信システム内の異なるＢＳ２００に対応するＷＴ３００に記憶されることが可能である。
【００６８】
ＢＳが許容する最大のアップリンクデータレートの情報３６８は、データレート情報の複数の組（レート１情報３７０，レートＭ情報３７２）と、データレート判定情報３７４とを含む。レート情報の各組（３７０，３７２）は、例えば、アップリンクのトラヒックチャネルの割り当てられたセグメントに対し、最大のアップリンクデータ伝送レートとして指示されるようにモジュール３３０によって決定されうる見込みのデータレートのうちの１つに対応する。データレート判定情報３７４は、最大アップリンクデータレートインディケータ情報を含む受信信号を復号化し、基地局から通信されたデータレートのレベルを抽出するために使用される情報を含む。
【００６９】
使用されるアップリンクデータレートの情報３７６は、データレート情報の複数の組（レート１情報３７８，レートＮ情報３８０）と、データレートの選択規準３８２と、符号化情報３８４とを含む。データレート情報の各組（３７８，３８０）は、アップリンクのトラヒックチャネルのセグメント信号の送信のためＷＴ３００によって使用されうる可能なアップリンクデータレートに対応する。各アップリンクデータレートは、符号化レート及び／又は変調タイプ情報に対応する。データレートの選択規準３８２は、データレート情報の組（３７８，３８２）からＵＬの選択されたデータ伝送レート３６２を選択するときに、ＵＬデータレート選択モジュール３３２によって使用される所定の及び／又は動的な値、限界、比較基準などを含み、選択されたデータレート３６２はアップリンクのトラヒックチャネルの所定のセグメントに対する最大の許容されるアップリンクデータレート以下である。符号化情報３８４は、アップリンクのトラヒックチャネルのセグメントに対するユーザデータを用いて、選択されたアップリンクデータ伝送レート３６２を符号化するため使用される情報を含む。例えば、ＢＳ２００によって使用されるアップリンクのタイミング構造内でアップリンクのトラヒックチャネルの所定のセグメントに対し、符号化情報３８４は、ロケーションの組、例えば、時間周波数グリッド内のトーン及びシンボルタイミング位置を指定してもよく、これらのロケーションを使用して通信されたアップリンク信号は、ユーザデータ・情報を通信するため使用される通常のエネルギーレベルの他に追加のエネルギーが追加されている。アップリンクのトラヒックチャネルの所定のセグメントに対するロケーションの組の種々のパターンは、使用された様々なアップリンクデータレートに対応することが可能である。
【００７０】
幾つかの実施形態では、様々な情報の組３６６、３６８及び／又は３７６は、無線通信システム内の異なる基地局のため存在してもよい。アップリンク構造内のアップリンクのトラヒックチャネルの所定のセグメントのための所定の基地局に対し、ＢＳが許容する最大のアップリンクデータレート（３７０，３７２）の個数Ｍは使用されたアップリンクデータレート（３７８，３８０）の個数Ｎ以下である。幾つかの実施形態では、ＢＳが許容する最大のアップリンクデータレート（３７０，３７２）の個数Ｍは使用されたアップリンクデータレート（３７８，３８０）の個数Ｎ未満である。幾つかのこのような実施形態では、最大のアップリンクデータレートのインディケータは、複数の可能なアップリンクデータ伝送レートを一意に特定するため必要とされるビット数未満のビット数を最大限含む。
【００７１】
第４図は、基地局の例示的な最大のアップリンクデータレートのインディケータレベル４０２と、例えば、アップリンク信号の組に対し無線端末によって選択され使用されうる例示的な対応するアップリンクデータレートレベル４０４を説明する図４００である。第４図の例では、３個の基地局が指示した見込まれる最大のデータレートのインディケータレベル（レベル０、レベル２及びレベル６）が存在し、アップリンク伝送のため無線端末によってサポートされている７個の見込まれるレートレベル（レベル０、レベル１、レベル２、レベル３、レベル４、レベル５及びレベル６）が存在する。レートレベル０は最低のデータレートを特定し、レートレベル６は最高のデータレートを特定する。
【００７２】
基地局が最大データレートのインディケータはレートレベル０を指示すべきであると決定する場合を考える。基地局はダウンリンクメッセージに含まれているデータレートのインディケータを無線端末へ送信する。無線端末は、データレートのインディケータを受信し、アップリンク伝送のためにレート０だけを使用することが可能であると決定する。このシナリオは矢印４０６によって表現されている。
【００７３】
今度は、基地局が最大データレートのインディケータはレートレベル２を指示すべきであると決定する場合を考える。基地局はダウンリンクメッセージに含まれているデータレートのインディケータを無線端末へ送信する。無線端末は、データレートのインディケータを受信し、アップリンク伝送のためレート０、１又は２を使用することが可能であると決定する。このシナリオは矢印４０８によって表現されている。
【００７４】
今度は、基地局が最大データレートのインディケータはレートレベル６を指示すべきであると決定する場合を考える。基地局はダウンリンクメッセージに含まれているデータレートのインディケータを無線端末へ送信する。無線端末は、データレートのインディケータを受信し、アップリンク伝送のためレート０、１、２、３、４、５、又は６を使用することが可能であると決定する。このシナリオは矢印４１０によって表現されている。
【００７５】
例示的な本実施例では、ＢＳが指示した可能な最大データレートのインディケータレベルの個数である３は２ビットを使用して表現され、無線端末によってサポートされている可能なデータレートのレベルの個数である７は３ビットを使用して表現される。
【００７６】
幾つかの実施形態では、ＢＳの最大データレート指示レベルの個数は、値＝２Ａとなるように選択され、ここで、Ａは正整数であり、ＷＴによってサポートされるデータレートのレベルの個数は値＝２Ｂとなるように選択され、ここで、Ｂもまた整数であり、かつ、２Ａ≦２Ｂである。他の実施形態では、ＢＳの最大データレート指示レベルの個数２Ａは、ＷＴによってサポートされているデータレートのレベルの個数２Ｂ未満であり、この場合には、Ａ＜Ｂである。
【００７７】
第５図は、アップリンクのシグナリングの際に通信されるべきデータ／情報と並行して使用される無線端末のアップリンクデータレートの選択を伝達するため使用される本発明の特徴を説明する。他の幾つかの実施形態では、アップリンクの使用中のデータレートは送信済みデータとは別個に通信され、又は、アップリンクの使用中のデータレートは、レートを基地局へ明示的に通信することなく、基地局によって決定される。本発明の１つの特徴によれば、少なくとも１つの例示的な実施形態において、追加のエネルギーはアップリンク信号の一部に配置され、追加のエネルギーのロケーションは、複数の可能なデータレートの中から使用されるデータレートを決定するために使用される。第５図中の図５００及び５５０は、水平軸５０４上のドウェル内のＯＦＤＭシンボルインデックスに表現された時間に対する垂直軸５０２上のエネルギーレベルの例示的なアップリンクトーンのプロットである。本実施例では、ドウェル５０６は、７個の連続的なＯＦＤＭシンボル期間を含み、アップリンクトーンは１ドウェル毎に無線端末に割り当てられ、ドウェル中に周波数ホッピングされていない。信号の公称エネルギーレベルはレベル５０８として表現され、通常のエネルギーレベルより高いレベルはエネルギーレベル５１０によって表現されている。エネルギーレベルの差分５１２は、２ｄＢというデルタで表されている。幾つかの実施形態では、電力差はより大きい。幾つかの実施形態では、電力差は各データレートレベルについてｄＢに関しては同じであるが、最低のデータレートレベルの要件を満たすことに基づいて決定されている。さらに他の幾つかの実施形態では、電力差はデータレートレベルに応じて決まる。
【００７８】
表５８０は、第１列５８２でより高いエネルギートーン信号のドゥエル内での位置を特定し、第２列５８４は、例示的なトーンに対するドウェルのためにＷＴによって使用されている対応するデータレートレベルを特定する。より高いエネルギーがドウェル５０６内の位置１  ５１４の信号に配置されている図５００は、最低のデータレートであるデータレート０が伝達されているアップリンク信号のため使用されていることを示している。より高いエネルギーがドウェル５０６内の位置２  ５５２の信号に配置されている図５５０は、データレート１が伝達されているアップリンク信号のため使用されていることを示している。
【００７９】
第６図は無線通信システムにおけるアップリンクのトラヒックチャネルの例示的なセグメントを説明する図６００である。第６図の例では、アップリンクのタイミング構造は、アップリンクのトラヒックチャネルのセグメントのために使用されるアップリンクのエアーリンクのリソースを７６個の別個のセグメントに分割し、これらの別個のセグメントの部分集合が第６図に示され、７６個のセグメントが長期に亘って繰り返している。アップリンクのトラヒックチャネルの例示的なセグメント０−１４及び１７が、セグメント１５−１６、１８−１９、７１、７３−７４及び７６の一部分と共に表示されている。７６個の各セグメントは、１個以上のシンボル伝送期間のための７７個の可能なトーンのうちの１個以上のトーンを含む。論理アップリンクトーン（０，．．．，７６）は垂直軸６０２に示され、アップリンクのタイミング構造内のドウェルインデックス（０，．．．，２７）が水平軸６０４に示されている。各論理トーンは実際の物理トーンに対応する。例えば、長期に亘って同じ物理トーンに対応する各論理トーンのように、論理トーンと物理トーンとの関係は一定にすることができ、又は、例えば、物理トーンを論理トーンに割り当てるために使用される所定のトーンホッピング系列に従って可変とすることもできる。アップリンクタイミング構造内の異なるセグメントは異なる形状を有し、例えば、アップリンクのトラヒックチャネルのセグメント０のように、より短い期間内に、より多数のトーンが存在し、或いは、アップリンクのトラヒックチャネルのセグメント５のように、より長い期間内に、より少数のトーンが存在する。
【００８０】
基地局のスケジューラは、アップリンクのトラヒックチャネルのセグメントをＷＴに割り当てる。基地局は、無線端末に割り当てられるセグメントと個数を決定する。セグメントの間隔中のセグメント内の論理トーンは無線端末に割り当てられるが、幾つかの実施形態では、ドウェル境界上でのトーンホッピングに起因して、無線端末によって使用される物理トーンはセグメント内のドウェルとドウェルの間で変化することがある。ドウェルは、物理トーンと論理トーンとの間のマッピングが固定されたまま保たれる一定数のシンボル伝送期間を含んでもよい。多数の無線通信システムにおいて、アップリンクのトラヒックチャネルの各セグメントのデータ／情報は、典型的に、セグメント全体を通じて使用される符号化レートで符号化され、セグメントのため使用される変調方式は同じである。したがって、アップリンクデータレートの情報は、アップリンクのトラヒックチャネルのセグメント毎に通信されることが可能である。
【００８１】
本発明によれば、基地局は、最大のアップリンクデータレートのインディケータを選択し通信し、各最大のアップリンクデータレートのインディケータは、割り当てられた１個又は複数のアップリンクのセグメントのために無線端末によって使用されうる最大のアップリンクデータレートを指定する。無線端末は、最大のアップリンクデータレートのインディケータを受信し、固有の規準及び現在情報を使用して、アップリンクのトラヒックチャネルのセグメントのため利用すべきアップリンクデータレート、すなわち、ＷＴのアップリンクの選択され利用されたデータレートを選択し、上記ＷＴの選択されたアップリンクデータレートはＢＳの最大のアップリンクデータレートのインディケータによって指定された最大のアップリンクデータレート以下である。ＷＴが選択したアップリンクデータレートは符号化レート及び／又は変調方式と対応する。
【００８２】
第７図は、アップリンクのトラヒックのセグメントのために無線端末で利用可能な典型的なデータレートの選択肢を説明する表７００である。第１行７０２は表の各列に含まれている情報を記載する。第１列７１２は利用可能なデータレートの選択肢の一覧（０，１，２，３）を表す。第２行７０４はデータレート０の選択肢の情報を含み、第３行７０６はデータレート１の選択肢の情報を含み、第４行７０８はデータレート２の選択肢の情報を含み、第５行７１０はデータレート３の選択肢の情報を含む。第２列７１４はフレーム数の一覧（１，２，３，５）を表す。第３列７１６は情報ビット数の一覧（２２４，４３２，６４０，１０５６）を表す。第４列７１８は符号語長１３４４の一覧を表す。第６列７２０は概算の符号化レートの一覧（１／６，１／３，１／２，５／６）を表す。第７列７２２は使用される変調コンステレーションの一覧（ＱＰＳＫ，ＱＰＳＫ，ＱＰＳＫ，ＱＰＳＫ）を表す。第８列７２４は１トーン当たりの相対送信電力オフセット値の一覧（０ｄＢ，７３／３２ｄＢ，１２９／３２ｄＢ，２４７／３２ｄＢ）を表す。
【００８３】
第７図の例では、使用されるデータレートが増加すると、無線端末によって利用される電力が増加し、よって、システム内の、例えば、同じトーンの組を使用する隣接セル及び／又はセクターにおいて、他のＷＴに関してＷＴによって生成される干渉レベルもまた増加する場合がある。基地局は、指示された最大のデータレートレベルを無線端末に指示し、これにより、ＷＴによるアップリンクのレート選択肢の選択を制限することにより、システム全体の干渉レベルを制御することがある。無線端末は、基地局によって許可された許容最大値より低いデータレートを選択することにより自分のバッテリーリソースを浪費しないようにすることを決定することがある。
【００８４】
第８図は、本発明による、アップリンクのトラヒックの例示的なセグメントと、セグメントのため使用されたアップリンクデータレートを伝達するドウェル内でトーンシンボル上の部分集合上の追加のエネルギーの集中とを説明する図８００である。第８図は、水平軸８０４上の時間（セグメント内のＯＦＤＭシンボルインデックス）に対し垂直軸８０２上のアップリンクのトラヒックチャネルの例示的なセグメント０における論理トーンインデックスをプロットしている。典型的なセグメントは、さらに４個のドウェル（ドウェル１  ８０６，ドウェル２  ８０８，ドウェル３  ８１０，  ドウェル４  ８１２）に分割され、各ドウェルは７個の連続したＯＦＤＭシンボル期間を含む。グリッド８００によって示されているアップリンクのトラヒックの例示的なセグメントは、第６図のトラヒックのセグメント０を表すことができる。幾つかの実施形態では、アップリンクのトラヒックチャネルのセグメントは、１セグメント当たりに４個のドウェルではなく、様々な個数のドウェル、例えば、８個又は１６個のドウェルを含む。このような実施形態では、４個のドウェルのセグメントの実施形態に関して記載された方法は、これらのその他の実施形態へ拡張されることが可能である。セグメントの基本単位は、小さな正方形によって表現されたトーンシンボルであり、各トーンシンボルは１個のＯＦＤＭシンボル期間の間隔中に１個のトーンを占める。変調シンボルはセグメントの各トーンシンボル上で伝達されうる。
【００８５】
本発明によれば、追加のエネルギーがセグメント内の信号の部分集合に集中しているロケーションのパターンは、アップリンクのトラヒックチャネルのセグメントの送信のためにＷＴによって使用されるアップリンクデータレートを特定する。例えば、第７図に示されているような、様々なデータレートがＷＴによって使用されうる。第８図の典型的な実施形態では、各ドウェルの最初のＯＦＤＭシンボル期間は、例えば、他のトーン上で通信された信号全体に亘る電力差を表現する追加のエネルギーの集中を有する１個のトーンを伝達するために使用される。
【００８６】
凡例８１４は、斜行平行線で陰影付けされたタイプ８１６のトーンシンボルがＷＴの選択されたデータレート０に対応するパターンの一部分であり、水平線で陰影付けされたタイプ８１８のトーンシンボルがＷＴの選択されたデータレート２に対応することを示している。
【００８７】
第８図は、同じグリッド８００上の異なるＷＴのアップリンクの選択されたデータレートの２つの典型的な事例を示している。ＷＴがデータレート０を使用することを選択し、追加のエネルギーがトーンシンボルに対応する信号に配置され：（トーン０，ＯＦＤＭシンボルインデックス１）、（トーン７，ＯＦＤＭシンボルインデックス８）、（トーン１４，ＯＦＤＭシンボルインデックス１５）、（トーン２１，ＯＦＤＭシンボルインデックス２２）、セグメント中の他のトーンシンボルが公称エネルギーレベルで信号を伝達する場合を考える。次に、ＷＴがデータレート２を使用することを選択し、追加のエネルギーがトーンシンボルに対応する信号に配置され：（トーン２，ＯＦＤＭシンボルインデックス１）、（トーン９，ＯＦＤＭシンボルインデックス８）、（トーン１６，ＯＦＤＭシンボルインデックス１５）、（トーン２３，ＯＦＤＭシンボルインデックス２２）、セグメント中の他のトーンシンボルが公称エネルギーレベルで信号を伝達する場合を考える。その他の典型的なデータレート、例えば、データレート１及びデータレート３は異なるパターンによって指定されうる。幾つかの実施形態では、各パターンはグリッド内の同じスロープを表現するが、異なるオフセットを伴う。幾つかの実施形態では、異なるパターンは、異なるスロープによって表現されうる、及び／又は、グリッド内の異なるオフセットを含む。
【００８８】
追加のエネルギーを配置するため、各ドウェル内の同じシンボルタイミング位置、例えば、各ドウェル内の第１の位置でトーンシンボルを選択することにより、アップリンクのセグメントの各ドウェル内の各ＯＦＤＭシンボル期間に使用されるエネルギーは、ドウェル内の位置が使用レートを決定する第５図のアプローチが使用された場合のように使用されるデータレートの関数として変化しない。
【００８９】
第８図の実施例では、無線端末は、アップリンクのトラヒックチャネルの各セグメントのため、各ドウェルの最初の各ＯＦＤＭシンボル期間中に、少量の追加のエネルギーを１個のトーンに集中させることを期待できる。ドウェルの残りのＯＦＤＭシンボル期間中、エネルギーレベルは公称レベルである。
【００９０】
その上、基地局は、追加のエネルギーがアップリンクのトラヒックチャネルのセグメントの各ドゥエルの最初の各ＯＦＤＭシンボルインデックスの１つのトーンに集中させられることを知っている。これは無線端末により利用され、アップリンクのトラックのセグメント信号で符号化されるアップリンクの伝送データレートの基地局による復元を簡略化する。
【００９１】
ＱＰＳＫを使用して１変調シンボル当たりに２個の符号化ビットを伝達し、６７２個の変調シンボルに対応する第７図の例の符号語長が１３４４ビットである場合がある。第８図の典型的なセグメントは、７８４個の変調シンボルを伝達可能である７８４個のトーンシンボルを含む。幾つかの実施形態では、セグメントの幾つかのトーンシンボルは、基準に基づく変調をサポートするために、基準変調シンボルのために予約されている。例えば、１個のトーンシンボル、例えば、ドウェル毎にセグメントの各トーンのための４番目のＯＦＤＭトーンシンボルが、例えば、複素値（１，１）を伝達する基準変調シンボルのために予約されることが可能である。セグメントのドウェル毎の各トーンのためのその他の６個のトーンシンボルは、セグメント内の追加のエネルギーのパターンによって伝達された選択レートに応じて、ブロック符号化された情報のビットを伝達するために使用され、レートは符号化レート及び／又は変調方式に対応している。
【００９２】
第１６図は、本発明に従って、情報ビットを伝達する変調シンボルを伝達するため使用されるトーンシンボル、及び、基準変調シンボルを伝達するため使用されるトーンシンボルを含む典型的なアップリンクトラヒックセグメントと、セグメントのため使用されるアップリンクデータレートを伝達するための追加のエネルギーのドウェル内のトーンシンボル上の部分集合への集中とを説明する図１６００である。第１６図は、水平軸１６０４上の時間（セグメント内のＯＦＤＭシンボルインデックス）に対し、垂直軸１６０２上のアップリンクのトラヒックチャネルの例示的なセグメント０内の論理トーンインデックスをプロットする。典型的なセグメントは、さらに、４個のドウェル（ドウェル１  １６０６，ドウェル２  １６０８，ドウェル３  １６１０，ドウェル４  １６１２）に分割され、各ドウェルが７個の連続したＯＦＤＭシンボル期間を含む。グリッド１６００によって表現されたアップリンクのトラヒックの例示的なセグメントは第６図のトラヒックセグメント０を表現してもよい。幾つかの実施形態では、アップリンクのトラヒックチャネルのセグメントは、１セグメント当たりに４個のドウェルの代わりに、様々な個数のドウェル、例えば、８個のドウェルを含む。このような実施形態では、４個のドウェルのセグメントの実施形態に関して記述された方法はこれらのその他の実施形態に拡張されることが可能である。セグメントの基本単位は、小さな正方形によって表現されたトーンシンボルであり、各トーンシンボルは１個のＯＦＤＭシンボル期間の間隔中に１個のトーンを占める。変調シンボルはセグメントの各トーンシンボル上で伝達されうる。
【００９３】
本発明によれば、追加のエネルギーがセグメント内の信号の部分集合上に集中されているロケーションのパターンは、アップリンクのトラヒックチャネルのセグメントの伝送のためＷＴによって使用されるアップリンクデータレートを特定する。例えば、第７図に示されているような様々なデータレートは、ＷＴによって使用されうる。第１６図の典型的な実施形態では、各ドウェルの最初のＯＦＤＭシンボル期間は、例えば、他のトーン上で通信された信号に亘る電力差を表現する追加のエネルギーが集中した１個のトーンを伝達するために使用される。
【００９４】
凡例１６１４は、斜行平行線で陰影付けされたタイプ１６１６のトーンシンボルがＷＴが選択したデータレート０に対応する追加のエネルギーをもつ変調シンボルのパターンの一部分であり、情報ビットがデータレート０を使用するタイプ１６１６のトーンシンボルで伝達されることを示し、データレート０は符号化レート及び／又は変調方式を指定する。凡例１６１４は、データレート０で情報ビットを伝達する通常のエネルギーレベルの変調シンボルが陰影無しで示されているようなタイプ１６１８のトーンシンボルで伝達されることをさらに示している。その上、凡例１６１４は、タイプ１６１９のトーンシンボルが基準変調シンボルを伝達するために使用されることを示している。
【００９５】
第１６図の例では、データレート０は、ＱＰＳＫ変調方式及び約１／６の符号化レートを指定する第７図のデータレート０に対応することが仮定されている。データレート０は、１セグメント当たりに１フレーム、又は、１セグメント当たりに２２４個の情報ビット、又は、ブロック符号化された情報を伝達するために使用される６７２個の変調シンボル当たりに２２４個の情報ビット、又は、７８４個の変調シンボル当たりに２２４個の情報ビットとして表現されえる。本実施例では、タイプ１６１６及びタイプ１６１８のトーンシンボルの組み合わせからなる６７２個のトーンシンボルは、ＱＰＳＫ変調シンボル毎に２個の符号化ビット及び１トーンシンボル当たりに１個のＱＰＳＫ変調シンボルを用いて、２２４個の情報ビットを伝達する符号語の１３４４個の符号化ビットを伝達するために使用される。セグメントの残りの１１２個のトーンシンボルはタイプ１６１９であり、それぞれが基準ＱＰＳＫ変調シンボル、例えば、複素値（１，１）を伝達する。
【００９６】
第９図は、本発明に従って基地局を作動させる典型的な方法のフローチャート９００である。動作はステップ９０２で開始し、基地局が給電され初期化される。基地局は所定の周波数及びタイミングの構造を使用して作動することができる。ＢＳは、基地局をネットワークへの接続ポイントとして使用できるＷＴを登録することができる。動作はステップ９０２からステップ９０４、９０６、９０８、９１０及び９１２へ進行する。
【００９７】
ステップ９０４において、基地局は、ＷＴ９１４からのアップリンクのリソース要求を監視し受信する。監視及び受信プロセスは、継続的に反復する形で実行されうる。幾つかの実施形態では、ＷＴは、反復的なタイミングの構造内でアップリンクリソースの要求、例えば、アップリンクのトラヒックチャネルのセグメントの要求を送信することが特定回数許可される。
【００９８】
ステップ９０６において、基地局は、ＷＴ、例えば、要求発行中のＷＴに対してアップリンクのトラヒックチャネルのセグメントをスケジュールする。ステップ９０６は、データを基地局へ通信する際に使用される無線端末に対して、基地局がアップリンクのトラヒックチャネルの少なくとも幾つかのセグメントを、割り当てるために作動されることを含み、アップリンクのトラヒックチャネルの上記セグメントはアップリンク信号を基地局へ通信するためだけに用いられる無線通信チャネルのセグメントである。ステップ９０６はサブステップ９１６及び９１８を含む。サブステップ９１６において、基地局は、サブステップ９１６で送信すべきデータを有するＷＴ毎に、無線端末が送信するデータ量の推定を実行する。その後、サブステップ９１８において、基地局は、ＷＴへのアップリンクのトラヒックチャネルのセグメントの個数の予定を立て、割り当てるセグメントの個数はサブステップ９１６からの推定データの推定量に応じて決まる。動作はステップ９０６からステップ９２０へ進む。
【００９９】
ステップ９２０において、基地局は、アップリンクのトラヒックチャネルのセグメント毎に、無線端末が使用すべき最大のアップリンクデータ伝送レートを選択するために作動され、最大のアップリンクデータ伝送レートは複数の可能な伝送データレートのうちの１つである。基地局による選択は、無線通信チャネルの品質、選択された最大のアップリンクデータ伝送レートがＷＴによって使用されるときにＷＴからの伝送によって引き起こされるＷＴが他のＷＴへ生成する干渉推定量、及び／又は、スケジューラによってＷＴに割り当てられたアップリンクのトラヒックチャネルの１個以上のセグメントに関するＷＴのための最大のアップリンクデータレートを選択する際に受信された電力情報を含む情報を使用できる。ステップ９２０において、最大アップリンクデータレートインディケータは、ＷＴがアップリンクのトラヒックチャネルの上記の少なくとも幾つかのセグメントのため使用することを許可されている最大のアップリンクデータレートを伝達するために選択される。幾つかの実施形態では、選択された最大のアップリンクデータ伝送レートは、基地局によって選択され指定されうる複数の可能なアップリンクデータ伝送レートのうちの１つである。全部ではない幾つかの実施形態では、指定されうる個数は、アップリンク信号の送信のために無線端末によって選択され使用されうるアップリンクデータレートの個数未満である。種々の実施形態では、最大のアップリンクデータレートのインディケータは、無線端末によって選択され使用されうるアップリンクデータ伝送レートの完全集合を一意に指定するために必要とされるビット数より少ない最大ビット数を最大限含む。例えば、最大のアップリンクデータ伝送レートの可能な数は、２ビットによって表現されうる４であってよく、無線端末がサポートするアップリンクデータレートの個数は、各レートを一意に特定するために３ビットを要求する８であってよい。動作はステップ９２０から９２２へ進む。ステップ９２２において、基地局は、この時点でアップリンクのトラヒックチャネルのセグメントが割り当てられている各ＷＴに、アップリンクのトラヒックチャネルの割り当て情報及び最大データレートインディケータ９２６を送信するために作動される。動作は、ステップ９２２から、結合ノードＡ９２８を介して、追加的なスケジューリングのためのステップ９０６へ進む。スケジューリングは、基地局によって使用されている所定の反復的なタイミングの構造に従って実行されてもよい。
【０１００】
ステップ９０８において、基地局はＷＴからチャネル品質レポート９３０を監視し受信するために作動される。その後に、ステップ９３２において、基地局は、１個以上の異なるアップリンクデータレート、例えば、最大のアップリンクデータ伝送レートとして選択することが考慮されうる伝送データレートが無線端末によって使用されるならば、ＷＴのアップリンク伝送が他のＷＴに引き起こす干渉量を推定する。これは、ＷＴが着目中のアップリンク伝送レートをサポートするために使用する可能性が高い送信電力を考慮することによって行われる。送信電力は、特定の符号化レート、変調方式及びチャネル条件の組が与えられた場合にWTによって使用される電力レベルに関して、ＢＳで得られる知識から予測可能である。ステップ９０８のチャネル品質情報及びステップ９３２の干渉推定情報がステップ９２０で使用される。動作はステップ９３２からステップ９０８へ戻り、追加的なチャネル品質レポートが受信される。幾つかの実施形態では、接続されているＷＴからのチャネル品質レポートは、基地局のアップリンクのタイミングの構造内で所定の時間に送信される。
【０１０１】
ステップ９１０において、基地局は、電力指示メッセージ９３４、例えば、ＷＴ電力バックオフメッセージ及び／又はバッテリー電力メッセージを監視し受信するために作動される。ステップ９１０の監視動作は、継続的な形でで継続する。幾つかの実施形態では、特定のアップリンクの制御チャネルのセグメントは、アップリンクのタイミングの構造内で、バッテリー指示メッセージのために予約されている。幾つかの実施形態では、バッテリー指示メッセージが送信されるのは、バッテリー電力が低く、ＢＳがこの事実を認識すること、並びに、命令及び／又はＷＴの許可された送信電力レベルを低下させることをＷＴが望む場合である。ステップ９１０で取得された電力情報は、ステップ９２０で利用される。
【０１０２】
ステップ９１２において、基地局は、ユーザデータ／情報及びデータレート情報を含むアップリンクのトラヒックチャネルのセグメントのデータ／情報９３６を監視し、ＷＴから受信するために作動される。動作はステップ９１２からステップ９３８へ進行する。ステップ９３８において、基地局はＷＴによって使用されるアップリンクデータ伝送レートを決定するために作動される。これは複数の方法で行われることができる。全部ではないが幾つかの実施形態において、この決定は、ユーザデータ／情報を伝達するアップリンクのトラヒックチャネルの同じセグメントに含まれている受信信号から行われる。第８図に示されているような幾つかの実施形態では、アップリンクデータレートの情報は、データを通信するため使用される所定の１個以上の信号、例えば、トーンの部分集合上で上記データを通信するため使用されるエネルギーを超える追加のエネルギーのロケーションによって指示される。アップリンクのレートを通信するため使用されるトーンの部分集合は、幾つかの事例では、データを通信するため使用されるトーンの部分集合と同じである。レート情報を通信するため使用される１個以上の信号は、直交周波数分割多重信号のトーンでもよい。幾つかの実施形態では、アップリンクの使用中のレートを指定するため使用される追加のエネルギーの量はＷＴによって選択されたデータレートに応じて決まる。トーンに配置された追加のエネルギーは、実際の選択されたデータレートの関数であるかどうかとは無関係に、ＷＴによって選択されうる最低のデータレートの関数でありうる。上記の追加のエネルギーが、使用された最低のデータレートの関数であるような特定の例示的な一実施形態では、上記の追加のエネルギーは、データを最低のデータレートで送信するため使用されるエネルギーを少なくとも２ｄＢ上回る。各データレートは、１伝送単位、例えば、１シンボル又は１セグメント当たりに伝達されるデータ／情報ビットの個数を特定する。よって、データレートは、１シンボル当たりのデータ／情報ビット、又は、１セグメント当たりに伝達されるデータ／情報ビットの個数として表現されてもよい。１セグメント当たりに伝達されるデータ／情報ビットは、あるいは１セグメント当たりに伝達されるデータ／情報フレームの個数として表現されてもよく、ここで、データ／情報フレームには一定個数のデータ／情報ビットが存在する。符号化及び／又は変調は所与のアップリンク単位を使用して伝達される実際の情報／データビットの個数に影響を与えるので、データレートはシグナリングのため使用される符号化レート及び／又は変調方式に対応することになる。動作はステップ９３８からステップ９４０へ進む。ステップ９４０において、基地局は、アップリンクのトラヒックチャネルの信号で伝達されたユーザデータ／情報を復元するために、決定されたアップリンクデータ伝送レートを使用するために作動される。動作はステップ９４０からステップ９１２へ進む。基地局は、例えば、アップリンクのタイミングの構造内のアップリンクのトラヒックチャネルの様々なセグメントに対応するステップ（９１２，９３８，９４０）の複数の動作を並行して実行してもよい。
【０１０３】
第１０図は、本発明に従って、無線端末、例えば、移動ノードを作動させる例示的な方法のフローチャート１０００である。無線端末は無線通信チャネルを介して上記無線端末と相互作用する少なくとも１個の基地局を含む無線通信システム内にあってもよい。動作はステップ１００２で開始し、無線端末は電源投入され初期化される。無線端末は、基地局、例えば、ＷＴが現在位置している無線カバレージエリアに対応する基地局に登録してもよく、ネットワークへの自分の接続ポイントとしてこの基地局を使用してもよい。動作は、ステップ１００２からステップ１００４、１００６、１００８、１０１０及び１０１２へ進む。
【０１０４】
ステップ１００４において、無線端末は、アップリンクのシグナリングのためのユーザデータ／情報１０１４を監視し受信するために作動される。ユーザデータ／入力１０１４は、マイクロホン、キーボード、キーパッド、カメラなどのようなユーザＩ／Ｏ機器を介して入力されたユーザ入力に対応するデータ／情報、例えば、音声、テキスト、ビデオなどである。ステップ１００４のデータ／情報１０１４の入力、受信、及び、受信されたデータ／情報の蓄積のためのユーザＩ／Ｏ機器の監視は継続的な形で実行される。
【０１０５】
ステップ１００６において、無線端末は、無線端末におけるデータ信号の送信のため使用できる利用可能な送信電力を追跡するために作動される。利用可能な電力の追跡は、基地局から受信された１個以上の電力制御信号の命令の下で、例えば、制御信号といった信号の組の送信のためだけに用いられた後に残っている電力量の判定を含みうる。電力追跡は、幾つかの実施形態では、バッテリーの現在のエネルギーレベルの測定、所定のベンチマークレベルに関するバッテリー状態、残存エネルギーレベルの推定、及び、種々の条件下での動作時間の推定をさらに含むことが可能である。バッテリー電力の追跡は、例えば、使用中の減少、及び／又は、バッテリー充電中の増加といったエネルギーレベルの変化の量及び／又はレートの測定及び／又は推定をさらに含む。ステップ１００６において、無線端末は、無線端末が自分の固有のバッテリーの予備電力で現在動作中であるか、又は、外部電源、例えば、車の電気システムで動作中であるかどうかをさらに判定してもよい。ステップ１００６の電力追跡は継続的な形で実行される。
【０１０６】
動作はステップ１００６からステップ１０１８へ進む。ステップ１０１８において、無線端末は、電力指示メッセージ１０２０、例えば、バックオフメッセージ及び／又はバッテリー電力メッセージを基地局へ送信する。このメッセージは、基地局から受信された電力制御コマンドに応答して電力が割り付けられる信号の組、例えば、所定の制御信号の組以外の信号を送信するため利用可能な電力量を指示する。このメッセージは、無線端末に残っているバッテリー電力量を指示することも可能である。幾つかの実施形態では、電力指示メッセージ１０２０は、アップリンク信号の送信を制御するために使用されるアップリンクの反復的なタイミング構造に従ってＷＴによって周期的に送信されてもよい。しかし、幾つかのケースでは、信号の送信が任意に決定されてもよく、電力レポート専用にされたアップリンクスロットを使用しなくてもよい。幾つかの実施形態では、現在の基地局が命令したＷＴの送信電力レベル及び／又は最大伝送データレートインディケータレベルは、インディケータメッセージ１０２０内でバッテリーの電力情報を送信するかどうかを決定する際にＷＴによって考慮される。
【０１０７】
ステップ１００８において、無線端末は、データ／情報、例えば、アップリンクのトラヒックチャネル上で送信されるべきビット及び／又はフレームの量を追跡及び／又は更新するために作動される。送信されるべきアップリンクのデータ／情報の量の現在値が変化するのは、新しいデータ／情報がＩ／Ｏ機器を用いて受信されるとき、データ／情報が送信の過程にあるとき、データ／情報の送信が成功したとき、データ／情報の送信に失敗したと判定され、再送信を必要とするとき、及び、バッファーされた送信されるべきデータ／情報がタイムバリディティウィンドウの満了に起因して取りこぼされるときである。ステップ１００８の追跡オペレーションは継続的な形で実行される。オペレーションはステップ１００８からステップ１０２２へ進む。
【０１０８】
ステップ１０２２において、無線端末は、現時点でアップリンクのトラヒックチャネル上で送信されるべきフレームが存在するかどうかを検査する。送信されるべきフレームは存在しないと判定されたならば、ステップ１０２２の検査は、例えば、タイミング構造内におけるこのような要求のための次の機会の前にアップリンクのリソース要求メッセージを生成するために十分な時間を与えるように、タイミング構造内の次の指定された時点で再び実行される。送信されるべきフレームが存在すると判定されたならば、動作はステップ１０２２からステップ１０２４へ進み、ＷＴがアップリンクのトラヒックチャネルのリソースの要求１０２６をＢＳへ送信する。その後に、ステップ１０２８において、無線端末は、基地局から送信されたアップリンクのトラヒックチャネルのセグメントの割り当て情報１０３０及び最大アップリンクデータレートインディケータ１３０２を監視し受信するために作動される。最大アップリンクデータレートインディケータは、無線端末が少なくとも１個のアップリンクのセグメントのため使用することを許可されている最大のアップリンクデータ伝送レートを指示する。受信されたアップリンクのトラヒックチャネルの割り当て情報１０３０は、アップリンク信号を通信する際に使用するため上記ＢＳによって上記ＷＴへ割り当てられた少なくとも１個のアップリンクのセグメントを指示し、上記の最大アップリンクデータレートインディケータは、上記ＷＴに割り当てられた上記少なくとも１個のアップリンクのセグメントで使用されうる最大のアップリンクデータ伝送レートを指示する。幾つかの実施形態では、最大アップリンクデータレートインディケータは、アップリンク信号を送信するため無線端末によって選択されうる複数の可能なアップリンクデータ伝送レートを一意に特定するために必要とされるビット数未満であるビット数を最大限含む。一般にアップリンクのトラヒックチャネルの有限個数のセグメントを競い合う複数のＷＴが存在するので、ＷＴはアップリンクのトラヒックチャネルの次のセグメントの割り当ての組で要求された割り当てを受信しないかもしれない。幾つかの実施形態では、無線端末は、要求が直ちに許可されないならば、例えば、要求を再発行する前に多数の割り当て機会を待つ。幾つかの実施形態では、無線端末は、要求が直ちに許可されないならば、要求を再発行すべきである。幾つかの実施形態では、別個のメッセージが割り当て情報及び最大アップリンクインディケータ情報を伝達する基地局によって使用される。幾つかの実施形態では、アップリンクのトラヒックチャネルの割り当て情報と最大データレートインディケータ情報の両方が同じメッセージの中にある。幾つかの実施形態では、ステップ１０２２、１０２４及び／又は１０２８の動作は、基地局によって使用されるタイミング構造に関して特定の時点で実行されてもよい。動作はステップ１０２８からステップ１０３４と、結合ノードＡ  １０３６を介してステップ１０２２とに進む。
【０１０９】
ステップ１０３４において、基地局によって、最大アップリンクインディケータと共にアップリンクのトラヒックチャネルの１個又は複数のセグメントが割り当てられた無線端末は、アップリンクのトラヒックチャネルの１個又は複数のセグメントのために使用するアップリンクの伝送レートを選択する。種々の実施形態では、無線端末は、最大データレートインディケータ、基地局へ送信されるべきデータ量、送信されるべきデータの重要度、電力情報、チャネル品質条件、及び／又は、検出されたチャネル条件の変化に応じて、この選択を実行する。ステップ１０３４においてＷＴによって選択された使用すべきアップリンクデータ伝送レートは、受信された最大アップリンクデータレートインディケータによって指示されるデータレート以下の値である。動作はステップ１０３４からステップ１０３８へ進む。
【０１１０】
ＷＴが選択されたアップリンクデータレートを基地局へ明示的に信号で知らせる実施形態で行われるステップ１０３８において、無線端末は、例えば、アップリンクのトラヒックチャネルのセグメントで送信されるべきデータ／情報と共に、選択されたアップリンクデータ伝送レートを符号化するために作動される。幾つかの実施形態では、ＷＴが選択し利用したアップリンクデータレートは、データを通信するために使用される信号のうちデータを通信するため使用されるアップリンクデータレートに対応する所定の部分集合に、データを通信するため使用されるエネルギーを超える追加のエネルギーを配置することによって指示される。幾つかの実施形態では、上記の追加のエネルギーは無線端末によって選択されたアップリンクデータレートに応じて決まる。幾つかの実施形態では、上記の追加のエネルギーは最低のデータレートの関数である。幾つかの実施形態では、追加のエネルギーはデータを送信するため使用されるエネルギーを少なくとも２ｄＢ超える。動作はステップ１０３８からステップ１０４０へ進む。データレートは、幾つかの実施形態では、選択されたアップリンクデータレートを使用して通信されるべきデータ／情報とは別個に送信される信号を使用して通信される。
【０１１１】
ステップ１０４０において、無線端末は、ユーザデータ／情報及び選択されたアップリンクデータ伝送レートを含むアップリンクのトラヒックチャネルのセグメントの信号１０４２を、例えば、反復的なタイミング構造内でアップリンクのトラヒックのセグメントの位置に関して指定された時点で送信するために作動される。ステップ１０４２の送信された信号に対応するＡｃｋ／Ｎａｋは、送信されるべきデータ量を更新するためにステップ１００８の追跡動作によって使用される。
【０１１２】
ステップ１０１０において、無線端末は、アップリンクのトラヒックチャネルのセグメント上で送信されるべきデータ／情報の重要度を判定及び／又は更新するために作動される。例えば、送信されるべきアップリンクのユーザデータの異なる部分は、例えば、優先度、アプリケーション、送信緊急度などに関して異なる重要度レベルを有する。異なるアプリケーション及び／又はピアは、例えば、充電モデル、ユーザ嗜好、及び／又は、所定の取り決めに基づいて優先順位を付けられうる。例えば、プッシュ・ツー・トーク機能、音声通話、ビデオストリーム、スチルビデオ画像、テキストデータなどのような様々なアプリケーションは、異なる伝送レイテンシ−の要件を有してもよい。アップリンクデータの競合部分間の相対的な重要度レベルは、新しいアップリンクのユーザデータ／情報が受信されるときに変化しうる。アップリンクのデータの一部分に関連した重要度レベルは時間の関数として変化しうる。例えば、データの一部分は、ある特定のレイテンシ−の制約を有するボイスオーバーインターネットプロトコル（ＶｏＩＰ）呼のための情報を表現するので、時間が経過するに従って、バッファーされたＶｏＩＰデータの送信および、許容可能な送信用のウィンドウが短くなり始めることなしに、この一部分の重要度レベルが上昇しうる。ステップ１０１０の動作は継続的な形で実行される。ステップ１０１０の判定は、最初に送信するデータの部分を決定し、ステップ１０３４で使用するアップリンクデータ伝送レートを選択する際に、ＷＴによって使用される。
【０１１３】
ステップ１０１２において、無線端末は、基地局と無線端末との間の通信チャネルのチャネル品質条件を監視し判定するために作動される。ステップ１０１２はサブステップ１０４４及び１０４６を含む。サブステップ１０４４において、無線端末はチャネル条件の変化を監視し検出するため作動される。ステップ１０４６において、無線端末は、チャネル品質レポート１０４８を生成し、基地局へ送信するために作動される。一般に、チャネル条件の変化の情報は、基地局へのチャネル品質のフィードバックレポートよりも頻繁に更新され、より多くの情報を含み、アップリンクデータレートの選択ステップ１０３４で使用される現在の、かつ、妥当な情報を無線端末に提供する。
【０１１４】
第１１図は、本発明による、アップリンクのトラヒックのセグメントのために例示的な無線端末で利用可能な例示的なデータレート選択肢の別の例、及び、対応する最大アップリンクデータレートインディケータの実施例である。第１１図は、アップリンクのトラヒックセグメントのために無線端末で利用可能な例示的なデータレート選択肢を説明する表１１００を含む。表１１００は、WTのアップリンクデータレートが、一実施形態では、使用される符号化レートと使用される変調方式の両方の関数であることを示している。第１行１１０２は、表の各列に収容されている情報を説明している。第１列１１２０は利用可能なデータレート選択肢の一覧（０，１，２，３，４，５，６，７）を表す。第２行１１０４はデータレート０の選択肢の情報を含み、第３行１１０６はデータレート１の選択肢の情報を含み、第４行１１０８はデータレート２の選択肢の情報を含み、第５行１１１０はデータレート３の選択肢の情報を含み、第６行１１１２はデータレート４選択肢の情報を含み、第７行１１１４はデータレート５の選択肢の情報を含み、第８行１１１６はデータレート６の選択肢の情報を含み、第９行１１１８はデータレート７の選択肢の情報を含む。第２列１１２４はフレーム数の一覧（１，２，３，４，５，６，８，１０）を表す。第３列１１２６は情報ビット数の一覧（２２４，４３２，６４０，８４８，１０５６，１２６４，１６８０，２０９６）を表す。第４列１１２８は符号語長の一覧（１３４４，１３４４，１３４４，１３４４，２６８８，２６８８，２６８８，２６８８）を表す。第６列１１３０は概算の符号化レートの一覧（１／６，１／３，１／２，２／３，５／１２，１／２，２／３，３／４）を表す。第７列１１３２は使用される変調コンステレーションの一覧（ＱＰＳＫ，ＱＰＳＫ，ＱＰＳＫ，ＱＰＳＫ，ＱＡＭ１６，ＱＡＭ１６，ＱＡＭ１６，ＱＡＭ１６）を表す。
【０１１５】
第１１図は、対応するアップリンクの最大のレートのインディケータの第１の例の表１１４０をさらに含み、該アップリンクの最大のレートのインディケータは基地局によって選択されてもよく、表１１００のアップリンクのトラヒックのセグメントのためのアップリンクの例示的なデータレート選択肢をサポートする無線端末へ送信されてもよい。第１行１１４２は表の各列に一覧化された情報を説明している。第２行１１４４は最大アップリンクデータレートインディケータ値０に対応する情報の一覧を表し、第３行１１４６は最大アップリンクデータレートインディケータ値１に対応する情報の一覧を表し、第４行１１４８は最大アップリンクデータレートインディケータ値２に対応する情報の一覧を表し、第５行１１５０は最大アップリンクデータレートインディケータ値３に対応する情報の一覧を表している。第２列１１５４は、４個の可能なデータレートのインディケータ値（０，１，２，３）を個別に表現するため使用される（ＭＳＢ，ＬＳＢ）の一覧をそれぞれ（（０，０），（０，１），（１，０），（１，１））として表している。第３列１１５６は、４個の可能なデータレートインディケータ値（０，１，２，３）のそれぞれに対応する許可された最大の無線端末データレートレベルの一覧を、それぞれ（ＷＴデータレート選択肢０，ＷＴデータレート選択肢３，ＷＴデータレート選択肢５，ＷＴデータレート選択肢７）として表している。第４列１１５６は、４個の可能なデータレートインディケータ値（０，１，２，３）に個別に許可されたＷＴデータレートの一覧を、それぞれ（ＷＴデータレート０，ＷＴデータレート０−３，ＷＴデータレート０−５，ＷＴデータレート０−７）として表している。この典型的な実施形態では、ＷＴは、３ビットによって表現されうる８種類のアップリンクデータレートをサポートし、最大アップリンクデータレートインディケータは２ビットによって表現されうる４個の値だけを含むことに注意すべきである。
【０１１６】
第１１図は、対応する最大のアップリンクデータレートのインディケータの第２の例の表１１６０をさらに含み、該最大のアップリンクデータレートのインディケータは基地局によって選択されてもよく、表１１００のアップリンクのトラヒックセグメントのためのアップリンクの例示的なデータレート選択肢をサポートしている無線端末へ送信されてもよい。第１行１１６２は表の各列に一覧化された情報を説明している。第２行１１６４は最大アップリンクデータレートインディケータ値０に対応する情報の一覧を表し、第３行１１６６は最大アップリンクデータレートインディケータ値１に対応する情報の一覧を表し、第４行１１６８は最大アップリンクデータレートインディケータ値２に対応する情報の一覧を表し、第５行１１７０は最大アップリンクデータレートインディケータ値３に対応する情報の一覧を表している。第２列１１７４は、４個の可能なデータレートインディケータ値（０，１，２，３）を個別に表現するため使用される（ＭＳＢ，ＬＳＢ）の一覧をそれぞれ（（０，０），（０，１），（１，０），（１，１））として表している。第３列１１７６は、４個の可能なデータレートのインディケータ値（０，１，２，３）のそれぞれに対応する許可された最大の無線端末データレートの一覧を、それぞれ（ＷＴデータレート選択肢０，ＷＴデータレート選択肢３，ＷＴデータレート選択肢５，ＷＴデータレート選択肢７）として表している。第４列１１７８は、４個の可能なデータレートのインディケータ値（０，１，２，３）に個別に許可されたＷＴデータレートの一覧を、それぞれ（ＷＴデータレート０，ＷＴデータレート０−３，ＷＴデータレート４−５，ＷＴデータレート４−７）として表している。本実施形態では、最大のアップリンクデータレートのインディケータの値毎に、無線端末は、このデータレートインディケータ値に対応するＷＴデータレートの所定の部分集合から選択可能であり、部分集合中のＷＴデータレートは最大のアップリンクデータレートのインディケータ値以下のレートである。この例では、データレートの各部分集合はデータレートの連続的なブロックとして表されているが、一般に、所定のデータレートの各部分集合に含まれているＷＴのアップリンクデータレートは連続的でなくてもよい。
【０１１７】
第１２図は、本発明による、アップリンクのトラヒックセグメントのために例示的な無線端末で利用可能な例示的なデータレート選択肢の別の例、及び、対応する最大アップリンクデータレートインディケータの例である。第１２図は、アップリンクのトラヒックのセグメントのために無線端末で利用可能な例示的なデータレート選択肢を説明する表１２００を含む。第１行１２０２は、表の各列に含まれている情報を説明している。第１列１２２０は利用可能なデータレート選択肢の一覧（０，１，２，３，４，５，６，７）を表す。第２行１２０４はデータレート０の選択肢の情報を含み、第３行１２０６はデータレート１の選択肢の情報を含み、第４行１２０８はデータレート２の選択肢の情報を含み、第５行１２１０はデータレート３の選択肢の情報を含み、第６行１２１２はデータレート４の選択肢の情報を含み、第７行１２１４はデータレート５の選択肢の情報を含み、第８行１２１６はデータレート６の選択肢の情報を含み、第９行１２１８はデータレート７の選択肢の情報を含む。第２列１２２４はフレーム数の一覧（１，２，３，４，５，６，８，１０）を表す。第３列１２２６は情報ビット数の一覧（１２０，２２４，３２８，４３２，５３６，６４０，８４８，１０５６）を表す。第４列１２２８は符号語長の一覧（６７２，６７２，１３４４，１３４４，１３４４，１３４４，１３４４，１３４４）を表す。第６列１２３０は概算の符号化レートの一覧（３／１７，１／３，１／４，１／３，２／５，１／２，２／３，５／６）を表す。第７列１２３２は使用される変調コンステレーションの一覧（ＢＰＳＫ，ＢＰＳＫ，ＱＰＳＫ，ＱＰＳＫ，ＱＰＳＫ，ＱＰＳＫ，ＱＰＳＫ，ＱＰＳＫ）を表す。第８列１２３４は１トーン当たりの相対送信電力オフセット値の一覧（Ｐ０，Ｐ１，Ｐ２，Ｐ３，Ｐ４，Ｐ５，Ｐ６，Ｐ７）を表す。幾つかの実施形態では、電力レベルはＰ０＜Ｐ１＜Ｐ２＜Ｐ３＜Ｐ４＜Ｐ５＜Ｐ６＜Ｐ７のようになる。
【０１１８】
第１２図は、対応するアップリンクの最大のレートのインディケータの第１の例の表１２４０をさらに含み、該アップリンクの最大のレートのインディケータは基地局によって選択されてもよく、表１２００のアップリンクのトラヒックのセグメントのためのアップリンクの例示的なデータレート選択肢をサポートする無線端末へ送信されてもよい。第１行１２４２は表の各列に一覧化された情報を説明している。第２行１２４４は最大のアップリンクデータレートのインディケータ値０に対応する情報の一覧を表し、第３行１２４６は最大のアップリンクデータレートのインディケータ値１に対応する情報の一覧を表し、第４行１２４８は最大のアップリンクデータレートのインディケータ値２に対応する情報の一覧を表し、第５行１２５０は最大のアップリンクデータレートのインディケータ値３に対応する情報の一覧を表している。第２列１２５４は、４個の可能なデータレートのインディケータ値（０，１，２，３）を個別に表現するため使用される（ＭＳＢ，ＬＳＢ）の一覧をそれぞれ（（０，０），（０，１），（１，０），（１，１））として表している。第３列１２５６は、４個の可能なデータレートのインディケータ値（０，１，２，３）のそれぞれに対応する許可された最大の無線端末データレートの一覧を、それぞれ（ＷＴデータレート選択肢０，ＷＴデータレート選択肢１，ＷＴデータレート選択肢４，ＷＴデータレート選択肢７）として表している。第４列１２５８は、４個の可能なデータレートのインディケータ値（０，１，２，３）に個別に許可されたＷＴデータレートの一覧を、それぞれ（ＷＴデータレート０，ＷＴデータレート０−１，ＷＴデータレート０−４，ＷＴデータレート０−７）として表している。この例示的な実施形態では、ＷＴは、３ビットによって表現されうる８種類のアップリンクデータレートをサポートし、最大のアップリンクデータレートのインディケータは２ビットによって表現されうる最大で４個の値をサポートすることに注意すべきである。
【０１１９】
第１２図は、対応する最大のアップリンクデータレートのインディケータの第２の例の表１２６０をさらに含み、該最大のアップリンクデータレートのインディケータは基地局によって選択されてもよく、表１２００のアップリンクのトラヒックのセグメントのためのアップリンクの例示的なデータレート選択肢をサポートしている無線端末へ送信されてもよい。第１行１２６２は表の各列に一覧化された情報を説明している。第２行１２６４は最大のアップリンクデータレートのインディケータ値０に対応する情報の一覧を表し、第３行１２６６は最大のアップリンクデータレートのインディケータ値１に対応する情報の一覧を表し、第４行１２６８は最大のアップリンクデータレートのインディケータ値２に対応する情報の一覧を表し、第５行１２７０は最大のアップリンクデータレートのインディケータ値３に対応する情報の一覧を表している。第２列１２７４は、４個の可能なデータレートのインディケータ値（０，１，２，３）を個別に表現するため使用される（ＭＳＢ，ＬＳＢ）の一覧をそれぞれ（（０，０），（０，１），（１，０），（１，１））として表している。第３列１２７６は、４個の可能なデータレートのインディケータ値（０，１，２，３）のそれぞれに対応する許可された最大の無線端末データレートの一覧を、それぞれ（ＷＴデータレート選択肢０，ＷＴデータレート選択肢１，ＷＴデータレート選択肢４，ＷＴデータレート選択肢７）として表している。第４列１２７８は、４個の可能なデータレートのインディケータ値（０，１，２，３）に個別に許可されたＷＴデータレートの一覧を、それぞれ（ＷＴデータレート０，ＷＴデータレート０−１，ＷＴデータレート２−４，ＷＴデータレート２−７）として表している。本実施形態では、最大のアップリンクデータレートのインディケータの値毎に、無線端末は、このデータレートのインディケータ値に対応するＷＴデータレートの所定の部分集合から選択可能であり、部分集合中のＷＴデータレートは最大のアップリンクデータレートのインディケータ値以下のレートである。この例では、データレートの各部分集合はデータレートの連続的なブロックとして表されているが、一般に、所定のデータレートの各部分集合に含まれているＷＴのアップリンクデータレートは連続的でなくてもよい。
【０１２０】
第１３図は、アップリンクのトラヒックセグメントのために無線端末で利用可能な例示的なデータレート選択肢の別の組を説明する表１３００である。第１行１３０２は表の各列に含まれている情報を記載する。第１列１３１２は利用可能なデータレート選択肢の一覧（０，１，２，３）を表す。第２行１３０４はデータレート０の選択肢の情報を含み、第３行１３０６はデータレート１の選択肢の情報を含み、第４行１３０８はデータレート２の選択肢の情報を含み、第５行１３１０はデータレート３の選択肢の情報を含む。第２列１３１４はフレーム数の一覧（１，２，３，５）を表す。第３列１３１６は情報ビット数の一覧（２２４，４３２，６４０，１０５６）を表す。第４列１３１８は符号語長１３４４の一覧を表す。第６列１３２０は概算の符号化レートの一覧（１／６，１／３，１／２，５／６）を表す。第７列１３２２は使用される変調コンステレーションの一覧（ＱＰＳＫ，ＱＰＳＫ，ＱＰＳＫ，ＱＰＳＫ）を表す。第８列１３２４は１トーン当たりの相対送信電力オフセット値の一覧（０ｄＢ，０ｄＢ，０ｄＢ，０ｄＢ）を表す。
【０１２１】
第１３図の例では、データレートが変化しても、利用されるＷＴ電力は一定のまま保たれる場合があることがわかる。よって、受信された最大のアップリンクデータレートのインディケータ値によって通信されるような最大の許容されるアップリンクデータレートより低い使用するためのデータレートを選択することにより、無線端末は、アップリンクのトラヒックチャネルのセグメントのために送信されたアップリンク信号が基地局によって正しく受信される確率を改善し、それによって、アップリンクのシグナリングの信頼性を改善する。基地局は、無線端末に指示された最大のデータレートレベルを指示し、これによりユーザ選択の選択肢の中でのＷＴによる選択を制限することにより、全体的なシステムの干渉レベルを制御してもよい。無線端末は、例えば、通信されるべきデータの一部分の、例えば緊急性等のような重要度のような、ある所与の時点でＷＴに利用可能である情報に基づいて、送信がより高い確率で成功する方が高いデータレートよりＷＴにとって有利であると判定してもよく、それによって、ＷＴはより低いデータレートを選択することもある。
【０１２２】
種々の実施形態において、同じＷＴに対し、幾つかのＷＴのアップリンクの幾つかのデータレート選択肢は同じ電力レベルが関連付けられてもよく、幾つかのＷＴのアップリンクの幾つかのデータレート選択肢は異なる電力レベルが関連付けられてもよい。
【０１２３】
第１４図は、ＷＴが選択したアップリンクデータレートをアップリンクのトラヒックのセグメントで伝達するために、追加のエネルギーを信号の部分集合に配置する先に提示されたアプローチに関して、代替的なアプローチを説明している。第１４図は、本発明の幾つかの実施形態に従って、アップリンクのトラヒックの例示的なセグメントと、セグメントのユーザデータ／情報シグナルのため使用されるアップリンクデータレートを伝達するためのトーンシンボルの部分集合及びユーザデータ／情報を伝達するために使用されるトーンシンボルの部分集合へのセグメントの分割と、を説明する図１４００である。第１４図は、水平軸１４０４上の時間（セグメント内のＯＦＤＭシンボルインデックス）に対し、垂直軸１４０２上にアップリンクのトラヒックチャネルの例示的なセグメント０内の論理トーンインデックスをプロットしている。例示的なセグメントは、さらに４個のドウェル（ドウェル１  １４０６，ドウェル２  １４０８，ドウェル３  １４１０，  ドウェル４  １４１２）に分割され、各ドウェルは７個の連続したＯＦＤＭシンボル期間を含む。グリッド１４００によって示されているアップリンクのトラヒックの例示的なセグメントは、第６図のトラヒックセグメント０を表してもよい。セグメントの基本単位は、小さな正方形によって表現されたトーンシンボルであり、各トーンシンボルは１個のＯＦＤＭシンボル期間の間隔中に１個のトーンを占める。変調シンボルはセグメントの各トーンシンボル上で伝達されてもよい。
【０１２４】
本発明の幾つかの実施形態によれば、セグメント内のロケーションの所定の部分集合は、セグメントのユーザデータ／情報のセグメント内で使用されるアップリンクデータレートを伝達するためだけに用いられる。様々なデータレート、例えば、３個の情報ビットによって表現されうる８種類のアップリンクデータレートがＷＴによって使用されてもよい。アップリンクの各データレートは、アップリンクのトラヒックチャネルのセグメントのユーザデータ／情報変調シンボルのため使用される符号化レート及び変調方式、例えば、ＢＰＳＫ、ＱＰＳＫ及び／又はＱＡＭ１６を指定する。第１４図の例示的な実施形態では、セグメントの６個のトーンシンボルは３個の使用されるデータレートの情報ビットを伝達するために予約されている。非コヒーレント変調方式は、アップリンクのトラヒックチャネルのセグメントの６個の予約されたトーンシンボルのロケーションに対応する６個の変調シンボルによってこれらの３個の情報ビットを伝達するために使用されてもよい。
【０１２５】
凡例１４１４は、斜行平行線の陰影付きで表現されたグリッド１４００内のタイプ１４１６の６個のトーンシンボルがＷＴが選択したアップリンクデータレートを伝達するため使用されたトーンシンボルの部分集合の一部分であり、グリッド１４００内の陰影無しで表現されたタイプ１４１８の７７８個のトーンシンボルがＷＴのアップリンクのユーザデータ／情報を伝達するために使用されることを示している。幾つかの実施形態では、タイプ１４１６のトーンシンボルのため使用される変調方式は、タイプ１４１８のユーザデータ／情報のトーンシンボルのために使用される変調方式とは無関係に同じである。このような一実施形態では、ＷＴは、受信された最大アップリンクデータレートインディケータ、及び、例えば、データ量、データ重要度、品質変化、チャネル条件、ユーザデータを送信するため利用できる電力、バッテリー電力状態などのその他のＷＴの選択規準に応じてアップリンクデータレートを選択することになる。アップリンクデータレートの選択は、対応する符号化レート及び変調方式を有するデータレートレベルを特定することになる。データレートレベルは、変化しない所定の非コヒーレント変調方式を使用してタイプ１４１６の６個のトーンシンボルのロケーションのための変調シンボルの組に符号化されることになる。ユーザデータ／情報は、選択された対応する符号化レート及び変調方式を使用して符号化され、タイプ１４１８の７７８個のトーンシンボルのための変調方式の組に変調されることになる。基地局は、アップリンクのトラヒックチャネルのセグメントのトーンシンボルによって伝達された変調シンボルを受信し、タイプ１４１６の６個のトーンシンボルで伝達されたレート信号を復調し復号化し、これにより、ユーザデータ／情報のために使用されるデータレートの選択肢を取得する。使用されるデータレートの選択肢を決定すると、基地局は、例えば、ルックアップテーブルを用いて、タイプ１４１８のトーンシンボル上で伝達されたユーザデータ／情報の変調トーンシンボルのために使用された変調方式及び符号化レートを判定し、ユーザデータ／情報ビットを復元するセグメントのユーザデータ／情報の受信信号を復調し復号化する。
【０１２６】
第１５図は、幾つかの実施形態では、無線端末が選択したアップリンクデータ伝送レートがアップリンクのセグメントのシンボルの部分集合に配置された電力差によって通信されうることを説明する表１５００を含み、この電力差が選択されたアップリンクデータレートとは無関係にユーザデータ／情報の変調シンボルを通信するために使用される電力レベルを超えるｄＢに関して一定値であってもよい。シンボルの部分集合は、パターンを定義するセグメント内に位置しており、異なるパターンは異なるデータレートを定義している。表１５００は、アップリンクデータレートの例示的な８個の選択肢の一覧（レート０，レート１，レート２，レート３，レート４，レート５，レート６，レート７）を表す第１列１５０２を含み、レート０は最低のレートに対応し、レート７は最高のレートに対応する。第２列１５０４は、セグメント内のパターンを介して選択されたアップリンクデータレートを伝達するために使用された変調シンボルの部分集合上での電力差の一覧を表す。列１５０４の各値は、同じＣ１  ｄＢであり、ここで、Ｃ１は定数、例えば、２ｄＢである。Ｃ１は、選択されたデータレートが指定された最悪の条件下で復元されるように選択されてもよく、最悪の条件とは、幾つかの実施形態では、最低の送信電力レベルを使用する最低のレート、例えば、データレート選択肢０である。
【０１２７】
第１５図は、幾つかの実施形態では、無線端末が選択したアップリンクデータ伝送レートがアップリンクのセグメントのシンボルの部分集合に配置された電力差によって通信されうることを説明する表１５０６をさらに含み、この電力差は、ユーザデータ／情報の変調シンボルを通信するため使用された電力レベルを上回る量ＸｄＢであってもよく、ここで、Ｘは選択されたアップリンクデータレートに応じて決まる。無線端末及び基地局は、どちらもシステムで採用されている電力差の関係を知っている。シンボルの部分集合は、パターンを定義するセグメント内に位置しており、異なるパターンは異なるデータレートを定義している。表１５０６は、アップリンクデータレートの例示的な８個の選択肢の一覧（レート０，レート１，レート２，レート３，レート４，レート５，レート６，レート７）を表す第１列１５０８を含み、レート０は最低のレートに対応し、レート７は最高のレートに対応する。第２列１５１０は、セグメント内のパターンを用いて選択されたアップリンクデータレートを伝達するため使用された変調シンボルの部分集合上での電力差の一覧を表す。データレート（０，１，２，３，４，５，６，７）毎に、電力差ＸｄＢは、レート（Ｘ（レート０），Ｘ（レート１），Ｘ（レート２），Ｘ（レート３），Ｘ（レート４），Ｘ（レート５），Ｘ（レート６），Ｘ（レート７））の関数であり、あるレートは次のレートと異なってもよく、例えば、Ｘ（レート０）ｄＢ＞Ｘ（レート１）ｄＢであってもよい。幾つかの実施形態では、レートが増加すると、ユーザ／データの変調シンボルのための送信電力レベルも増加し、電力差Ｘ（レート）は減少することがある。電力差Ｘ（レート）ｄＢは、追加のエネルギーを伝達する信号を追加のエネルギーを伴わない信号から識別するために十分であるように選択されてもよい。幾つかの実施形態では、例えば、少なくとも１個のレートがＱＡＭレートである実施形態では、異なる追加の電力レベル差がＱＡＭレート内の異なる振幅レベルに対し存在しうる。（表１５０６に示されているように）レートの関数として追加の電力レベルを変化させることにより、ＷＴ電力は、（表１５００に示されているように）１レベルに基づく指定された最悪の条件に設定された一定の電力差が使用される方法よりも節約されることが可能である。
【０１２８】
例示的な表１５００及び１５０６に関して説明された方法は、第８図のアップリンクのトラヒックの例示的なセグメントを用いて説明されているような実施形態にも適用可能である。
【０１２９】
第１７図は、本発明の例示的な別の実施形態における基地局が選択した最大レートインディケータと無線端末が選択可能であるデータレートとの間の例示的な関係を説明する表１７００である。第１行１７０２は、列（１７１４，１７１６，１７１８）が基地局が選択した最大レートのインディケータ値の情報を含み、列（１７２０，１７２２，１７２４，１７２６，１７２８，１７３０，１７３２，１７３４，１７３６，１７３８，１７４０，１７４２，１７４４，１７４６，１７４８，１７５０）がＢＳが選択した最大レートのインディケータ値が与えられた場合にＷＴが選択可能であるデータレートを特定する情報を含むことを特定している。第２行１７０４は、第１列１７１４がＢＳが選択した最大レートのインディケータ値を含み、第２列１７１６が対応する最上位ビット（ＭＳＢ）値を含み、第３列１７１８が対応する最下位ビット（ＬＳＢ）値を含むことを特定する。第４列乃至第１９列（１７２０，１７２２，１７２４，１７２６，１７２８，１７３０，１７３２，１７３４，１７３６，１７３８，１７４０，１７４２，１７４４，１７４６，１７４８，１７５０）は、システム内のＷＴによってサポートされているデータレート（１５，１４，１３，１２，１１，１０，９，８，７，６，５，４，３，２，１，０）に対応し、ここで、データレート１５は最高のデータレートに対応し、データレート０は最低のデータレートに対応する。
【０１３０】
この例示的な一実施形態では、ＢＳは、２ビットを使用して表現されうる４個の最大レートのインディケータ値のうちの１個を選択可能である。見込まれる各レートを表現するために４ビットを必要とすることになる１６種類のレートがシステム内のＷＴに対して可能である。しかし、４個の最大レートのインディケータ値の各々は、最大レート、及び、無線が選択することを許可されている見込まれるレートの異なる部分集合に関連付けられ、各部分集合は４個の最大レートのインディケータのうちの特定の１個に対応している。この例では、データレートの各部分集合は、３ビットによって表現されうる８種類のデータレートを含む。無線端末が、受信される最大レートのインディケータ値によって指示されるような指定された８個のレートの部分集合からデータレートを選択するとき、選択されたレートは３ビットを使用して符号化されることが可能で、符号化されたビットはレートインディケータ値に応じて異なる表現を有する。
【０１３１】
この例示的な実施形態では、ＢＳが選択した異なる最大レートのインディケータ値は、同じ最大のデータレートに対応してもよいが、無線端末によって選択されえたデータレートの異なる部分集合に対応してもよい。部分集合のメンバーは、データレートに対応する列にＸで表示されている。よって、２個の最大レートのインディケータは、同じ最大データレートに対応してもよいが、レートの異なる部分集合から選択するように無線端末を制限するために使用さることが可能であり、ここで、ＷＴは受信される最大レートのインディケータに対応するレートの部分集合内のレートを選択することが許可され、選択されたレートは最大の許容されるデータレート以下である。
【０１３２】
行１７０６は、ＢＳが選択した最大のデータレートのインディケータ値０が最大のデータレートの１５及びデータレートの部分集合（１５，１３，１１，９，７，５，３，０）に対応することを示す。行１７０８は、ＢＳが選択した最大データレートのインディケータ値１が最大データレートの１５及びデータレートの部分集合（１５，１４，１３，１２，１１，１０，９，８）に対応することを示す。行１７１０は、ＢＳが選択した最大のデータレートのインディケータ値２が最大のデータレートの１１及びデータレートの部分集合（１１，１０，９，８，７，６，５，４）に対応することを示す。行１７１２は、ＢＳが選択した最大のデータレートのインディケータ値３が最大のデータレートの７及びデータレートの部分集合（７，６，５，４，３，２，１，０）に対応することを示す。
【０１３３】
第１８図は、本発明の例示的な実施形態による、アップリンクのトラヒックの例示的なセグメントの一部分、及び、セグメントのために使用されたアップリンクデータレートを伝達するためのドウェル内のトーンシンボルの部分集合への追加のエネルギーの集中を説明する図１８００である。第１８図の例及び後に続く第１９図の例では、追加のエネルギーが配置されているシンボルと追加のエネルギーが配置されていないシンボルとの間に少なくとも２ｄＢのエネルギー差が存在する。このことは、追加のエネルギーを伴うシンボルを特定することに基づく比較的実施し易いエネルギー検出機構による検出を容易化する。
【０１３４】
第１８図は、水平軸１８０４上の時間（セグメント内のＯＦＤＭシンボルインデックス）に対し、垂直軸１８０２上にアップリンクのトラヒックチャネルの例示的なセグメント０内の論理トーンインデックスをプロットしている。例示的なセグメントが４個のドウェル（ドウェル１  １８０６，ドウェル２  １８０８，ドウェル３  １８１０，  ドウェル４  １８１２）に分割されることが第１８図に示され、第１８図の各ドウェルは７個の連続したＯＦＤＭシンボル期間を含む。本発明の特定の例示的な実施形態の１つの特徴によれば、セグメント内のドウェルで使用される個別のトーン毎に、追加のエネルギーがドウェル中の７個のシンボル期間のうちの１個についての個別のトーンに配置される。レートを指定するためにエネルギーが配置されているシンボル期間は、指定されるべきレート、及び、ドウェルに対応するトーンの組の中のトーンの位置に依存する。よって、無線端末に割り当てられたトーンの組の中のトーン位置、及び、追加のエネルギーを有するトーンのドウェル内のシンボル時間を知ることにより、通信されているレートを判定することが可能である。レートは、レート情報を指示するため使用された追加のエネルギーを伴うトーンが受信されたドウェル内のシンボル時間を判定するために、ドウェルの単一トーンを監視することにより判定されうるが、ドウェルにおいて無線端末によって使用される複数のトーンを監視することによってより高い信頼性が実現されることが可能である。注意すべき点は、使用される物理的トーンがドウェル境界、ドウェル内で変更されるので、受信シンボルのエネルギーの比較が殆どの場合にドウェルの期間中に高信頼に比較されるように、チャネル条件は、通常、比較的一定に保たれることである。各ドウェルは７個のシンボル時間を含み、セグメントは７個のトーンを含むものとして図示されているが、シンボル時間の個数、及び、１ドウェル当たりのセグメントの個数は、特定の実装に応じて異なる。
【０１３５】
例示的なセグメントはサブブロックに分割されてもよい。第１８図には、例示的なサブブロック１８２０が示されている。セグメントには、２８個のサブブロックが存在し、このうちの１６個が第１８図に示されている。グリッド１８００によって示されるアップリンクのトラヒックの例示的なセグメントは、無線通信システムで使用されている例示的なタイミング及び周波数の構造中で例示的なトラヒックセグメント０を表現してもよい。セグメントの基本単位は小さな正方形によって表現されたトーンシンボルであり、各トーンシンボルが１つのＯＦＤＭシンボル期間の間隔中に１個のトーンを占有する。変調シンボルはセグメントの各トーンシンボルで伝達されてもよい。
【０１３６】
本発明によれば、追加のエネルギーがセグメント内の信号の部分集合上に集中させられているロケーションのパターンは、アップリンクのトラヒックチャネルのセグメントの送信のためにＷＴによって使用されるアップリンクデータレートを特定する。ＷＴによって、様々なデータレートが使用されうる。第１８図の例示的な実施形態では、セグメント内の各サブブロックのパターンは所与のデータレートに対して同一であるべきである。
【０１３７】
凡例１８１４は、斜行平行線の陰影付きで表現されたタイプ１８１６のトーンシンボルがＷＴが選択したデータレート０に対応するパターンの一部分であり、水平線陰影付きで表現されたタイプ１８１８のトーンシンボルがＷＴが選択したデータレート２に対応することを示している。レート０の場合、各サブブロックの主対角は追加のエネルギーを有する。レート２の場合、各サブブロックの主対角からのオフセットが−２である位置でのエントリは追加のエネルギーを有する。一般に、サブブロックが７×７形のエントリ（０，０）、．．．、（６，６）によってインデックス化されると仮定する。このとき、レートｉに対し、ｋ＝０，１，２，．．．，６として位置（ｋ＋１，ｋ  ｍｏｄ  ７）のエントリは追加のエネルギーを有する。例えば、レート２の場合、エントリ（２，０）、（３，１）、（４，２）、．．．、（１，６）は、第１８図に示されているように、追加のエネルギーを有する。
【０１３８】
第１８図は、同じグリッド１８００上に異なるＷＴアップリンク選択データレートがある２つの例示的なケースを説明する。ＷＴがデータレート０を使用することを選択したと仮定するならば、サブブロック１８２０の場合、追加のエネルギーはトーンシンボル：（トーン０，ＯＦＤＭ，シンボルインデックス１）、（トーン１，ＯＦＤＭ，シンボルインデックス２）、（トーン２，ＯＦＤＭ，シンボルインデックス３）、（トーン３，ＯＦＤＭ，シンボルインデックス４）、（トーン４，ＯＦＤＭ，シンボルインデックス５）、（トーン５，ＯＦＤＭ，シンボルインデックス６）、（トーン６，ＯＦＤＭ，シンボルインデックス７）に対応する信号に配置され、サブブロックのその他のトーンシンボルは公称エネルギーレベルを伴う信号を伝達する。次に、ＷＴがデータレート２を使用することを選択したと仮定するならば、追加のエネルギーはトーンシンボル：（トーン２，ＯＦＤＭ，シンボルインデックス１）、（トーン３，ＯＦＤＭ，シンボルインデックス２）、（トーン４，ＯＦＤＭ，シンボルインデックス３）、（トーン５，ＯＦＤＭ，シンボルインデックス４）、（トーン６，ＯＦＤＭ，シンボルインデックス５）、（トーン０，ＯＦＤＭ，シンボルインデックス６）、（トーン１，ＯＦＤＭ，シンボルインデックス７）に対応する信号に配置され、サブブロックのその他のトーンシンボルは公称エネルギーレベルを伴う信号を伝達する。レートに対応するパターンはセグメントのサブブロック毎に繰り返される。その他の例示的なデータレート、例えば、データレート１及びデータレート３は異なるパターンで指示されうる。幾つかの実施形態では、各パターンは、グリッド内で同じ勾配であるが、しかし、異なるオフセットを伴う勾配を表現する。幾つかの実施形態では、様々なパターンは異なる勾配によって表現されうる、及び／又は、グリッド内で異なるオフセットを含む。
【０１３９】
第１９図は、本発明による、情報ビットを伝達する変調シンボルを伝達するため使用されるトーンシンボル及び基準変調シンボルを伝達するため使用されるトーンシンボルを含むアップリンクのトラヒックの例示的なセグメントの一部と、セグメントのために使用されたアップリンクデータレートを伝達するためのドウェル内のトーンシンボルの部分集合への追加のエネルギーの集中を説明する図１９００である。第１図は、水平軸１９０４上の時間（セグメント内のＯＦＤＭシンボルインデックス）に対し、垂直軸１９０２上にアップリンクのトラヒックチャネルの例示的なセグメント０内の論理トーンインデックスをプロットしている。例示的なセグメントは、図示されている４個のドウェル（ドウェル１  １９０６，ドウェル２  １９０８，ドウェル３  １９１０，  ドウェル４  １９１２）にさらに分割され、各ドウェルは７個の連続したＯＦＤＭシンボル期間を含む。グリッド１９００によって示されたアップリンクのトラヒックの例示的なセグメントは、無線通信システムで使用されるタイミング及び周波数の構造中の例示的なトラヒックセグメント０を表現してもよい。セグメントの基本単位は小さな正方形によって表現されたトーンシンボルであり、各トーンシンボルが１つのＯＦＤＭシンボル期間の間隔中に１個のトーンを占有する。変調シンボルはセグメントの各トーンシンボルで伝達されうる。
【０１４０】
本発明によれば、追加のエネルギーがセグメント内の信号の部分集合上に集中させられているロケーションのパターンは、アップリンクのトラヒックチャネルのセグメントの送信のためにＷＴによって使用されるアップリンクデータレートを特定する。セグメントはサブブロック、例えば、例示的なサブブロック１９２３に再分割される。追加のエネルギーのパターンはセグメント内でサブブロックからサブブロックへと反復する。異なるデータレートがＷＴによって使用されてもよく、異なる追加のエネルギーのパターンに対応することがある。
【０１４１】
凡例１９１４は、斜行平行線の陰影付きで表現されたタイプ１９１６のトーンシンボルがＷＴが選択したデータレート０に対応する追加のエネルギーを有する変調シンボルのパターンの一部分であり、情報ビットが符号化レート及び／又は変調方式を指定するデータレート０を使用してタイプ１９１６のトーンシンボルで伝達されることを示している。凡例１９１４は、データレート０で情報ビットを伝達する通常のエネルギーレベルでの変調シンボルが陰影無しで指示されたタイプ１９１８のトーンシンボルで伝達されることをさらに示している。その上、凡例１９１４は、タイプ１９１９のトーンシンボルが基準変調シンボルを伝達するために使用されることを示している。凡例１９１４は、垂直線陰影付きで表現されたタイプ１９２１のトーンシンボルがＷＴが選択したデータレート０に対応する追加のエネルギーを有する変調シンボルのパターンの一部分であり、基準変調シンボル値がタイプ１９２１のトーンシンボルで伝達され、データレート０は符号化レートと及び／又は変調方式を指定することを示している。
【０１４２】
第２０図は、本発明によるアップリンクのトラヒックチャネルの例示的なセグメント２００２の図２０００である。垂直軸２００４は０から２７まで変化するアップリンクのトラヒックチャネルのセグメント２００２の論理トーンインデックスをプロットし、水平軸２００６は１から２８まで変化するトラヒックチャネルのセグメント２００２内のＯＦＤＭシンボル時間インデックスをプロットする。アップリンクのトラヒックチャネルの例示的なセグメント２００２は、小さなボックスによって表現された７８４個のトーンシンボルを含む。トーンシンボルは伝送単位である。トーンシンボルは、第２０図に示されているように、１１２個のトーンハーフスロット（トーンハーフスロットｋ＝０  ２００８，トーンハーフスロットｋ＝１１１  ２０１０）にさらにグループ分けされる。トーンハーフスロットはハーフスロット内に７個のトーンシンボルを含む。ハーフスロット内のトーンシンボルは、ハーフスロットで一定に保たれる同じプレホッピングインデックス及びポストホッピングインデックスを有する。
【０１４３】
第２１図は、本発明によるアップリンクのトラヒックチャネルの例示的なセグメント２１０２の図２１００である。垂直軸２１０４は０から１３まで変化するアップリンクのトラヒックチャネルのセグメント２１０２の論理トーンインデックスをプロットし、水平軸２１０６は１から５６まで変化するトラヒックチャネルのセグメント２１０２内のＯＦＤＭシンボル時間インデックスをプロットする。アップリンクのトラヒックチャネルの例示的なセグメント２１０２は、小さなボックスによって表現された７８４個のトーンシンボルを含む。トーンシンボルは、第２１図に示されているように、１１２個のトーンハーフスロット（トーンハーフスロットｋ＝０  ２１０８，トーンハーフスロットｋ＝１１１  ２１１０）にさらにグループ分けされる。
【０１４４】
第２２図は、本発明によるアップリンクのトラヒックチャネルの例示的なセグメント２２０２の図２２００である。垂直軸２２０４は０から６まで変化するアップリンクのトラヒックチャネルのセグメント２２０２の論理トーンインデックスをプロットし、水平軸２２０６は１から１１２まで変化するトラヒックチャネルのセグメント２２０２内のＯＦＤＭシンボル時間インデックスをプロットする。アップリンクのトラヒックチャネルの例示的なセグメント２２０２は、小さなボックスによって表現された７８４個のトーンシンボルを含む。トーンシンボルは、第２２図に示されているように、１１２個のトーンハーフスロット（トーンハーフスロットｋ＝０  ２２０８，トーンハーフスロットｋ＝１１１  ２２１０）にさらにグループ分けされる。
【０１４５】
第２３図は、本発明の種々の実施形態によるアップリンクのトラヒックチャネルの例示的なレート情報の表２３００である。第１列２３０２は、アップリンクのトラヒックチャネルの例示的な８個のレート選択肢の一覧（０，１，２，３，４，５，６，７）を表す。第２列２３０４は、各レート選択肢の対応するフレーミングフォーマットタイプの一覧（第１，第１，第１，第１，第１，第２，第２，第２）を表す。第３列２３０６は、各レート選択肢に対応するＭＡＣフレームの個数の一覧（１，２，３，４，５，６，８，１０）を表す。第４列２３０８は、各レート選択肢に対応する情報ビット数（ｋ）の一覧（２２４，４３２，６４０，８４８，１０５６，１２８０，１６９６，２１１２）を表す。第５列２３１０は、各レート選択肢に対応する符号語長（ｎ）の一覧（１３４４，１３４４，１３４４，１３４４，１３４４，２６８８，２６８８，２６８８）を表す。第６列２３１２は、対応する各レート選択肢のために使用される変調コンステレーションの一覧（ＱＰＳＫ，ＱＰＳＫ、ＱＰＳＫ，ＱＰＳＫ、ＱＰＳＫ、ＱＡＭ１６，ＱＡＭ１６，ＱＡＭ１６）を表す。
【０１４６】
第２４図は、アップリンクのトラヒックチャネルのセグメントの帯域内インディケータＸとアップリンクのトラヒックチャネルのレート選択肢の値との間の典型的なマッピングを説明する表２４００である。第１列２４０２は、アップリンクのトラヒックチャネルのセグメントの帯域内インディケータＸが例示的な実施形態において保有することができる７種類の値の一覧（０，１，２，３，４，５，６）を表す。第２列２４０４は、最大のレート選択肢（７）がＷＴによる使用のために選択されうることを示すセグメントのための最大レートインディケータが無線端末に割り当てられず、かつ、割り当てがレギュラー割り当てであった場合に、アップリンクのトラヒックチャネルのセグメントの帯域内インディケータの値毎に対応するレート選択肢の一覧を表す。例えば、ＷＴが、レギュラー割り当てによって、使用すべきアップリンクのトラヒックチャネルのセグメントと、ＷＴが使用するための最高の許容されるレートはレート選択肢６であることを示す最大レートのインディケータ値とを割り当てられるならば、ＷＴは、例えば、ＷＴの現在の要求及びＷＴが決定した条件に基づいて、列２４０４から指示された最大の許容されるレート選択肢以下のレート選択肢を選択してもよい。例えば、このような条件下で、ＷＴがアップリンクのトラヒックチャネルのセグメントのためにレート選択肢４を使用することを選択すると仮定するならば、表２４００の列２４０４及び２４０２は、アップリンクのトラヒックチャネルのセグメントの対応する帯域内インディケータＸが４という値をとるべきであることをＷＴに示す。
【０１４７】
第３列２４０６は、レギュラー割り当てによって、最大のレートの選択肢（７）がＷＴによる使用のため選択されうることを示すセグメントのための最大レートのインディケータが無線端末に割り当てられた場合に、アップリンクのトラヒックチャネルのセグメントの帯域内インディケータの値毎に対応するレート選択肢の一覧を表す。例えば、ＷＴが、使用すべきアップリンクのトラヒックチャネルのセグメントと、ＷＴが使用するための最高の許容されるレートはレート選択肢７であることを示す最大レートのインディケータ値とを割り当てられるならば、ＷＴは、例えば、ＷＴの現在の要求及びＷＴの決定条件に基づいて、列２４０６から最大の指示された許容されるレート選択肢以下のレート選択肢を選択してもよい。典型的な実施形態では、レート選択肢４は選択から除外されていることに注意すべきである。例えば、このような条件下で、ＷＴがアップリンクのトラヒックチャネルのセグメントのためレート選択肢６を使用することを選択したと仮定するならば、表２４００の列２４０６及び２４０２は、対応するアップリンクのトラヒックチャネルのセグメントの帯域内インディケータＸが５という値をとるべきであることをＷＴに示す。
【０１４８】
さらに、第３列２４０６は、アップリンクのトラヒックチャネルのセグメントの割り当てがフラッシュ割り当てを介して伝達された場合に使用される。
【０１４９】
ＷＴと基地局の両方は、表２３００及び２４００に表現された情報を記憶する。アップリンクのトラヒックチャネルのセグメントの帯域内インディケータは、アップリンクのトラヒックチャネルのセグメントで基地局へ通信される。基地局は、アップリンクの最大のレートのインディケータをアップリンクのトラヒックチャネルの所与の割り当てられたセグメントのためにＷＴへ送信し、割り当てがレギュラー割り当てであるか、又は、フラッシュ割り当てであるかを知っているので、受信及び判定されたアップリンクのトラヒックチャネルのセグメントの帯域内インディケータＸを解釈するときに、表２４００中のどの列を使用すべきであるかがわかる。基地局は適切な関連付けを行い、ＷＴによって選択され、セグメントのためにＷＴによって使用されているアップリンクのトラヒックチャネルのレート選択肢を決定することが可能である。
【０１５０】
第２５図は、本発明による例示的なトーンハーフスロットｋ  ２５００の図を含む。例示的なトーンハーフスロットｋ  ２５００は、第２０、２１又は２２図の様々な例示的なアップリンクのトラヒックチャネルのセグメントのトーンハーフスロットのうちの何れでもよい。例示的なトーンハーフスロットｋ  ２５００は、７個の連続的なＯＦＤＭトーンシンボル（相対インデックスｊ＝０のトーンシンボル２５０２、相対インデックスｊ＝１のトーンシンボル２５０４、相対インデックスｊ＝２のトーンシンボル２５０６、相対インデックスｊ＝３のトーンシンボル２５０８、相対インデックスｊ＝４のトーンシンボル２５１０、相対インデックスｊ＝５のトーンシンボル２５１２、相対インデックスｊ＝６のトーンシンボル２５１４）を含む。
【０１５１】
第２５図は、ＷＴのアップリンクのトラヒックチャネルのセグメントの変調シンボルスケーリングを示す表２５５０をさらに含む。アップリンクのトラヒックチャネルのセグメントのトーンハーフスロット毎に、２レベルの変調シンボルスケーリングのうちの一方が使用される。第１行２５５２は、Ｓ２変調シンボルスケーリングが、ｊ＝ｍｏｄ（ｋ＋Ｘ，７）である相対インデックス値ｊをもつトーンハーフスロットｋの１つのトーンシンボルのため使用されることを示す。第２行２５５４は、Ｓ１変調シンボルスケーリングがトーンハーフスロットｋのその他の６個のトーンシンボルのため使用されることを示す。
【０１５２】
アップリンクのトラヒックチャネルの割り当てられたセグメントの各トーンシンボルは変調シンボルを伝達してもよい。アップリンクのトラヒックチャネルのセグメントの変調シンボルはＳ１又はＳ２の何れかのスケーリングを使用して拡大縮小されるべきである。所与の変調シンボルのためＳ１スケーリングとＳ２スケーリングの何れを使用すべきであるかは、変調シンボルがセグメントマッピングの動作においてマップされるトーンシンボルに依存する。アップリンクのトラヒックチャネルの所与のセグメントでは、トーンシンボルの部分集合はＳ２スケーリングを使用し、セグメント内の残りのトーンシンボルの部分集合はＳ１スケーリングを使用する。これらの２個の部分集合への分割は、セグメントのために使用されたＢＳが割り当てた最大のレート選択肢と、ＷＴによって選択されセグメントのために使用された実際のレートとに応じてＷＴによって決定された、アップリンクのトラヒックチャネルのセグメントの帯域内インディケータＸに依存する。
【０１５３】
幾つかの実施形態では、Ｓ１は、アップリンクのトラヒックチャネルのセグメントのための、ｄＢで表現された、無線端末相対のチャネル電力のスケーリング係数を意味し、Ｓ２はＳ１より大きな値に設定され、例えば、Ｓ２＝Ｓ１＋２．６７であり、ここで、Ｓ１とＳ２は両方ともにｄＢで表現されている。幾つかのこのような実施形態では、Ｓ１及びＳ２を使用するスケーリング係数は、それぞれＳＱＲＴ（ＷＴ公称電力レベル）×１０（Ｓ１／２０）及びＳＱＲＴ（ＷＴ公称電力レベル）×１０（Ｓ２／２０）と等しい。ＷＴの公称電力レベルは、ＷＴの公称の１トーン当たりのｄＢｍ単位の送信電力を表し、ＷＴの公称電力の値は、一実施形態では、ＷＴと基地局との間の閉ループ電力制御を含む方法を使用して決定される。幾つかの実施形態では、Ｓ１の値は、レート選択肢に応じて決定され、例えば、レート選択肢（０，１，２，３，４，５，６，７）に対して、対応するＳ１の値はｄＢ表現された（−１．４，１．１，２．９，４．８，６．７，８．７，１０．７，１２．９）である。
【０１５４】
第２６図の例を検討する。第２６図はアップリンクのトラヒックチャネルの例示的なセグメント２６０２を説明している。トラヒックチャネルの例示的なセグメント２６０２の構造は、２８個のトーン×２８個のＯＦＤＭトーンシンボルのインデックスからなり、１１２個の順序付けされたトーンハーフスロットにさらに分割されている第２０図のトラヒックチャネルの例示的なセグメント２００２の構造であってもよい。ＷＴがアップリンクのチャネルのレート選択肢０を使用することに決定したと仮定する。ＷＴは、例えば、表２４００から、アップリンクのトラヒックチャネルのセグメントの帯域内インディケータＸが０に設定されることを決定する。その後、セグメント２６０２のｋ＝０，１１１であるトーンハーフスロットｋ毎に、ＷＴは、所与のトーンハーフスロットｋに対する相対インデックス値ｊに関して、変調シンボルスケーリングのＳ２レベルが割り当てられるべき１個のトーンシンボルを決定する。表２５５０に収容されている情報はこの決定に使用されうる。凡例２６０４は、斜行平行線の陰影付きで示されたＯＦＤＭトーンシンボル２６０６がスケーリング係数Ｓ２を使用すべきであり、陰影無しで示されたトーンシンボル２６０８がスケーリング係数Ｓ１を使用すべきであることを示している。
【０１５５】
第２７図の例を検討する。第２７図はアップリンクのトラヒックチャネルの例示的なセグメント２７０２を説明している。トラヒックチャネルの例示的なセグメント２７０２の構造は、１４個のトーン×５６個のＯＦＤＭトーンシンボルのインデックスからなり、１１２個の順序付けられたトーンハーフスロットにさらに分割されている第２１図のトラヒックチャネルの例示的なセグメント２１０２の構造であってもよい。ＷＴがアップリンクのチャネルのレート選択肢２を使用することに決定したと仮定する。ＷＴは、例えば、表２４００から、アップリンクのトラヒックチャネルのセグメントの帯域内インディケータＸが２に設定されることを決定する。その後、セグメント２７０２のｋ＝０，１１１であるトーンハーフスロットｋ毎に、ＷＴは、所与のトーンハーフスロットｋに対する相対インデックス値ｊに関して、変調シンボルスケーリングのＳ２レベルが割り当てられるべき１個のトーンシンボルを決定する。表２５５０に収容されている情報はこの決定に使用されうる。凡例２７０４は、斜行平行線の陰影付きで示されているようなＯＦＤＭトーンシンボル２７０６がスケーリング係数Ｓ２を使用すべきであり、陰影無しで示されているようなトーンシンボル２７０８がスケーリング係数Ｓ１を使用すべきであることを示している。
【０１５６】
アップリンクのトラヒックチャネルのセグメントの帯域内インディケータＸ及びアップリンクのトラヒックチャネルのセグメント内のトーンハーフスロット値ｋは、セグメントに対するＳ２スケーリング及びＳ１スケーリングのマッピングを決定する。アップリンクのトラヒックセグメントの帯域内インディケータＸは、４、５、又は、６という値であるとき、基地局からＷＴへ通信されるような許容された最大のアップリンクレートの値、及び／又はレギュラー若しくはフラッシュという割り当てのタイプに応じて２種類のアップリンクレート選択肢を指示する場合があることに注意すべきである。
【０１５７】
次に、第２８図の実施例を検討する。第２８図はアップリンクのトラヒックチャネルの例示的なセグメント２８０２を説明している。トラヒックチャネルの例示的なセグメント２８０２の構造は、１４個のトーン×５６個のＯＦＤＭトーンシンボルのインデックスからなり、１１２個の順序付けられたトーンハーフスロットにさらに分割されている第２１図のトラヒックチャネルの例示的なセグメント２１０２の構造であってもよい。ＢＳが割り当てた最大のレート選択肢のインディケータがアップリンクの最大のレート選択肢の５又は６を指示し、割り当てにレギュラー割り当てを用い、ＷＴがアップリンクのレート選択肢５を使用することに決定したと仮定する。或いは、最大のレート選択肢のインディケータがアップリンクの最大のレート選択肢の７を指示し、割り当てにレギュラー割り当てを用い、ＷＴがレート選択肢６を使用することに決定したと仮定する。或いは、最大のレート選択肢のインディケータがアップリンクの最大のレート選択肢の７を指示し、割り当てにフラッシュ割り当てを用い、ＷＴがアップリンクのレート選択肢６を使用することに決定したと仮定する。上記のシナリオの何れの場合でも、ＷＴは、例えば、表２４００から、アップリンクのトラヒックチャネルのセグメントの帯域内インディケータＸが５に設定されることを決定する。その後、セグメント２８０２のｋ＝０，１１１であるトーンハーフスロットｋ毎に、ＷＴは、所与のトーンハーフスロットｋに対する相対インデックス値ｊに関して、変調シンボルスケーリングのＳ２レベルが割り当てられるべき１個のトーンシンボルを決定する。表２５５０に収容されている情報はこの決定に使用されうる。凡例２８０４は、斜行平行線の陰影付きで示されているようなＯＦＤＭトーンシンボル２８０６がスケーリング係数Ｓ２を使用すべきであり、陰影無しで示されているようなトーンシンボル２８０８がスケーリング係数Ｓ１を使用すべきであることを示している。
【０１５８】
種々の上記の実施形態におけるアップリンクのトラヒックチャネルの所与のセグメントに対し、各トーンハーフスロットはアップリンクのトラヒックチャネルのセグメントの同じ帯域内インディケータ、したがって、同じレート選択肢の情報を伝達する。レート選択肢の情報を伝達するためにセグメントの各トーンハーフスロットを利用することにより、セグメントのため使用される２つの変調シンボルスケーリング係数の間の電力レベルの差は、レート選択肢の情報がセグメントのトーンハーフスロットの一部だけで伝達されるならば、同じレベルの検出能力を実現するために必要とされることになるレベルより低いレベルで設定されうる。幾つかのその他の実施形態では、アップリンクのトラヒックチャネルの一部分が本発明の方法を使用してセグメントのためのアップリンクのレート選択肢の情報を伝達するために使用され、アップリンクのトラヒックチャネルのセグメントの異なる部分はセグメントのためのアップリンクのレート選択肢の情報を伝達するために使用されない。
【０１５９】
第２９図は、本発明による２つのタイプのアップリンクのトラヒックチャネルの割り当てシグナリング技術を説明する表２９００を含む。幾つかの実施形態では、様々な符号化及び／又は変調技術が様々な割り当てシグナリング技術のため使用される。第１列２９０２は、アップリンクのトラヒックチャネルのセグメントの割り当てのため使用されるダウンリンクのトラヒック制御のサブチャネルのタイプ、すなわち、レギュラー又はフラッシュの一覧を表す。第２列２９０４は、フィールド名情報及びフィールドに対応するビット数を含むＷＴの割り当ての識別情報を収容する。第３列２９０６は、フィールド名情報及びフィールドに対応するビット数を含む最大のレートの情報を収容する。行２９０８は、アップリンクのトラヒックチャネルのセグメントの割り当て情報を提供するため使用されているレギュラーのダウンリンクトラヒック制御のサブチャネルのセグメントが、割り当ての対象とされたＷＴを特定するために使用される５ビットのＯＮ  ＩＤフィールドと、割り当てられたＷＴが対応するアップリンクのトラヒックチャネルの割り当てられたセグメントで使用することを許可された最大のレート選択肢を特定するために使用される３ビットのレート選択肢フィールドとを含むことを特定する情報を含む。行２９１０は、アップリンクのトラヒックチャネルのセグメントの割り当て情報を提供するため使用されているフラッシュのダウンリンクトラヒック制御のサブチャネルのセグメントが、割り当ての対象とされたＷＴを特定するために使用される５ビットのＯＮ  ＩＤフィールドと、割り当てられたＷＴが対応するアップリンクのトラヒックチャネルの割り当てられたセグメントで使用することを許可されたアップリンクの最大のレート選択肢を特定するためにＷＴによって使用可能である情報をＢＳからＷＴへ伝達するため使用される１ビットの輻輳表示フィールドを含むことを特定する情報を含む。
【０１６０】
第２９図は、アップリンクのトラヒックチャネルの対応するセグメントのためのレギュラーのＤＬトラヒック制御のサブチャネルのセグメントのレート選択肢フィールドで伝達された最大のレート選択肢の情報をさらに特定する付加的な情報を提供する表２９３０をさらに含む。第１列２９０２は、レート選択肢フィールドの３ビット値によって伝達可能であるレート選択肢の値の一覧（０，１，２，３，４，５，６，７）を表す。第２列２９０４は、各レート選択肢の値によってＢＳからＷＴへ伝達される情報の一覧を表す。レート選択肢の値（０，１，２，３，４，５，６，７）は、ＷＴがアップリンクのトラヒックチャネルの対応するセグメントのために使用することを許可されたＷＴのアップリンクの最大のレート選択肢がそれぞれレート選択肢（０，１，２，３，４，５，６，７）であることを伝達する。
【０１６１】
第２９図は、アップリンクのトラヒックチャネルの対応するセグメントのためのフラッシュのＤＬトラヒック制御のサブチャネルのセグメントの輻輳表示フィールドで伝達された最大のレート選択肢の情報をさらに特定する付加的な情報を提供する表２９５０をさらに含む。第１列２９５２は、輻輳表示フィールドの１ビット値によって伝達可能である輻輳表示値の一覧（０，１）を表す。第２列２９５４は、各輻輳表示値によってＢＳからＷＴへ伝達される情報の一覧を表す。輻輳表示値は、アップリンクのトラヒックチャネルの対応するセグメントのためにＷＴによって使用されうる最大の無線アップリンクのレート選択肢を表す。例えば、輻輳表示値０は、ＷＴに課された追加的な制約に従って、ＷＴがアップリンクの最大のレート選択肢３を許可されていることを表し、輻輳表示値１は、ＷＴに課された追加的な制約に従って、ＷＴがアップリンクの最大のレート選択肢７を許可されていることを表す。ＷＴはビーコン測定を実行し、ジェネリックビーコン比率のレポートを生成する。本発明によれば、輻輳表示値は、ＷＴによって実行された条件のレポート、例えば、ジェネリックビーコン比率のレポートに応じて、様々な意味を持つ。条件のレポートは、ビーコン信号を受信するＷＴによって決定されるような、例えば、ジェネリックビーコン比率のレポート、すなわち、ＷＴに関するサービス中の基地局セクターのダウンリンクビーコン信号の受信電力と、他の干渉中の各基地局セクターのダウンリンクビーコン信号の受信電力の合計との比率でもよい。ビーコン比率のレポートの出力値は、例えば、考えられるレベルである−６ｄＢ、−４ｄＢ、−２ｄＢ、０ｄＢ、１ｄＢ、２ｄＢ、３ｄＢ、４ｄＢ、６ｄＢ、８ｄＢ、１０ｄＢ、１２ｄＢ、１４ｄＢ、１６ｄＢ、１８ｄＢ、２０ｄＢに量子化されうる。輻輳表示値が０であり、ＷＴから送信されたジェネリックビーコン比率のレポートが１ｄＢ未満の比率を表すならば、ＷＴがアップリンクのトラヒックチャネルの対応するセグメントのために使用することを許可されているＷＴのアップリンクの最大のレート選択肢はレート選択肢０である。輻輳表示値が０であり、ジェネリックビーコン比率のレポートが１ｄＢ乃至４ｄＢの比率を表すならば、ＷＴがアップリンクのトラヒックチャネルの対応するセグメントのために使用することを許可されているＷＴのアップリンクの最大のレート選択肢はレート選択肢１である。輻輳表示値が０であり、ＷＴから送信されたジェネリックビーコン比率のレポートが６ｄＢ乃至１２ｄＢの比率を表すならば、ＷＴがアップリンクのトラヒックチャネルの対応するセグメントのために使用することを許可されているＷＴのアップリンクの最大のレート選択肢はレート選択肢２である。輻輳表示値が０であり、ジェネリックビーコン比率のレポートが１２ｄＢより大きな比率を表すならば、ＷＴがアップリンクのトラヒックチャネルの対応するセグメントのために使用することを許可されているＷＴのアップリンクの最大のレート選択肢はレート選択肢３である。輻輳表示値が１であり、ＷＴから送信されたジェネリックビーコン比率のレポートが１ｄＢ未満の比率を表すならば、ＷＴがアップリンクのトラヒックチャネルの対応するセグメントのために使用することを許可されているＷＴのアップリンクの最大のレート選択肢はレート選択肢３である。輻輳表示値が１であり、ジェネリックビーコン比率のレポートが１ｄＢ乃至４ｄＢの比率を表すならば、ＷＴがアップリンクのトラヒックチャネルの対応するセグメントのために使用することを許可されているＷＴのアップリンクの最大のレート選択肢はレート選択肢３である。輻輳表示値が１であり、ＷＴから送信されたジェネリックビーコン比率のレポートが６ｄＢ乃至１２ｄＢの比率を表すならば、ＷＴがアップリンクのトラヒックチャネルの対応するセグメントのために使用することを許可されているＷＴのアップリンクの最大のレート選択肢はレート選択肢５である。輻輳表示値が１であり、ジェネリックビーコン比率のレポートが１２ｄＢより大きな比率を表すならば、ＷＴがアップリンクのトラヒックチャネルの対応するセグメントのために使用することを許可されているＷＴのアップリンクの最大のレート選択肢はレート選択肢７である。
【０１６２】
第３０図は、例示的なＱＰＳＫのコンステレーションマッピングに対応する表３０００と、例示的なＱＡＭ１６のコンステレーションマッピングに対応する表３０５０とを含む。表３０００は、スケール係数１．００００００を使用する例示的なＱＰＳＫコンステレーションマッピングを含み、複素シンボル（（１，１）、（１，−１）、（−１，１）及び（−１，−１））にそれぞれマップされた４個の例示的なビットパターン（００，０１，１０，１１）を表す。表３０００は、ＱＰＳＫマッピングの場合に、所与のスケール係数が適用されると、４個の可能性の有る変調シンボルのそれぞれが複素シンボルの絶対値に関して同じ出力レベルを有し、例えば、スケール係数１．００００００のとき、４個の各変調シンボルは√２の絶対値を有することを示している。したがって、レート選択肢の情報を伝達するために、本発明に従って、ＱＰＳＫコンステレーションマッピングがアップリンクのトラヒックチャネルのセグメントのため使用され、２個のスケーリング係数が使用されるとき、２個の部分集合の変調シンボルの間のｄＢ表現の電力レベルに関するマージンは均一であり、例えば、より小さなスケーリングを使用するセグメントの変調シンボルは、より高いスケーリングを使用するセグメントの任意の他の変調シンボルとｄＢ表現で同じ電力差を有する。
【０１６３】
表３０５０は、スケール係数１／√５＝０．４４７２１４を使用する典型的なＱＡＭ１６のコンステレーションマッピングを含み、０．４４７２１４によってスケールされた複素シンボル（（１，−３）、（１，−１）、（１，３）、（１，１）、（３，−３）、（３，−１）、（３，３）、（３，１）、（−１，−３）、（−１，−１）、（−１，３）、（−１，１）、（−３，−３）、（−３，−１）、（−３，３）、（−３，１））にそれぞれマップされた１６個の例示的なビットパターン（００００，０００１，００１０，００１１，０１００，０１０１，０１１０，０１１１，１０００，１００１，１０１０，１０１１，１１００，１１０１，１１１０，１１１１）を表す。表３０５０は、ＱＡＭ１６のマッピングの場合に、所与のスケール係数が適用されると、４個の可能性の有る変調シンボルの第１の集合が複素シンボルの絶対値に関して同じ第１の出力レベルを有し、４個の可能性の有る変調シンボルの第２の集合が複素シンボルの絶対値に関して同じ第２の出力レベルを有し、８個の可能性の有る変調シンボルの第３の集合が複素シンボルの絶対値に関して同じ第３の出力レベルを有することを示している。例えば、絶対値√（２／５）をもつ第１の集合のメンバーである複素シンボル（１／√５，１／√５）に対応するビットパターン（００１１）、絶対値√（１８／５）をもつ第２の集合のメンバーである複素シンボル（３／√５，−３／√５）に対応するビットパターン（０１００）、プレスケーリング絶対値√（１０／５）をもつ第３の集合のメンバーである複素シンボル（１／√５，−３／√５）に対応するビットパターン（００００）を考える。ＱＡＭ１６のコンステレーションマッピングがアップリンクのトラヒックチャネルのセグメントのために使用されるとき、セグメントのための所与の変調シンボル又は変調シンボルの組み合わせの送信のために使用される実際の電力は、通信中の１個又は複数のビットパターンに依存する。その上、本発明によれば、レート選択肢の情報を伝達するために２個のスケーリング係数が使用されるとき、所与のセグメントのための実際のエネルギーマージンは通信中のデータパターンに依存する。それぞれが同じ所与のセグメントの異なる部分集合のため使用されるべき単一の値を表現するスケーリング係数Ｓ１及びＳ２は、所与の平均セグメントのために１トーン単位で設定されることに注意されたい。ＱＡＭ１６変調を使用するときに、エネルギー差によって伝達されたレート選択肢の情報を成功裡に復元する能力を、所与のセグメントのための実際のビットパターンは改変することが可能である。しかし本発明によれば、復元に失敗したセグメントの再送信の方法は、同じ情報を伝達するときに、典型的には送信ビットパターンを変更し、レート選択肢の情報が再送信中に成功裡に復元される可能性を高める。
【０１６４】
第３１図は、例示的な割り当て及びアップリンクのトラヒックチャネルの対応する例示的なセグメントを説明する図３１００である。水平軸３１０２は時間を表現する。２つのタイプの割り当て、すなわち、レギュラー型の割り当て及びフラッシュ型の割り当てが示され、割り当ての各タイプは異なる符号化及び変調方法を使用する。幾つかの実施形態では、所与の基地局に関して、フラッシュ割り当ての信号の電力レベルはレギュラー割り当ての信号の電力レベルより高い。典型的なレギュラー型の割り当ては、最大レートのインディケータ値を指定する３ビットを含み、レギュラー型の割り当てが８種類の最大レートのインディケータの選択肢に対応する８種類の値、例えば、システムによってサポートされているアップリンクのレート選択肢毎に１個ずつの、例えば、レート選択肢０，１，２，３，４，５，６，７を区別することを可能にさせる。典型的なフレッシュ型の割り当ては、最大レートのインディケータ値を指定する１ビットを含み、フラッシュ型の割り当てが、２個の最大レートのインディケータの選択肢に対応する２種類の値、例えば、システムによってサポートされているアップリンクの最大のレート選択肢に対応する１個の値である、例えば、レート選択肢７と、システムによってサポートされているアップリンクの中間のレート選択肢に対応する１個の値、例えば、レートオプション３とを区別することを可能にさせる。各割り当て（レギュラー割り当て３１０２、レギュラー割り当て３１０４、レギュラー割り当て３１０６、フラッシュ割り当て３１０８、レギュラー割り当て３１１０、フラッシュ割り当て３１１２）は、アップリンクのトラヒックチャネル（ＵＬ  ＴＣＨ）の対応するセグメント（ＵＬ  ＴＣＨセグメント１  ３５０２、ＵＬ  ＴＣＨセグメント２  ３５０４、ＵＬ  ＴＣＨセグメント３  ３５０６、ＵＬ  ＴＣＨセグメント４  ３５０８、ＵＬ  ＴＣＨセグメント５  ３５１０、ＵＬ  ＴＣＨセグメント６  ３５１２）とそれぞれ関連付けられている。基本的なタイミング／周波数の構造及び割り当てとアップリンクのトラヒックチャネルのセグメントとの間の関連性は、周期的に反復する。最大レートインディケータの情報を含む割り当ては、アップリンクの割り当てられているセグメントに一定のタイミング関係を有する所定の周期的な送信スケジュールに従って基地局によって送信される。アップリンクのトラヒックチャネル（ＵＬ  ＴＣＨ）の対応するセグメント（ＵＬ  ＴＣＨセグメント１  ３５０２’、ＵＬ  ＴＣＨセグメント２  ３５０４’、ＵＬ  ＴＣＨセグメント３  ３５０６’、ＵＬ  ＴＣＨセグメント４  ３５０８’、ＵＬ  ＴＣＨセグメント５  ３５１０’、ＵＬ  ＴＣＨセグメント６  ３５１２’）とそれぞれ関連付けられている割り当て（レギュラー割り当て３１０２’、レギュラー割り当て３１０４’、レギュラー割り当て３１０６’、フラッシュ割り当て３１０８’、レギュラー割り当て３１１０’、フラッシュ割り当て３１１２’）は、割り当ての集合（３１０２，３１０４，３１０６，３１０８，３１１０，３１１２）とアップリンクのトラヒックチャネルの対応するセグメント（３５０２，３５０４，３５０６，３５０８，３５１０，３５１２）の反復を表��している。第３０図の例では、反復構造中にアップリンクのトラヒックチャネルの６個のセグメントが存在する。他の実施形態では、反復構造中にアップリンクのトラヒックチャネルの異なる個数のセグメントが存在してもよく、例えば、レギュラー割り当てに対応するアップリンクのトラヒックチャネルの４９個のインデックス付きのセグメントと、フラッシュ割り当てに対応するアップリンクのトラヒックチャネルの２８個のインデックス付きのセグメントとを備えるアップリンクのトラヒックチャネルの７７個のインデックス付きのセグメントがタイミング及び周波数の構造中に存在してもよい。
【０１６５】
第３２図は、本発明に従って、無線通信システム内の無線端末を作動させる例示的な方法のフローチャート３２００である。例えば、無線通信システムは、基地局がアップリンクのトラヒックチャネルのセグメントのためのアップリンクの最大のレートのインディケータ値を通知し、受信され指示された最大のアップリンクデータレート選択肢以下である選択されたデータレート選択肢を使用して、アップリンクのトラヒックチャネルの割り当てられたセグメントで、ＷＴがデータを送信するＯＦＤＭスペクトル拡散多元接続無線通信システムであってもよい。このような例示的なＯＦＤＭシステムでは、基本伝送単位は、１個のＯＦＤＭシンボル伝送期間の間に１個のトーンと関連付けられたエアーリンクのリソースを表現するＯＦＤＭトーンシンボルである場合がある。
【０１６６】
動作方法はステップ３２０２で開始し、ＷＴは電源を投入され初期化される。ステップ３２０２において、ＷＴは、システム内の複数の基地局のうちの１台、例えば、ＷＴが現在位置しているセルに対応する基地局に登録してもよく、例えば、基地局が割り当てた無線端末の識別子を受信して、動作のＯＮ状態に移されてもよい。動作はステップ３２０２からステップ３２０４へ進む。
【０１６７】
ステップ３２０４において、ＷＴは、アップリンクのトラヒックチャネルのセグメント、例えば、再帰的な態様で反復する一定数の所定のトラヒックチャネルのインデックス付きのセグメントを含むアップリンクのタイミング／周波数の構造内のアップリンクのトラヒックチャネルのセグメントに対応する最大レートの選択肢のインディケータ値を含むアップリンクのトラヒックチャネルの割り当てを受信するために作動される。その後、ステップ３２０６において、ＷＴは、例えば、割り当て情報の一部として含まれているＷＴ識別子フィールドの内容を調べ、復元された情報をＷＴのＢＳが割り当てたＷＴの識別子と比較することにより、受信割り当てがこのＷＴ自身宛であるか、又は、基地局に登録されている別のＷＴ宛であるかを判定する。
【０１６８】
割り当てがこのＷＴ自身宛ではないならば、動作はステップ３２０６からステップ３２０４へ戻り、ＷＴは他の割り当てを受信し処理する。割り当てがＷＴ宛であるならば、動作はステップ３２０６から、割り当てに関係した動作のためのステップ３２０８、及び、さらなる割り当てを受信し処理するためにステップ３２０４へ進む。
【０１６９】
ステップ３２０８において、ＷＴは、アップリンクのチャネルの割り当てられたセグメントで送信されたデータに関する伝送レート情報を提供するアップリンクのレート選択肢の情報を指示する、アップリンクのチャネルの割り当てられたセグメントのための、インディケータ値を判定するために作動される。ステップ３２０８は、ＷＴが、受信された最大のレート選択肢の値が第１の値の集合と第２の値の集合のどちらからの値であるかを判定するサブステップ３２１０を含む。例えば、受信された最大のレート選択肢の値に関して、例示的な第１の値の集合は、値の集合｛０，１，２，３，４，５，６｝であってもよく、例示的な第２の値の集合は値｛７｝であってもよい。受信された最大のレート選択肢が第１の値の集合から生じるならば、動作はサブステップ３２１２へ進むが、受信された最大のレート選択肢の値が第２の値の集合から生ずるならば、動作はサブステップ３２１４へ進む。
【０１７０】
サブステップ３２１２において、ＷＴは、受信された最大のレート選択肢の値以下であるレート選択肢を選択する。その後、ステップ３２１６において、ＷＴは、第１の関数を使用して選択されたレート選択肢からインディケータ値へのマッピングを決定する。幾つかの実施形態では、第１の関数はアップリンクのチャネルのセグメントに対応する割り当てのタイプ、例えば、レギュラー又はフラッシュの関数でもある。例えば、選択されたレート選択肢からインディケータ値へマッピングする例示的な第１の関数は、レギュラー型の割り当てに対応する（０，１，２，３，４，５，６）−＞（０，１，２，３，４，５，６）であってもよく、フラッシュ型の割り当てに対応する（０，１，２，３，５，６）−＞（０，１，２，３，５，６）であってもよく、このマッピング関数はサブステップ３２１６においてＷＴによって使用される場合もある。
【０１７１】
サブステップ３２１４において、ＷＴは、受信された最大のレート選択肢の値以下であるレート選択肢を選択する。その後、ステップ３２１８において、ＷＴは、第２の関数を使用して選択されたレート選択肢の値からインディケータ値へのマッピングを決定する。例えば、選択されたレート選択肢からインディケータ値へマッピングする例示的な第２の関数は、（０，１，２，３，５，６，７）−＞（０，１，２，３，４，５，６）であってもよく、このマッピング関数はサブステップ３２１８においてＷＴによって使用される場合もある。
【０１７２】
動作は、サブステップ３２１６又はサブステップ３２１８からサブステップ３２２０へ進む。サブステップ３２２０において、ＷＴは、アップリンクの判定されたレート選択肢の情報を、データと共に、アップリンクのチャネルのセグメントで指示するために作動される。幾つかの実施形態では、サブステップ３２２０はサブステップ３２２２を含む。サブステップ３２２２において、無線端末は、インディケータ値を通信するためにセグメント内のエネルギーパターンを使用する。他の実施形態では、選択されたレート選択肢のマップされた値であるインディケータ値は、アップリンクのトラヒックチャネルのセグメントの異なる方法を使用するシグナリング、例えば、所定の符号化及び変調方式を使用する変調シンボルのコンステレーションの値によってインディケータを表現する符号化ビットを伝達するアップリンクのトラヒックチャネルのセグメント内の符号化されたサブブロックに含まれる。
【０１７３】
動作はステップ３２０８からステップ３２２４へ進む。ステップ３２２４において、ＷＴはアップリンクのチャネルの割り当てられたセグメントのエアーリンクのリソースを使用してアップリンク信号を送信するために作動され、アップリンク信号はデータ及び対応するレート選択肢の情報を含む。
【０１７４】
幾つかの実施形態では、インディケータ値はＮ個の可能な値のうちの１つであり、ＷＴによってサポートされているアップリンクデータレートの選択肢の総数はＮより大きく、ここで、Ｎは１より大きい正整数である。例えば、Ｎは７に等しくてもよく、無線端末によってサポートされているアップリンクデータレートの選択肢の総数は８であってもよい。
【０１７５】
種々の実施形態では、アップリンクのセグメントは複数の伝送単位を含み、インディケータ値はＮ個の可能なインディケータ値のうちの１つであり、Ｎ個の可能な各インディケータ値はセグメント内の伝送単位の別々の部分集合に対応し、インディケータ値は、より大きな電力スケール係数を、通信されているインディケータ値に対応する上記セグメント内の伝送単位の部分集合に適用することによって通信される。幾つかのこのような実施形態では、伝送単位のＮ個の異なる各部分集合は、Ｎ個の異なる部分集合のうちの最大で１個に対応する各伝送単位とは重ならない。幾つかのこのような実施形態では、セグメント内の全ての伝送単位が、Ｎ個の異なる部分集合の組み合わせから形成された部分集合の集合に含まれている。
【０１７６】
幾つかの実施形態では、伝送単位はＯＦＤＭトーンシンボルである。幾つかのこのような実施形態では、アップリンクのチャネルのセグメント、例えば、アップリンクのトラヒックチャネルのセグメントは、複数のトーンハーフスロット、例えば、１１２個のトーンハーフスロットを含み、各トーンハーフスロットは、同じトーンに対応する所定数の、例えば、７個の一時的な連続トーンシンボルを含み、該トーンハーフスロットはトーンハーフスロットの所定のインデックス値ｋを保有し、一のトーンハーフスロット内の各トーンシンボルはトーンシンボルの相対的なインデックスｊによって特定され、式ｊ＝ＭＯＤ（ｋ＋Ｘ，７）はＮ個のインディケータ値のうちの１個に対応するトーンシンボルの部分集合に属するトーンハーフスロット内のトーンシンボルを特定し、各トーンハーフスロット内の１個のトーンシンボルは通信されているインディケータ値に対応し、ここで、Ｘは通信されているインディケータ値であり、Ｘは０乃至６の範囲に入る整数であり、ｊは０乃至６の範囲に入る整数であり、ｋは、０から、セグメント内のトーンハーフスロットの総数−１までの範囲、例えば、０乃至１１１の範囲に入る整数である。
【０１７７】
幾つかの実施形態では、伝送単位はＯＦＤＭトーンシンボルである。幾つかのこのような実施形態では、アップリンクのチャネルのセグメント、例えば、アップリンクのトラヒックチャネルのセグメントは、複数のトーンハーフスロット、例えば、１１２個のトーンハーフスロットを含み、各トーンハーフスロットは、同じトーンに対応する所定数の、例えば、７個の一時的な連続トーンシンボルを含み、トーンハーフスロットはトーンハーフスロットの所定のインデックス値ｋを保有し、該トーンハーフスロット内の各トーンシンボルはトーンシンボルの相対的なインデックスｊによって特定され、式ｊ＝ＭＯＤ（ｋ−Ｘ，７）はＮ個のインディケータ値のうちの１個に対応するトーンシンボルの部分集合に属するトーンハーフスロット内のトーンシンボルを特定し、各トーンハーフスロット内の１個のトーンシンボルは通信されているインディケータ値に対応し、ここで、Ｘは通信されているインディケータ値であり、Ｘは０乃至６の範囲に入る整数であり、ｊは０乃至６の範囲に入る整数であり、ｋは、０から、セグメント内のトーンハーフスロットの総数−１までの範囲、例えば、０乃至１１１の範囲に入る整数である。
【０１７８】
幾つかの実施形態では、伝送単位はＯＦＤＭトーンシンボルである。幾つかのこのような実施形態では、アップリンクのチャネルのセグメント、例えば、アップリンクのトラヒックチャネルのセグメントは、複数のトーンハーフスロット、例えば、ｎ個のトーンハーフスロットを含み、各トーンハーフスロットは、同じトーンに対応する所定数の、例えば、ｍ個の一時的な連続トーンシンボルを含み、該トーンハーフスロットはトーンハーフスロットの所定のインデックス値ｋを保有し、トーンハーフスロット内の各トーンシンボルはトーンシンボルの相対的なインデックスｊによって特定され、式ｊ＝ＭＯＤ（ｋ＋Ｘ，ｍ）はＮ個のインディケータ値のうちの１個に対応するトーンシンボルの部分集合に属するトーンハーフスロット内のトーンシンボルを特定し、各トーンハーフスロット内の１個のトーンシンボルは通信されているインディケータ値に対応し、ここで、Ｘは通信されているインディケータ値であり、Ｘは０乃至ｍ−１の範囲に入る整数であり、ｊは０乃至ｍ−１の範囲に入る整数であり、ｋは、０から、セグメント内のトーンハーフスロットの総数−１までの範囲、すなわち、ｎ−１の範囲に入る整数であり、ここで、ｎは２以上の正整数であり、ｍは４以上の正整数である。幾つかのこのような実施形態では、ｍ＝７である。
【０１７９】
幾つかの実施形態では、伝送単位はＯＦＤＭトーンシンボルである。幾つかのこのような実施形態では、アップリンクのチャネルのセグメント、例えば、アップリンクのトラヒックチャネルのセグメントは、複数のトーンハーフスロット、例えば、ｎ個のトーンハーフスロットを含み、各トーンハーフスロットは、同じトーンに対応する所定数の、例えば、ｍ個の一時的な連続トーンシンボルを含み、該トーンハーフスロットはトーンハーフスロットの所定のインデックス値ｋを保有し、トーンハーフスロット内の各トーンシンボルはトーンシンボルの相対的なインデックスｊによって特定され、式ｊ＝ＭＯＤ（ｋ−Ｘ，ｍ）はＮ個のインディケータ値のうちの１個に対応するトーンシンボルの部分集合に属するトーンハーフスロット内のトーンシンボルを特定し、各トーンハーフスロット内の１個のトーンシンボルは通信されているインディケータ値に対応し、ここで、Ｘは通信されているインディケータ値であり、Ｘは０乃至ｍ−１の範囲に入る整数であり、ｊは０乃至ｍ−１の範囲に入る整数であり、ｋは、０から、セグメント内のトーンハーフスロットの総数−１までの範囲、すなわち、ｎ−１の範囲に入る整数であり、ここで、ｎは２以上の正整数であり、ｍは４以上の正整数である。幾つかのこのような実施形態では、ｍ＝７である。
【０１８０】
第３８図は、本発明に従って、無線通信システム内の無線端末を作動させる例示的な方法のフローチャート３８００である。例えば、無線通信システムは、基地局がアップリンクのトラヒックチャネルのセグメントのためのアップリンクの最大のレートのインディケータ値を通知し、受信され指示された最大のアップリンクデータレート選択肢以下である選択されたデータレート選択肢を使用してアップリンクのトラヒックチャネルの割り当てられたセグメントでＷＴがデータを送信するＯＦＤＭスペクトル拡散多元接続無線通信システムであってもよい。このような例示的なＯＦＤＭシステムでは、基本伝送単位は、１個のＯＦＤＭシンボル伝送期間の間に１個のトーンと関連付けられたエアーリンクのリソースを表現するＯＦＤＭトーンシンボルであってもよい。
【０１８１】
動作方法はステップ３８０２で開始し、ＷＴは電源が投入され初期化される。ステップ３８０２において、ＷＴは、システム内の複数の基地局のうちの１台、例えば、ＷＴが現在位置しているセルに対応する基地局に登録してもよく、例えば、基地局が割り当てた無線端末の識別子を受信して、動作のＯＮ状態に移されてもよい。動作はステップ３８０２からステップ３８０４へ進む。
【０１８２】
ステップ３８０４において、ＷＴは、アップリンクのトラヒックチャネルのセグメント、例えば、再帰的な態様で反復する一定数の所定のトラヒックチャネルのインデックス付きのセグメントを含むアップリンクのタイミング／周波数の構造内のアップリンクのトラヒックチャネルのセグメントに対応する最大レートの選択肢のインディケータ値を含むアップリンクのトラヒックチャネルの割り当てを受信するために作動される。その後、ステップ３８０６において、ＷＴは、例えば、割り当て情報の一部として含まれているＷＴの識別子フィールドの内容を調べ、復元された情報をＷＴのＢＳが割り当てたＷＴの識別子と比較することにより、受信された割り当てがこのＷＴ自身宛であるか、又は、基地局に登録されている別のＷＴ宛であるかを判定する。
【０１８３】
割り当てがこのＷＴ自身宛ではないならば、動作はステップ３８０６からステップ３８０４へ戻り、ＷＴは他の割り当てを受信し処理する。割り当てがＷＴ宛であるならば、動作はステップ３８０６から、割り当てに関係した動作のためのステップ３８０８、及び、さらなる割り当てを受信し処理するためにステップ３８０４へ進む。
【０１８４】
ステップ３８０８において、アップリンクのチャネルの割り当てられたセグメントで送信されたデータに関する伝送レート情報を提供するアップリンクのレート選択肢の情報を指示する、アップリンクのチャネルの割り当てられたセグメントのためのインディケータ値を判定するために、ＷＴは作動される。ステップ３８０８は、ＷＴが、受信された割り当てが第１のタイプの割り当て、例えば、レギュラー型の割り当てであるか、又は、第２のタイプの割り当て、例えば、フラッシュ型の割り当てであるかどうかを判定するサブステップ３８１０を含む。受信された割り当てが第１のタイプの割り当てであるならば、動作はサブステップ３８１０からサブステップ３８１２へ進むが、受信された割り当てが第２のタイプの割り当てであるならば、動作はサブステップ３８１０からサブステップ３８１４へ進む。
【０１８５】
サブステップ３８１２において、ＷＴは、受信された最大のレート選択肢の値が第１の値の集合と第２の値の集合のどちらからの値であるかを判定する。例えば、受信された最大のレート選択肢の値に関して、例示的な第１の値の集合は、値の集合｛０，１，２，３，４，５，６｝であってもよく、例示的な第２の値の集合は値｛７｝であってもよい。受信された最大のレート選択肢が第１の値の集合から生じるならば、動作はサブステップ３８１２へ進むが、受信された最大のレート選択肢の値が第２の値の集合から生ずるならば、動作はサブステップ３８１８へ進む。
【０１８６】
サブステップ３２１６において、受信された最大のレート選択肢の値以下であり、かつ、第１の集合と関連付けられたレート選択肢の集合内のレート選択肢をＷＴは選択する。例えば、ＷＴは、基地局から通信された受信された最大のレート選択肢の値以下であるレート選択肢の集合｛０，１，２，３，４，５，６｝内のアップリンクデータレートの選択肢を選択してもよい。その後、ステップ３８２０において、ＷＴは、第１の関数を使用して選択されたレート選択肢からインディケータ値へのマッピングを決定する。例えば、選択されたレート選択肢からインディケータ値へマッピングする例示的な第１の関数は、（０，１，２，３，４，５，６）−＞（０，１，２，３，４，５，６）であってもよく、このマッピング関数はサブステップ３８２０においてＷＴによって使用されてもよい。
【０１８７】
サブステップ３８１８において、ＷＴは、受信された最大のレート選択肢の値以下であり、かつ、第２の集合と関連付けられたレート選択肢の集合内のレート選択肢を選択する。例えば、ＷＴは、基地局へ通信された受信された最大のレート選択肢の値以下であるレート選択肢の集合｛０，１，２，３，５，６，７｝内のアップリンクデータレートの選択肢を選択してもよい。その後、ステップ３８２２において、ＷＴは、第２の関数を使用して選択されたレート選択肢からインディケータ値へのマッピングを決定する。例えば、選択されたレート選択肢からインディケータ値へマッピングする例示的な第２の関数は、（０，１，２，３，５，６，７）−＞（０，１，２，３，４，５，６）であってもよく、このマッピング関数はサブステップ３８２２においてＷＴによって使用されてもよい。
【０１８８】
サブステップ３８１４において、ＷＴは、受信された最大のレート選択肢の値以下であり、かつ、第２のタイプの割り当てと関連付けられたレート選択肢の集合内のレート選択肢を選択する。幾つかの実施形態では、第２のタイプの割り当てと関連付けられたレート選択肢の集合は、第２の集合と関連付けられたレート選択肢の集合と同じである。例えば、ＷＴは、基地局へ通信された受信された最大のレート選択肢の値以下であるレート選択肢の集合｛０，１，２，３，５，６，７｝内のアップリンクデータレートの選択肢を選択しうる。幾つかの実施形態では、ステップ３８１４におけるレート選択肢の選択は、干渉情報、例えば、ビーコン比率のレポートの使用を含む。例えば、基地局から通信された受信された最大のレート選択肢の値は、ＷＴによって実行された干渉測定の関数としての見込まれる減少の影響を受ける場合があり、その結果として、受信された最大のレート選択肢の値以下である新しい最大のレート選択肢の値を生じ、その後に、ＷＴは、例えば、通信すべきデータ量及び／又はデータの時間的な臨界性の関数として、アップリンクの使用すべきデータレート選択肢を選択し、選択されたアップリンクデータレートの選択肢は新しい最大のレート選択肢の値以下である。動作はステップ３８１４からステップ３８２４へ進む。
【０１８９】
サブステップ３８２４において、ＷＴは、第３の関数を使用して選択されたレート選択肢からインディケータ値へのマッピングを決定する。幾つかの実施形態では、ステップ３８２４の第３の関数は、ステップ３８２２で使用された第２の関数と同じである。例えば、選択されたレート選択肢からインディケータ値へマッピングする例示的な第３の関数は、（０，１，２，３，５，６，７）−＞（０，１，２，３，４，５，６）であってもよく、このマッピング関数はサブステップ３２２４においてＷＴによって使用されてもよい。
【０１９０】
動作は、サブステップ３８２０又はサブステップ３８２２又はサブステップ３８２４からサブステップ３８２６へ進む。サブステップ３８２６において、ＷＴは、アップリンクの判定されたレート選択肢の情報を、データと共に、アップリンクのチャネルのセグメントで指示するために作動される。幾つかの実施形態では、サブステップ３８２６はサブステップ３８２８を含む。サブステップ３８２８において、無線端末は、インディケータ値を通信するためにセグメント内のエネルギーパターンを使用する。他の実施形態では、選択されマップされたレート選択肢の値であるインディケータ値は、アップリンクのトラヒックチャネルのセグメントの異なる方法を使用するシグナリング、例えば、所定の符号化及び変調方式を使用して変調シンボル値を伝達するアップリンクのトラヒックチャネルのセグメント内の符号化されたサブブロックに含まれる。幾つかのこのような実施形態では、インディケータ値を伝達するサブブロックは、非コヒーレント変調方法、例えば、零ＱＰＳＫ変調シンボルと非零ＱＰＳＫ変調シンボルの組み合わせを使用してもよく、一方、符号化されたユーザデータを伝達するアップリンクのセグメントの一部はコヒーレント変調方式を使用してもよい。
【０１９１】
動作はステップ３２２６からステップ３８４０へ進む。ステップ３８４０において、ＷＴはアップリンクのチャネルの割り当てられたセグメントのエアーリンクのリソースを使用してアップリンク信号を送信するために作動され、アップリンク信号はデータ及び対応するレート選択肢の情報を含む。
【０１９２】
幾つかの実施形態では、インディケータ値はＮ個の可能な値のうちの１つであり、ＷＴによってサポートされているアップリンクデータレートの選択肢の総数はＮより大きく、ここで、Ｎは１より大きい正整数である。例えば、Ｎは７に等しくてもよく、無線端末によってサポートされているアップリンクデータレートの選択肢の総数は８であってもよい。
【０１９３】
種々の実施形態では、アップリンクのセグメントは複数の伝送単位を含み、インディケータ値はＮ個の可能なインディケータ値のうちの１つであり、Ｎ個の可能な各インディケータ値はセグメント内の伝送単位の別々の部分集合に対応し、インディケータ値は、より大きな電力スケール係数を、通信されているインディケータ値に対応する上記セグメント内の伝送単位の部分集合に適用することによって通信される。幾つかのこのような実施形態では、伝送単位のＮ個の異なる各部分集合は、Ｎ個の異なる部分集合のうちの最大で１個に対応する各伝送単位と重ならない。幾つかのこのような実施形態では、セグメント内の全ての伝送単位が、Ｎ個の異なる部分集合の組み合わせから形成された部分集合の集合に含まれている。
【０１９４】
幾つかの実施形態では、伝送単位はＯＦＤＭトーンシンボルである。幾つかのこのような実施形態では、アップリンクのチャネルのセグメント、例えば、アップリンクのトラヒックチャネルのセグメントは、複数のトーンハーフスロット、例えば、１１２個のトーンハーフスロットを含み、各トーンハーフスロットは、同じトーンに対応する所定数の、例えば、７個の一時的な連続トーンシンボルを含み、該トーンハーフスロットはトーンハーフスロットの所定のインデックス値ｋを保有し、一のトーンハーフスロット内の各トーンシンボルはトーンシンボルの相対的なインデックスｊによって特定され、式ｊ＝ＭＯＤ（ｋ＋Ｘ，７）はＮ個のインディケータ値のうちの１個に対応するトーンシンボルの部分集合に属するトーンハーフスロット内のトーンシンボルを特定し、各トーンハーフスロット内の１個のトーンシンボルは通信されているインディケータ値に対応し、ここで、Ｘは通信されているインディケータ値であり、Ｘは０乃至６の範囲に入る整数であり、ｊは０乃至６の範囲に入る整数であり、ｋは、０から、セグメント内のトーンハーフスロットの総数−１までの範囲、例えば、０乃至１１１の範囲に入る整数である。
【０１９５】
幾つかの実施形態では、伝送単位はＯＦＤＭトーンシンボルである。幾つかのこのような実施形態では、アップリンクのチャネルのセグメント、例えば、アップリンクのトラヒックチャネルのセグメントは、複数のトーンハーフスロット、例えば、１１２個のトーンハーフスロットを含み、各トーンハーフスロットは、同じトーンに対応する所定数の、例えば、７個の一時的な連続トーンシンボルを含み、該トーンハーフスロットはトーンハーフスロットの所定のインデックス値ｋを保有し、一のトーンハーフスロット内の各トーンシンボルはトーンシンボルの相対的なインデックスｊによって特定され、式ｊ＝ＭＯＤ（ｋ−Ｘ，７）はＮ個のインディケータ値のうちの１個に対応するトーンシンボルの部分集合に属するトーンハーフスロット内のトーンシンボルを特定し、各トーンハーフスロット内の１個のトーンシンボルは通信されているインディケータ値に対応し、ここで、Ｘは通信されているインディケータ値であり、Ｘは０乃至６の範囲に入る整数であり、ｊは０乃至６の範囲に入る整数であり、ｋは、０から、セグメント内のトーンハーフスロットの総数−１までの範囲、例えば、０乃至１１１の範囲に入る整数である。
【０１９６】
幾つかの実施形態では、伝送単位はＯＦＤＭトーンシンボルである。幾つかのこのような実施形態では、アップリンクのチャネルのセグメント、例えば、アップリンクのトラヒックチャネルのセグメントは、複数のトーンハーフスロット、例えば、ｎ個のトーンハーフスロットを含み、各トーンハーフスロットは、同じトーンに対応する所定数の、例えば、ｍ個の一時的な連続トーンシンボルを含み、該トーンハーフスロットはトーンハーフスロットの所定のインデックス値ｋを保有し、一のトーンハーフスロット内の各トーンシンボルはトーンシンボルの相対的なインデックスｊによって特定され、式ｊ＝ＭＯＤ（ｋ＋Ｘ，ｍ）はＮ個のインディケータ値のうちの１個に対応するトーンシンボルの部分集合に属するトーンハーフスロット内のトーンシンボルを特定し、各トーンハーフスロット内の１個のトーンシンボルは通信されているインディケータ値に対応し、ここで、Ｘは通信されているインディケータ値であり、Ｘは０乃至ｍ−１の範囲に入る整数であり、ｊは０乃至ｍ−１の範囲に入る整数であり、ｋは、０から、セグメント内のトーンハーフスロットの総数−１までの範囲、すなわち、ｎ−１の範囲に入る整数であり、ここで、ｎは２以上の正整数であり、ｍは４以上の正整数である。幾つかのこのような実施形態では、ｍ＝７である。
【０１９７】
幾つかの実施形態では、伝送単位はＯＦＤＭトーンシンボルである。幾つかのこのような実施形態では、アップリンクのチャネルのセグメント、例えば、アップリンクのトラヒックチャネルのセグメントは、複数のトーンハーフスロット、例えば、ｎ個のトーンハーフスロットを含み、各トーンハーフスロットは、同じトーンに対応する所定数の、例えば、ｍ個の一時的な連続トーンシンボルを含み、該トーンハーフスロットはトーンハーフスロットの所定のインデックス値ｋを保有し、一のトーンハーフスロット内の各トーンシンボルはトーンシンボルの相対的なインデックスｊによって特定され、式ｊ＝ＭＯＤ（ｋ−Ｘ，ｍ）はＮ個のインディケータ値のうちの１個に対応するトーンシンボルの部分集合に属するトーンハーフスロット内のトーンシンボルを特定し、各トーンハーフスロット内の１個のトーンシンボルは通信されているインディケータ値に対応し、ここで、Ｘは通信されているインディケータ値であり、Ｘは０乃至ｍ−１の範囲に入る整数であり、ｊは０乃至ｍ−１の範囲に入る整数であり、ｋは、０から、セグメント内のトーンハーフスロットの総数−１までの範囲、すなわち、ｎ−１の範囲に入る整数であり、ここで、ｎは２以上の正整数であり、ｍは４以上の正整数である。幾つかのこのような実施形態では、ｍ＝７である。
【０１９８】
第３３図は、本発明に従って実施され、本発明の方法を使用する例示的な無線端末３３００、例えば、移動ノードの図である。無線端末３３００は、種々のエレメントがデータ及び情報を交換するため用いるバス３３１２を介して一緒に連結されている受信機３３０２、送信機３３０４、プロセッサ３３０６、ユーザＩ／Ｏ機器３３０８、及び、メモリ３３１０を含む。
【０１９９】
受信機３３０２は受信アンテナ３３０３に連結され、無線端末３３００は、この受信アンテナを介して、基地局から、割り当て信号を含むダウンリンク信号を受信可能であり、例えば、割り当て信号は、アップリンク、例えば、トラヒックチャネルの割り当てを含み、セグメントはアップリンクの最大のレート選択肢のインディケータの情報を含む。受信機３３０２は受信されたダウンリンク信号を復号化する復号器３３１４を含む。
【０２００】
送信機３３０４は送信アンテナ３３０５に連結され、ＷＴ３３００は、この送信アンテナを介して、割り当てられたセグメントを使用して、アップリンク信号、例えば、アップリンクのリソース要求信号及びアップリンクのトラヒックチャネル信号のような信号を基地局へ送信できる。幾つかの実施形態では、同じアンテナが送信機３３０４と受信機３３０２の両方のため使用される。送信機３３０４は、符号化器モジュール３３１６、変調器モジュール３３１８、レート選択肢指示モジュール３３２０、及び、送信モジュール３３２２を含む。
【０２０１】
符号化器モジュール３３１６は、アップリンクのレート選択肢に対応する符号化レートで、送信されるべきデータビットから生成される符号化ビットを生成する。変調器モジュール３３１８は、アップリンクのレート選択肢に対応する変調方法を使用して、符号化ビットを変調シンボルに変調する。例えば、ＷＴ３３００は、ＷＴに割り当てられたアップリンクのトラヒックチャネルのセグメントのためにアップリンクの特定のデータレート選択肢を使用することを選択していたかもしれず、選択されたデータレート選択肢は符号化レート及び変調方法に対応している。対応する符号化レートの情報は、情報ビットとも呼ばれることがあるデータビットの集合の符号化されたビットの集合への符号化、例えば、セグメントのブロック符号化を実行するために符号化器モジュール３３１６によって使用される。対応する変調方法、例えば、ＱＰＳＫ又はＱＡＭ１６は、符号化器モジュール３３１６から出力された符号化されたビットを変調器モジュール３３１８を用いて変調シンボル値にマッピングするために使用されるコンステレーションを決定する。
【０２０２】
レート選択肢指示モジュール３３２０は、アップリンクの伝送セグメント毎に、アップリンクの伝送セグメントに対応するデータの符号化のために使用されるアップリンクのレート選択肢の指標を生成する。幾つかの実施形態では、レート選択肢指示モジュール３３２０は、スケーリングモジュール３３２４及び符号化ビットモジュール３３２６のうちの一方を含む。スケーリングモジュール３３２４は、アップリンクのトラヒックチャネルの所与のセグメントに関して、インディケータ値を通信するセグメント内のエネルギーパターンを生成するために、変調モジュール３３１８から出力された変調シンボルの少なくとも幾つかを、アップリンクのトラヒックチャネルのセグメントに対応する決定されたレート選択肢のインディケータ値に応じて拡大縮小する。符号化ビットモジュール３３２６は、アップリンクのトラヒックチャネルのセグメント内のシンボルのコンステレーション値として送信された、レート選択肢のインディケータ値を指示する符号化されたビットを含むことにより、アップリンクのレート選択肢の指標を生成する。
【０２０３】
送信モジュール３３２２、例えば、送信機３３０４の電力増幅器の出力段は、データビットと、送信セグメントに対応するアップリンクのレート選択肢のインディケータとの両方を伝達する送信変調シンボルを送信する。例えば、スケーリングモジュール３３２４を使用する実施形態では、送信変調シンボルは、変調モジュール３３１８からの出力された変調シンボルに対応してもよいが、変調モジュール３３１８からの出力された変調シンボルの部分集合はモジュール３３２４によって再スケーリングされている。符号化ビットモジュール３３２６を使用する幾つかの実施形態では、送信変調シンボルは、符号化されたインディケータのビットを伝達するシンボルと、符号化されたインディケータのビットを伝達するシンボルとに分割されてもよい。符号化ビットモジュール３３２６を使用する他の実施形態では、送信モジュールのシンボルの少なくとも一部は、符号化されたデータビットと符号化されたインディケータのビットの両方を伝達してもよい。
【０２０４】
例えば、ディスプレイ、スピーカー、マイクロホン、カメラ、キーパッド、キーボード、マウス、制御スイッチなどのユーザＩ／Ｏ機器３３０８は、ＷＴ３３００のユーザが、データ／情報を入力し、データ／情報を出力し、例えば、電源を投入する、発呼するなどの機能を制御することを可能にさせる。  メモリ３３１０は、ルーチン３３２８及びデータ／情報３３３０を含む。プロセッサ３３０６、例えば、ＣＰＵは、ＷＴ３３００の動作を制御し、本発明の方法を実装するために、ルーチン３３２８を実行し、メモリ３３１０内のデータ／情報３３３０を使用する。ルーチン３３２８は、通信ルーチン３３２２及びＷＴ制御ルーチン３３３４を含む。通信ルーチン３３３２はＷＴ３３００によって実装される通信プロトコルを実装する。ＷＴ制御ルーチン３３３４は、受信機制御モジュール３３３６、送信機制御モジュール３３３８、ユーザインタフェース制御モジュール３３４０、及び、インディケータ値決定モジュール３３４２を含む。受信機制御モジュール３３３６は受信機３３０２の動作を制御し、送信機制御モジュールは送信機３３０４の動作を制御し、ユーザインタフェース制御モジュール３３４０はユーザＩ／Ｏ機器３３０８の動作を制御する。
【０２０５】
インディケータ値決定モジュール３３４２は、例えば、ＷＴに割り当てられたアップリンクのトラヒックチャネルの所与のセグメントに対し、最大のレート選択肢の値及び選択されたレート選択肢からインディケータ値を決定する。決定されたインディケータ値は、アップリンクのレート選択肢の指標を生成するためにレート選択肢指示モジュール３３２０によって使用される。インディケータ値決定モジュール３３４２はマッピングモジュール３３４４を含む。マッピングモジュール３３４４は、セグメントに対応する受信された最大のレート選択肢の値が第１の値の集合に入るときには第１の関数を使用して、受信された最大のレート選択肢の値が第１の値の集合と異なる第２の値の集合に入るときには第１の関数と異なる第２の関数を使用して、ＷＴ３３００に割り当てられたアップリンクのトラヒックチャネルのセグメントに対応する選択されたレート選択肢を、インディケータ値にマップする。
【０２０６】
データ／情報３３３０は、ＷＴデータ／情報３３３１、アップリンクのリソース要求メッセージ３３３３、アップリンクの受信されたセグメント割り当てのメッセージ３３３５、及び、システムデータ／情報３３３７を含む。ＷＴデータ／情報３３３１は、ユーザデータ３３３９、基地局の識別情報３３４８、ＷＴの識別情報３３４１、機器／セッション／リソース情報３３５０、及び、アップリンクの割り当てられたセグメントの情報（ＵＬの割り当てられたセグメント１の情報３３５２、．．．、ＵＬの割り当てられたセグメントＮの情報３３５３）を含む。ユーザデータ３３３９、例えば、音声データ、映像データ、テキストデータ、ファイルなどは、ＷＴ３３００のピアノードとの通信セッションに属するデータを含む。ＷＴの識別情報３３４１は、基地局が割り当てたＷＴのユーザの識別子、例えば、アクティブユーザ識別子を含む。基地局の識別情報３３４８は、ＷＴ３３００が現時点でネットワークへの接続ポイントとして使用している基地局と関連付けられた識別子を含む。機器／セッション／リソース情報３３５０は、例えば、機器制御情報、ピアノードを識別する情報のような進行中のセッションの情報、ルーティング情報など、及び、基地局によってＷＴ３３００に割り当てられたアップリンク及びダウンリンクのトラヒックチャネルのセグメントを識別する情報を含む割り当てセグメント情報とを含む。
【０２０７】
アップリンクの割り当てられたセグメント１の情報３３５２は、アップリンクの割り当てのタイプの情報３３５４、アップリンクのセグメントの識別情報３３５６、アップリンクの受信された最大の許容されるデータレートの情報３３５８、選択されたアップリンクデータ伝送レートの情報３３６０、インディケータ値３３６２、ユーザデータビット３３６４、符号化されたビット３３６６、変調シンボル値３３６８、送信変調シンボル値３３７０を含む。アップリンクの割り当てのタイプの情報３３５４は、アップリンクのセグメントに対応する割り当てのタイプ、例えば、レギュラー割り当て、又は、フラッシュ割り当てを特定する情報を含む。幾つかの実施形態では、１又は複数のマッピング関数は割り当てのタイプにも依存しうる。アップリンクのセグメントの識別情報３３５６は、例えば、インデックス値を用いてアップリンクのセグメントを特定する情報を含む。例えば、アップリンクのタイミング及び周波数の構造は、アップリンクのトラヒックチャネルの一定数のインデックス付きのセグメントを含んでもよく、アップリンクのインデックス付きのセグメントの集合が反復する場合がある。アップリンクの受信された最大の許容されるデータレート３３５８は、基地局が通信するアップリンクの最大のレート選択肢のインディケータ値を含む。選択されたアップリンクデータ伝送レート３３６０は、例えば、アップリンクのトラヒックチャネルのセグメントで通信されるべきデータビットのデータビット数又はフレーム数に対応する、アップリンクのトラヒックチャネルのセグメントのために使用されるべきＷＴが選択したアップリンクデータレートの選択肢を含む。選択されたアップリンクのレート選択肢は受信された最大の許容されるアップリンクのレート選択肢以下である。幾つかの実施形態では、幾つかのセグメントに対し、アップリンクのトラヒックチャネルのセグメントのためのＷＴのアップリンクのレート選択肢の選択プロセスにおいて、アップリンクの最大のレート選択肢が、ＷＴで判定された干渉情報、例えば、ビーコン比率のレポートに基づいてＢＳ値からさらに低減され、その後に、選択が、例えば、通信されるべき情報量及び／又は情報の緊急性に基づいて、ＷＴによって実行される。
【０２０８】
インディケータ値３３６２は、インディケータ値決定モジュール３３４２の出力であり、インディケータ値をアップリンクのトラヒックチャネルのセグメント信号に取り入れるためにレート選択肢指示モジュール３３２０によって使用される。幾つかの実施形態では、インディケータ値は、Ｎ個の可能なインディケータ値のうちの１つであり、Ｎ個の可能な各インディケータ値はアップリンクのトラヒックチャネルのセグメント内の伝送単位の異なる部分集合に対応し、各伝送単位がセグメント内で通信されるべき上記変調シンボルのうちの１つに対応し、通信されるべきインディケータ値に対応するセグメント内の伝送単位の部分集合に対応する変調シンボルに対して、より大きな電力スケール係数を適用するスケーリングモジュール３３２４によってインディケータ値が通信され、ここでＮは１より大きな正整数である。幾つかの実施形態では、伝送単位中のＮ個の異なる各部分集合は、Ｎ個の異なる部分集合のうちの最大１個に対応する各伝送単位と重ならない。幾つかのこのような実施形態では、全ての伝送単位が伝送単位のＮ通りの部分集合の組み合わせから形成された部分集合の集合に含まれている。
【０２０９】
ユーザデータビット３３６４は、符号化器モジュール３３１６へ入力されるべき、セグメントに対応している、例えば、音声、映像、テキスト、ファイルなどを表現するユーザ情報のビットであり、符号化されたビット３３６６は符号器モジュール３３１６の出力ビットを表現する。符号化されたビット３３６６は、変調モジュール３３１８によって変調シンボル値３３６８にマップされる。送信モジュールのシンボル値３３７０は、送信モジュール３３２２によって送信されたシンボル値であり、変調シンボル値に対応し、例えば、変調シンボル値３３６８の一部は、インディケータ値３３６２を伝達するセグメントのためのエネルギーパターンを生成するためにスケーリングモジュール３３２４によって再スケーリングされている。
【０２１０】
ＵＬのリソース要求メッセージ３３３３は、アップリンクのトラヒックチャネルのエアーリンクのリソースの要求、例えば、セグメントの要求、及び／又は、アップリンクを介して通信されるべきユーザデータビットの量、例えば、フレーム数を特定する要求を含む。アップリンクの受信されたセグメント割り当てのメッセージ３３３５は、アップリンクの対応するセグメントが割り当てられたＷＴを識別する受信情報及び最大のレート選択肢のインディケータ値を含む。
【０２１１】
システムのデータ／情報３３３７は、アップリンク／ダウンリンクのタイミング及び周波数の構造の情報３３７２、ＢＳの識別情報３３７８、第１のマッピング関数の情報３３８０、第２のマッピング関数の情報３３８２、アップリンクの使用されるデータレートの情報３３８３、スケーリング情報３３８５、第１の最大レート値の集合３３８６、第２の最大レート値の集合３３８７、及び、インディケータ情報３３８４を含む。アップリンク／ダウンリンクのタイミング及び周波数の構造の情報３３７２は、例えば、使用される搬送波周波数、使用されるトーン、使用されるトーンブロック、使用されるトーンホッピングシーケンス、伝送単位情報、例えば、ＯＦＤＭトーンシンボル情報、ＯＦＤＭシンボル送信タイミング情報、ＯＦＤＭシンボルのハーフスロット、スロット、スーパースロット、ビーコンスロットへのグループ分けなどを含む。ＵＬ／ＤＬのタイミング及び周波数の構造の情報３３７２は、セグメント情報３３７４、例えば、構造内のアップリンクのトラヒックチャネルのインデックス付きのセグメントを特定する情報を含む。セグメント情報３３７４は、ハーフスロット情報３３７６、例えば、アップリンクのトラヒックチャネルのセグメント内のトーンハーフスロットのインデックス付けを特定する情報、及び、トーンハーフスロット内のインデックス付きのトーンシンボルを特定する情報を含む。基地局の識別情報３３７８は、ＷＴ３３００によって接続ポイントとして使用されうる無線通信システム内の様々な基地局を特定する情報、例えば、個々の特定の基地局と関連付けられたビーコン情報、パイロットトーン情報、ホッピングパターン情報、搬送波情報などを含む。第１のマッピング関数情報３３８０は、受信された最大のレート選択肢の値が第１のレート値の集合に含まれるときに、選択されたＵＬのレート選択肢をインディケータ値にマップするためにマッピングモジュール３３４４によって使用される情報を含む。第２のマッピング関数情報３３８２は、受信された最大のレート選択肢の値が第２のレート値の集合に含まれるときに、選択されたＵＬのレート選択肢をインディケータ値にマップするためにマッピングモジュール３３４４によって使用される情報を含む。スケーリング情報３３８５は、インディケータ値を伝達するアップリンクのトラヒックチャネルのセグメント内にエネルギーパターンを生成することを目的として、選択された変調シンボル値を再スケーリングする量を決定するためスケーリングモジュール３３２４によって使用される。基地局から通信される最大レートのインディケータ値の可能な値は、第１の最大レート値の集合３３８６及び第２の最大レート値の集合３３８７に分割される場合があり、各組はそれぞれマッピング関数３３８０及び３３８２に対応している。例えば、アップリンクの８個のレート選択肢をサポートするが、インディケータ値が７種類の値の可能性に限定されているＷＴにおいて、典型的な第１の最大レート値の集合３３８６は、値の集合｛０，１，２，３，４，５，６｝であってもよく、典型的な第２の最大レート値の集合は集合｛７｝であってもよい。割り当てメッセージ中でアップリンクのセグメントのための最大レート値を通信した基地局は、インディケータを生成するためにＷＴによってどのマッピング関数が使用されたかを知っており、従って、インディケータを適切に解釈でき、インディケータをＷＴによって使用されたアップリンクデータレートの選択肢と関連付けることができる。
【０２１２】
アップリンクの使用されるデータレートの情報３３８３は、ＷＴによってサポートされるアップリンクの様々なデータレート選択肢に対応する複数の情報の集合（データレート１情報３３８８、データレートＭ情報３３８９）を含む。データレート１情報３３８８は、例えば、符号化レートを特定する符号化情報３３９０と、例えば、変調コンステレーションを用いる変調方法、例えば、ＱＰＳＫ又はＱＡＭ１６を特定する変調情報３３９１とを含む。幾つかの実施形態では、ＷＴは、可能なインディケータ値の個数によって指定されうるデータレート選択肢より多くのデータレート選択肢をサポートする。例えば、インディケータ値は、Ｎ個の可能な値のうちの１つであってもよく、無線端末によってサポートされるレート選択肢の総数はＭであってもよく、Ｍ及びＮは１より大きな正の値であり、かつ、Ｍ＞Ｎである。例えば、Ｎは７に等しく、Ｍは８に等しくできる。
【０２１３】
インディケータ情報３３８４は、インディケータ情報の複数の集合（インディケータ１情報３３９２、．．．、インディケータＮ情報３３９３）を含み、それぞれが異なるインディケータ値と関連付けられている。インディケータ１情報３３９４は、エネルギーパターンの情報３３９４と符号化されたビットの情報３３９５のうちの一方を含む。符号化されたビットの情報３３９５は、インディケータ値をシンボルのコンステレーション値として送信されるべき符号化されたビットのパターンと関連付けるマッピング情報を含む。
【０２１４】
エネルギーパターンの情報３３９４は、インディケータ値に対応するセグメント内にエネルギーパターンを生成する際に使用される情報を含む。例えば、アップリンクの伝送セグメントは複数のトーンハーフスロットを含み、各トーンハーフスロットは、同じトーンに対応する所定数の一時的な連続トーンシンボルを含み、該トーンハーフスロットはセグメント内にトーンハーフスロットの所定のインデックス順序を保有し、各トーンハーフスロットはトーンハーフスロットのインデックス値ｋによって特定され、一のトーンハーフスロット内の各トーンシンボルはトーンシンボルの相対的なインデックスｊによって特定され、式ｊ＝ＭＯＤ（ｋ＋Ｘ，ｍ）はＮ個のインディケータ値のうちの１個に対応するトーンシンボルの部分集合に属するトーンハーフスロット内のトーンシンボルを特定し、各トーンハーフスロット内の１個のトーンシンボルは通信されているインディケータ値に対応し、ここで、Ｘは通信されているインディケータ値であり、Ｘは０乃至ｍ−１の範囲に入る整数であり、ｊは０乃至ｍ−１の範囲に入る整数値であり、ｋは、０から、セグメント内のトーンハーフスロットの総数−１までの範囲に入る整数値であり、ｍは４より大きい正整数である。幾つかのこのような実施形態では、ｍ＝７である。
【０２１５】
第３４Ａ図及び第３４Ｂ図の組み合わせを備える第３４図は、本発明による無線端末を作動させる例示的な方法のフローチャート３４００である。本発明に従って実施された例示的な無線端末、例えば、移動ノードは、例えば、少なくとも１台の基地局と複数台の無線端末とを含む無線スペクトル拡散ＯＦＤＭ通信システムの一部でもよい。幾つかの実施形態では、無線通信システムは複数台の基地局を含み、ＷＴは、このＷＴが現時点で位置しているセル内の基地局に登録する。１台又は複数台の基地局は、アップリンクのトラヒックチャネルのセグメントのためのダウンリンク割り当て情報を送信し、アップリンクのトラヒックチャネルのセグメントのための割り当て情報は最大のレート選択肢のインディケータを含む。幾つかの実施形態では、最大のレート選択肢のインディケータはＯＦＤＭ信号の一部分として通信されてもよい。アップリンクのトラヒックチャネルのＷＴに割り当てられたセグメント割り当ての少なくとも一部に関して、ＷＴはアップリンクのトラヒックチャネルの対応するセグメントのために使用すべきアップリンクのレート選択肢を選択し、選択されるレート選択肢はアップリンクの最大のレート選択肢以下である。アップリンクの各レート選択肢は符号化レート及び変調方式に対応してもよい。例えば、第２３図の表は、典型的なシステムにおいてＷＴによってサポートされうるアップリンクの８個のレート選択肢の一覧を表す。
【０２１６】
動作方法は開始ステップ３４０２で開始し、ＷＴは電源が投入される。動作はステップ３４０４へ進み、ＷＴは、複数のレート選択肢のそれぞれと符号化方法との間のマッピングを指示する情報を記憶し、少なくとも２個のレート選択肢がアップリンクのトラヒックチャネルの割り当てられたセグメント内の異なる数の情報ビットを符号化することに対応する。動作はステップ３４０４からステップ３４０６へ進み、ＷＴは、複数のレート選択肢のそれぞれと変調方法との間の情報を記憶する。幾つかの実施形態では、少なくとも８通りの最大のレート選択肢が指示されることが可能である。幾つかの実施形態では、複数のレート選択肢のうちの少なくとも２個が異なる変調方法、例えば、ＱＰＳＫ及びＱＡＭ１６に対応する。幾つかの実施形態では、ステップ３４０６はサブステップ３４０８を含む。サブステップ３４０８において、ＷＴは、最低のレート選択肢が指示されたアップリンクのトラヒックチャネルのセグメントでデータを送信するときに、ＱＰＳＫ変調が使用されるべきことを指示する変調情報を記憶する。幾つかの実施形態では、ステップ３４０４及びステップ３４０６は、ＷＴのソフトウェアのロード／初期化のプロセスの一部分として実行され、例えば、ＷＴによる後の使用のためにマッピング情報を不揮発性メモリにダウンロードする。幾つかのこのような実施形態では、ステップ３４０４及び３４０６は、記憶されているマッピング情報が変化しないならば、後続する電源投入の期間中において繰り返されなくてもかまわない。動作はステップ３４０６からステップ３４１０へ進む。
【０２１７】
ステップ３４１０において、ＷＴは、アップリンクのトラヒックチャネルの対応するセグメントのアップリンクのトラヒックチャネルのセグメント割り当て及びアップリンクの最大のレート選択肢のインディケータを受信するために作動され、アップリンクの上記の最大のレート選択肢のインディケータは指示されたアップリンクの最大のレート選択肢を決定するために使用されることが可能な値を指示する。幾つかの実施形態では、アップリンクのトラヒックチャネルの割り当ての少なくとも幾つかのタイプ、例えば、アップリンクのトラヒックチャネルのレギュラー割り当てに対し、最大のレート選択肢のインディケータは３ビットのインディケータであり、ＷＴは、指示されることが可能な８個の値のそれぞれを、セグメントに符号化されるべき複数の異なる数の情報ビットを指示する情報と関連付ける情報を含む。幾つかの実施形態では、アップリンクのトラヒックチャネルの割り当ての少なくとも幾つかのタイプ、例えば、アップリンクのトラヒックチャネルのフラッシュ割り当てに対し、最大のレート選択肢のインディケータは、アップリンクの選択可能なレート選択肢のそれぞれを一意に特定するために必要とされるビット数より少ないビットを使用して受信信号で通信され、例えば、１ビットがアップリンクの最大のレート選択肢のインディケータのために使用され、ＷＴはアップリンクの３個以上の選択可能なレート選択肢をサポートする。幾つかの実施形態では、ＷＴは、最大のレート選択肢のインディケータを通信する第１及び第２のシグナリング方法をサポートし、最大のレート選択肢のインディケータは、第１のシグナリング方法を使用して通信される場合に１ビットを含み、第２のシグナリング方法を使用して通信される場合に３ビットを含む。例えば、第１のシグナリング方法は、非零変調のシンボル値のために１トーン当たりの平均送信電力が第１のレベルであるＱＰＳＫを使用して従来のコヒーレント変調技術を使用してもよく、第２のシグナリング方法は、割り付けられたリソースに割り当てられた幾つかの零ＱＰＳＫ変調のシンボル値及び幾つかの非零ＱＰＳＫ変調のシンボル値を含む非コヒーレント変調技術を使用してもよく、非零ＱＰＳＫ変調のシンボル値は、第１のレベルより高い第２のレベルで送信される。動作はステップ３４１０からステップ３４１２へ進む。
【０２１８】
ステップ３４１２において、ＷＴは、アップリンクのトラヒックチャネルの受信されたセグメント割り当てがＷＴ宛であったか、別のＷＴ宛であったかを判定する。例えば、割り当てを送信したＢＳに予め登録されているＷＴは、ＢＳによってＷＴ識別子が予め割り当てられたかもしれず、割り当て信号は、割り当てを特定の登録済みのＷＴと関連付けるＷＴ識別子を含んでもよく、ＷＴは、自分が割り当ての意図された受信先にされているかどうかを判定するために、受信された割り当て中のＷＴ識別子を自分の固有のＢＳが割り当てたＷＴの識別子と比較してもよい。ステップ３４１０の受信された割り当てがこのＷＴ宛でないならば、動作はステップ３４１２からステップ３４１０へ進み、ステップ３４１０で、ＷＴは割り当てを受信し続ける。受信された割り当てがこのＷＴ宛であるならば、ステップ３４１２からステップ３４１４へ進み、ＷＴは割り当てに関係する動作を実行し、ステップ３４１０へ戻り、ＷＴはアップリンクの更なるトラヒックチャネル割り当てを受信する。ＷＴは、同じＢＳからこのＷＴ宛の複数のアップリンクのトラヒックチャネル割り当てを受信可能であり、例えば、アップリンクの異なるトラヒックチャネル割り当てはアップリンクのトラヒックチャネルの異なるセグメントに対応し、各割り当てはアップリンクの最大のレート選択肢のインディケータを含む。幾つかの実施形態では、ある種の割り当てメッセージ、例えば、ある種のレギュラー割り当てのチャネルメッセージは、複数の、例えば、アップリンクの２個のトラヒックチャネル割り当てを含んでもよく、１個以上のこれらの割り当てがＷＴへ向けられてもよい。
【０２１９】
ステップ３４１４において、ＷＴは、アップリンクの最大のレート選択肢のインディケータに含まれている値、及び、無線端末に知られている追加情報から、アップリンクの指示された最大のレート選択肢を判定する。幾つかの実施形態では、追加情報は、アップリンクの最大のレート選択肢のインディケータが第１の割り当てチャネルと第２の割り当てチャネル、例えば、レギュラー割り当てのチャネルとフラッシュ割り当てのチャネルのどちらで受信されたかを指示する情報である。幾つかの実施形態では、アップリンクの最大のレート選択肢の情報が第２の割り当てチャネルで受信されたとき、追加情報は、信号干渉情報、例えば、ビーコン比率のレポート情報をさらに含む。例えば、受信された第２の割り当てチャネルで通信された単一ビット値がアップリンクの２個の最大レート、例えば、レート選択肢３又はレート選択肢７を区別してもよく、その後に、ＷＴの測定に基づくジェネリックビーコン比率のレポート結果は、アップリンクの許可された最大のレート選択肢をさらに限定するため、例えば、削減するために使用されることが可能である。動作は、ステップ３４１４から、結合ノードＡ３４１６を経由して、ステップ３４１８へ進む。
【０２２０】
ステップ３４１８において、無線端末は、アップリンクの指示された最大のレート選択肢が単一の所定のレート選択肢、例えば、最低のレート選択肢に対応するかどうかを判定する。ＷＴが指示されたレート選択肢は単一の所定のレート選択肢に対応すると判定した場合、動作はステップ３４１８からステップ３４２０へ進み、そうでなければ、動作はステップ３４１８からステップ３４２２へ進む。
【０２２１】
ステップ３４２０において、ＷＴは、単一の所定のレート選択肢、例えば、ＷＴによってサポートされているアップリンクの最低のレート選択肢に従って、受信された割り当てセグメントに対応するトラヒックチャネルのセグメントでデータを送信する。幾つかの実施形態では、単一の所定のレート選択肢は、アップリンクの最大のレート選択肢のインディケータによって指示されうるトラヒックチャネルの最低の符号化レートの選択肢、例えば、２２４個の情報ビットを１３４４個の符号化されたビットの符号語に符号化し、１／６という符号化レートを表現するアップリンクのトラヒックチャネルのレート選択肢０に対応する。
【０２２２】
ステップ３４２２において、ＷＴは、アップリンクの指示された最大のレート選択肢に対応する複数の所定のレート選択肢から複数のレート選択肢のうちの１個を選択する。幾つかの実施形態では、ステップ３４２２の選択は、ＷＴが通信する必要がある情報の量、及び／又は、通信の時間的な緊急性に基づく場合がある。動作はステップ３４２２からステップ３４２４へ進む。ステップ３４２４において、ＷＴは、アップリンクの指示された最大のレート選択肢に対応する複数のレート選択肢のうちの選択された１個に従って、受信された割り当てセグメントに対応するトラヒックチャネルのセグメントでデータを送信する。
【０２２３】
第３５図は、本発明に従って実装され、本発明の方法を使用する例示的な無線端末３５００、例えば、移動ノードの図である。例示的な無線端末３５００は、種々のエレメントがデータ及び情報を交換するため用いるバス３５１２を介して一緒に連結されている受信機３５０２、送信機３５０４、プロセッサ３５０６、ユーザＩ／Ｏ機器３５０８、及び、メモリ３５１０を含む。受信機３５０２は受信アンテナ３５０３に連結され、ＷＴ３５００は、この受信アンテナを介して、基地局から、ダウンリンク信号、例えば、ダウンリンクＯＦＤＭ信号を受信することが可能であり、受信されたダウンリンク信号は、アップリンクのトラヒックチャネルのセグメントの割り当て、及び、アップリンクの対応する最大のレート選択肢のインディケータを含む。受信機３５０２は受信ダウンリンク信号を復号化する復号器３５１４と、割り当て処理モジュール３５１６とを含む。割り当て処理モジュール３５１６は、基地局から受信された、アップリンクのトラヒックチャネルのＷＴ３５００への割り当てを指示する１個以上のトラヒックチャネル割り当てを処理する。幾つかの実施形態では、アップリンクのトラヒックチャネル割り当てメッセージは、モジュール３５１６によって処理されるアップリンクの最大のレート選択肢のインディケータを含む。
【０２２４】
送信機３５０４は送信アンテナ３５０５に連結され、ＷＴ３５００は、この送信アンテナを介して、アップリンクのトラヒックチャネルのセグメント信号、例えば、アップリンクのＯＦＤＭトラヒックチャネルのセグメント信号を含むアップリンクのトラヒックチャネル信号を基地局へ送信する。幾つかの実施形態では、同じアンテナが受信機３５０２と送信機３５０４の両方のため使用される。送信機３５０４は、符号化器３５１８及び変調モジュール３５２０を含む。アップリンクのトラヒックチャネルの所与のセグメントに対し、例えば、ＷＴ３５００によって選択された、使用されているレート選択肢は、符号化レート及び変調方法に対応する。符号化器３５１８、例えば、ＬＤＰＣ符号化器のようなブロック符号化器は、セグメントのための符号化レートを利用し、ユーザデータビットを符号化されたデータビットに符号化する。変調モジュール３５２０は、セグメントのための変調方法を利用し、例えば、変調コンステレーションを特定し、符号化されたビットを符号化器３５１８の出力から変調シンボル値へマップする。
【０２２５】
例えば、ディスプレイ、キーボード、キーパッド、マウス、スピーカー、マイクロホン、カメラ、制御スイッチなどのユーザＩ／Ｏ機器３５０８は、ＷＴ３５００のユーザが、ピアノードが宛先とされたデータ／情報を入力し、ピアノードからのデータ／情報を出力することを可能にさせる。さらに、ユーザＩ／Ｏ機器３５０８は、ユーザが、例えば、発呼する、電源を切断するなどのＷＴ３５００の動作を制御することを可能にさせる。
【０２２６】
メモリ３５１０は、ルーチン３５２２及びデータ／情報３５２４を含む。プロセッサ３５０６、例えば、ＣＰＵは、ＷＴ３５００の動作を制御し、本発明の方法を実装するために、ルーチン３５２２を実行し、メモリ３５１０内のデータ／情報３５２４を使用する。
【０２２７】
ルーチン３５２２は、ＷＴ３５００によって使用される通信プロトコルを実装する通信ルーチン３５２６及びＷＴ制御ルーチン３５２８を含む。ＷＴ制御ルーチン３５２８は、受信機制御モジュール３５３０、送信機制御モジュール３５３２、ユーザインタフェース制御モジュール３５３４、アップリンクの最大のレート選択肢の判定モジュール３５３６、及び、アップリンクのレート選択肢の選択モジュール３５３８を含む。受信機制御モジュール３５３０は受信機３５０２の動作を制御し、送信機制御モジュール３５３２は送信機３５０４の動作を制御し、ユーザインタフェース制御モジュールはユーザＩ／Ｏ機器３５０８の動作を制御する。送信機制御モジュール３５３２はトラヒックチャネルのセグメントの送信制御モジュール３５４０を含む。トラヒックチャネルのセグメントの送信制御モジュール３５４０は、送信機モジュール３５０４と共に動作し、ＷＴがアップリンクのトラヒックチャネルの割り当てられた各セグメントのために使用しているアップリンクのレート選択肢に従って、受信された割り当てに対応するアップリンクのトラヒックチャネルのセグメントでのアップリンク信号の送信を可能にする。幾つかのアップリンクのトラヒックチャネルの幾つかのセグメントに対し、ＷＴは、ＷＴが複数の異なるレート選択肢の間で選択できるようにするアップリンクの最大のレート選択肢のインディケータを受信したかもしれない。幾つかのアップリンクのトラヒックチャネルの幾つかのセグメントに対し、ＷＴは、ＷＴが使用する単一の所定のレート選択肢に対応するアップリンクの最大のレート選択肢のインディケータを受信しかたもしれない。例えば、単一の所定のレート選択肢は、アップリンクの最大のレート選択肢のインディケータによって指示されうるアップリンクのトラフィックチャネルの最低のレート選択肢に対応してもよい。幾つかの実施形態では、単一の所定のレート選択肢は、アップリンクのトラヒックチャネルのセグメントのためにＷＴによってサポートされている最低の符号化レート及びＱＰＳＫ変調に対応してもよい。
【０２２８】
アップリンクの最大のレート選択肢の判定モジュール３５３６は、受信機３５０２に連結され、アップリンクの最大のレート選択肢のインディケータに含まれている値及びＷＴ３５００に知られている追加情報からアップリンクの指示された最大のレート選択肢を判定する。例えば、追加情報は、アップリンクの最大のレート選択肢の情報が第１の割り当て信号チャネルと第２の割り当て信号チャネルのどちらで受信されたかを指示する情報であってもよい。幾つかの実施形態では、第１の割り当て信号チャネルはレギュラー割り当て信号チャネルであってもよく、第２の割り当て信号チャネルは非コヒーレント変調シグナリングを使用するフラッシュ割り当てチャネルであってもよい。幾つかの実施形態では、追加情報は記憶された信号干渉情報を含む。例えば、ある種のセグメントに対し、アップリンクの受信された最大のレート選択肢のインディケータは、ＷＴが選択してもよいアップリンクのレート選択肢を制限してもよく、例えば、上限を定め、ＷＴによる干渉情報の測定は、ＷＴが選択してもよいレート選択肢をさらに制限、例えば、上限を定めるために使用されてもよい。
【０２２９】
アップリンクのレート選択肢の選択モジュール３５３８は、幾つかのアップリンクのトラヒックチャネルの少なくとも幾つかのセグメントに対して、複数のレート選択肢のうちの選択された１個に従ってアップリンクのトラヒックチャネルの割り当てられたセグメントでデータを送信する際に、後で使用されるように、アップリンクの指示された最大のレート選択肢に対応する複数の所定のレート選択肢から、複数のレート選択肢のうちの１個を選択する。例えば、ＷＴがアップリンクの８個のレート選択肢（０，．．．，７）をサポートし、割り当てがレギュラー割り当てのチャネルを用いて受信され、受信された割り当てがアップリンクのトラヒックチャネルの割り当てられたセグメントのための許容される最大のアップリンクのレート選択肢が５であることを指示する最大のレートのインディケータを含み、ＷＴが自分の現在のアップリンクデータの送信要件がレート選択肢３を使用して満たされると判定する場合を考える。このような例示的なケースでは、選択モジュール３５３８は、許容可能なレート選択肢の可能性として有りうる集合｛０，１，２，３，４，５｝からアップリンクのレート選択肢３を使用することを選択してもよい。選択されたアップリンクのレート選択肢３は、送信機３５０４によって利用される符号化レートの情報及び変調情報に対応する。
【０２３０】
データ／情報３５２４は、ＷＴデータ／情報３５４２、アップリンクのリソース要求メッセージ３５４４、アップリンクの受信されたセグメント割り当てのメッセージ３５４６、及び、システムデータ／情報３５５０を含む。幾つかの実施形態では、データ／情報３５２４は、アップリンクの受信された最大のレート選択肢のインディケータ３５４８を含み、例えば、レート選択肢のインディケータは、例えば、別個のメッセージとして、アップリンクのセグメント割り当てのメッセージの外部へ通信され、又は、他の制御情報と共にメッセージに組み込まれる。
【０２３１】
ＷＴデータ／情報３５２４は、例えば、音声、映像、テキスト、ファイルなどのユーザデータ３５２２と、例えば、基地局が割り当てたＷＴの識別子のようなＷＴの識別情報３５５４と、例えば、ＷＴ３５５０によって現時点で使用されているＢＳをこのＷＴのネットワークへの接続ポイントとして特定する情報のような基地局の識別情報３５５６と、機器／セッション／リソース情報３５５８と、信号干渉の情報３５６０と、アップリンクの割り当てられたセグメントの情報の集合（ＵＬの割り当てられたセグメント１の情報３５６２、ＵＬの割り当てられたセグメントＮの情報３５６４）とを含む。機器／セッション／リソース情報３５５８は、例えば、進行中の通信セッションを識別する情報、ピアノード、ルーティング情報、ＷＴ３５００に割り当てられたアップリンク及びダウンリンクのチャネルセグメントなどを含む。信号干渉の情報３５６０は、例えば、ビーコン比率のレポート情報を含む。幾つかの実施形態では、幾つかのタイプのアップリンク割り当て信号に対し、例えば、フラッシュ割り当てのチャネルと関連付けられたアップリンク割り当て信号に対し、信号干渉の情報３５６０は、アップリンクのトラヒックチャネルのセグメントのためにＷＴによって選択されてもよいアップリンクの許容される最大のデータレート選択肢をさらに制限するために使用されてもよい。
【０２３２】
アップリンクの割り当てられたセグメント１の情報３５６２は、アップリンクの割り当てチャネルの情報３５６６、アップリンクのセグメントの識別情報３５６８、アップリンクの受信された最大のレート選択肢のインディケータ３５７０、アップリンクの許容される最大のレート選択肢３５７１、選択されたアップリンクデータレートの選択肢３５７２、ユーザデータビット３５７４、符号化されたビット３５７６、及び、変調シンボル値３５７８を含む。アップリンクの割り当てチャネルの情報３６５２は、アップリンクの最大のレート選択肢のインディケータが第１の割り当てチャネルと第２の割り当てチャネル、例えば、レギュラー割り当てのチャネルとフラッシュ割り当てのチャネルのどちらで受信されたかを指示する情報を含む。アップリンクのセグメントの識別情報３５６８は、例えば、アップリンクのトラヒックチャネルの一定数のインデックス付きのセグメントを含むアップリンクの反復的なタイミング及び周波数の構造内のセグメントを特定するセグメントのインデックス番号を含む。アップリンクの受信された最大のレート選択肢のインディケータ３５７０は、ＢＳの観点からＷＴによって使用されてもよいアップリンクの最大のレート選択肢を指示する情報を含む。アップリンクの許容される最大のレート選択肢３５７１は、基地局の入力を考慮して、アップリンクのセグメントのためにＷＴによって使用されてもよい最大のレート選択肢であり、幾つかの実施形態では、ある種のタイプの割り当てに対し、信号干渉の情報３５６０をさらに考慮する。ＵＬの選択されたデータレート選択肢３５７２は、モジュール３５３８の出力であり、アップリンクの許容される最大のレート選択肢３５７１によって指示されたデータレート選択肢以下のデータレート選択肢である。ユーザデータビット３５７４、例えば、音声、映像、テキスト、ファイルなどを表現するユーザビットは、アップリンクのトラヒックチャネルのセグメントのための符号化ブロックの入力であり、符号化されたビット３５７６は符号化ブロックの出力であり、符号化は、セグメントのための選択されたデータレート選択肢３５７２に対応するようにマップされた符号化レートを使用して、符号化器３５１８によって実行される。変調シンボル値３５７８は、符号化されたビット３５７６がセグメントの変調方法によって使用された変調コンステレーションの変調シンボルにマップされるときに、選択されたデータレート選択肢３５７２に対応するようにマップされていた変調方法に対応する変調シンボル値である。アップリンクのリソース要求メッセージ３５４４は、アップリンクのシグナリングによって、アップリンクのトラヒックチャネルのセグメントを要求するか、及び／又は、ＷＴ３５００によって通信されるアップリンクデータの量を特定する基地局へ通信されるべきメッセージである。アップリンクの受信されたセグメント割り当てのメッセージ３５４６はアップリンクのセグメント割り当ての情報を伝達する。幾つかの実施形態では、ある種の割り当てメッセージは、１個又は複数のアップリンク割り当てを含む。幾つかの実施形態では、ある種の割り当てメッセージは最大で１個のアップリンク割り当てを含む。例えば、トラヒックチャネルのレギュラー割り当てのメッセージは、アップリンクのトラヒックチャネルの１個又は２個のセグメント割り当てを含んでもよく、フラッシュ割り当てのチャネルメッセージはアップリンクのトラヒックチャネルの最大で１個のセグメント割り当てを含んでもよい。幾つかの実施形態では、アップリンクの受信されたセグメント割り当てのメッセージ３５４６は、アップリンク１個または複数の最大のレート選択肢のインディケータ３５８０を含み、各インディケータはメッセージに関する割り当てられたアップリンクのセグメントに対応している。
【０２３３】
システムデータ／情報３５５０は、アップリンク／ダウンリンクのタイミング及び周波数の構造の情報３５８２、アップリンクの使用されるデータレートの情報３５８４、基地局の識別情報３５８６、アップリンクの指示された最大のレート選択肢／所定のレート選択肢の対応情報３５８８、アップリンクの指示された最大のレート選択肢の復号化情報３５９０、及び、レート選択肢の選択基準３５９１を含む。アップリンクの使用されるデータレートの情報３５８４は、レート選択肢の情報の複数の集合（レート１選択肢の情報３５９４、．．．、レートＭ選択肢の情報３５９８）を含む。符号化情報及び変調情報は、ＷＴ３５００によってサポートされている各レート選択肢に対応するようにマップされる。レート１選択肢の情報３５９４は符号化レートの情報３５９４及び変調情報３５９６を含む。例えば、符号化レートの情報は、データビット又はデータビットのフレームの個数、符号化され取得されたビットの対応する個数、及び、使用されたコードを指定し、変調情報３５９６は、変調方法、例えば、関連した変調コンステレーションと共にＱＰＳＫ又はＱＡＭ１６を特定する。アップリンクの複数のレート選択肢のうちの少なくとも２個は、ＷＴ３５００に割り当てられてもよいアップリンクのトラヒックチャネルの所与のセグメントの複数の異なる個数の情報ビットを符号化することに対応する。アップリンクの複数のレート選択肢のうちの少なくとも２個は異なる変調方法、例えば、ＱＰＳＫ及びＱＡＭ１６に対応する。
【０２３４】
情報３５８８は、アップリンクの最大のレート選択肢の情報を所定のレート選択肢の集合とリンクする情報、例えば、レート選択肢のインディケータのタイプ及び／又は値をアップリンクのレート選択肢と関連付けるマッピングテーブル又はマッピング情報を含む。幾つかの実施形態では、対応情報３５８８は、情報識別の基準、例えば、受信され指示された最大のアップリンクのレート選択肢をさらに制限するために使用される信号干渉の情報の基準を含んでもよい。アップリンクの指示された最大のレート選択肢の復号化情報３５９０は、例えば、アップリンクの最大のレート選択肢のインディケータを伝達するフィールド内のビット数及び割り当て信号を伝達するために使用される変調方法と共に、割り当て信号のタイプを特定する情報を含む。例えば、フラッシュ型の割り当てのチャネル信号は、最大のレート選択肢のインディケータを伝達するために１ビットフィールドを使用してもよく、非コヒーレント変調方式を使用してもよく、一方、レギュラー型の割り当てのチャネル信号は、最大のレート選択肢のインディケータを伝達するために３ビットフィールドを使用してもよく、コヒーレント変調方式を使用してもよい。フラッシュ割り当てのチャネルの最大のレート選択肢のインディケータは、アップリンクの選択可能な各レート選択肢を一意に特定するために信号に要求されるビット数より少ないビットを使用し、例えば、１ビットがフラッシュの最大のレート選択肢のインディケータのために使用されるが、３ビットがＷＴによってサポートされているアップリンクの８個の各レート選択肢を一意に指示するために要求されることになる。幾つかの実施形態では、ＷＴはアップリンクの８個のデータレート選択肢をサポートし、第１のタイプの割り当ては、８個の可能な値の何れかを伝達するかもしれないアップリンクの最大のレート選択肢のインディケータを符号化可能であり、一方、第２のタイプの割り当ては、２個の可能な値を符号化する。幾つかのこのような実施形態では、割り当て信号が第１のタイプであり、最低のレートを指示する最大のレート選択肢のインディケータを伝達するならば、無線端末は、アップリンクのトラヒックチャネルの特定のセグメントのために基地局によって最低のレートを使用するように効果的に割り当てられる。
【０２３５】
最大のレート選択肢のインディケータが３ビットのインディケータである幾つかの実施形態では、セグメント内で符号化されるべき複数の異なる個数の情報ビットを指示する情報と、指示されうる８個の各値とを関連付ける記憶された情報をＷＴは含む。例えば、アップリンクの使用されたデータレートの情報３５８４は、８個の情報の集合を含むことができ、各集合は、セグメントのために符号化されるべき一の異なる個数の情報ビット、例えば、ユーザデータビットに対応する。
【０２３６】
レート選択肢の選択基準３５９１は、ＷＴ３５００によってサポートされている最低のレート選択肢より高いレート選択肢を指定するアップリンクの許容される最大のレート選択肢以下を使用するレート選択肢を決定するために、アップリンクのレート選択肢の選択モジュール３５３８によって使用される。例えば、レート選択肢の選択基準３５９１は、通信されるべきアップリンクデータの量、データ送信の時間的な緊急性の情報、及び／又は、サービス階層レベルに基づく基準を含んでもよい。
【０２３７】
第３６図は、アップリンクの各通信セグメントが所定の間隔を有するアップリンクの通信セグメントの割り当てを指示する割り当て情報を生成し送信するために、通信システムにおいて基地局を作動させる本発明による例示的な方法を説明するフローチャート３６００である。例えば、基地局は、アップリンクのトラヒックチャネルの複数の異なるタイプのセグメントを使用する例示的なＯＦＤＭスペクトル拡散無線通信システムにおける基地局である。例えば、例示的なシステムは、１１２個のＯＦＤＭシンボル伝送期間に７個のトーンを使用する第１のタイプのアップリンクのトラヒックチャネルのセグメントと、５６個のＯＦＤＭシンボル伝送期間に１４個のトーンを使用する第２のタイプのアップリンクのトラヒックチャネルのセグメントと、２８個のＯＦＤＭシンボル伝送期間に２８個のトーンを使用する第３のタイプのアップリンクのトラヒックチャネルのセグメントの３通りのタイプのアップリンクのトラヒックチャネルのセグメントを使用するアップリンクのトラヒックチャネルを有してもよい。動作はステップ３６０２で開始し、例示的な基地局は電源が投入され初期化され、ステップ３６０４又はステップ３６０６の何れかへ進む。
【０２３８】
幾つかの実施形態では、基地局は、最大のレート選択肢のインディケータについての第１および第２の表からの情報を使用し、ステップ３６０４が、例えば、最大のレート選択肢のインディケータについての第１および第２の表を記憶する基地局の初期化プロセス中に、実行される。幾つかのこのような実施形態では、ステップ３６０４は、例えば、基地局が設定されているときに、１回だけ実行され、一方、幾つかのその他の実施形態では、ステップ３６０４は、基地局の各々の電源投入又は再度の初期化の間に１回だけ実行され、例えば、最大のレート選択肢の情報が不揮発性メモリから揮発性メモリ内の最大のレート選択肢のインディケータについての第１および第２の表へ転送される。他の実施形態では、最大のレート選択肢のインディケータの表は使用されないかもしれず、例えば、レート選択肢のインディケータについての第１および第２の表に含まれている情報に対応する最大のレート選択肢の情報は１つ又は複数のルーチンに埋め込まれる可能性がある。
【０２３９】
ステップ３６０６において、例えば、割り当ての送信とアップリンクのトラヒックチャネルの割り当てられるセグメントとの間に一定のタイミング関係を有する周期的な送信スケジュールに従って、所定のタイミング／周波数の構造で、基地局の動作を開始するために基地局は制御される。例えば、基地局は、周期的に繰り返すアップリンクのトラヒックチャネルの周期的に繰り返すセグメントのインデックス付き集合を含むアップリンクのタイミング／周波数の構造を使用して作動してもよく、アップリンクのトラヒックチャネルのインデックス付きのセグメントの各々はダウンリンクのタイミング及び周波数の構造内の特定の割り当てと関連付けられている。例えば、アップリンクのタイミング／周波数の構造は、７７個のインデックス付き（０，．．．，７６）のアップリンクのトラヒックチャネルのセグメントの集合を含んでもよく、この中の２８個が第１のタイプの割り当てと関連付けられ、この中の４９個が第２のタイプの割り当てと関連付けられている。
【０２４０】
動作はステップ３６０６からステップ３６０８へ進む。ステップ３６０８は実行され、動作処理は、ステップ３６０８の結果に依存して、アップリンクのトラヒックチャネルの各割り当てへさらに向けられる。ステップ３６０８において、割り当てが第１のタイプの割り当てと第２のタイプの割り当てのどちらであるかが判定される。例えば、第１のタイプの割り当てはフラッシュ型の割り当てと呼ばれてもよく、第２のタイプの割り当てはレギュラー型の割り当てと呼ばれてもよく、アップリンクのトラヒックチャネルのインデックス付きのセグメントの集合は、一部が第１のタイプの割り当てと関連付けられ、一部が第２のタイプの割り当てと関連付けられるように分割されてもよい。割り当てが第１のタイプの割り当てであるならば、動作はステップ３６１０へ進み、割り当てが第２のタイプの割り当てであるならば、動作はステップ３６１２へ進む。
【０２４１】
ステップ３６１０において、基地局は、第１のタイプの最大のレート選択肢のインディケータ値を選択するために作動され、上記値は、システムによってサポートされている最高のレート選択肢に対応する少なくとも１個の値と、基地局によってサポートされている中間のレート選択肢に対応する別の値とを含む値の集合から選択される。例えば、例示的なシステムは、アップリンクのトラヒックチャネルのセグメントのためのアップリンクの８個のデータレート選択肢（０，１，２，３，４，５，６，７）をサポートしてもよく、レート選択肢０は最低のデータレート選択肢を表現し、レート選択肢７は最高のデータレート選択肢を表現し、第１のタイプの最大のレート選択肢のインディケータは輻輳表示値と呼ばれてもよい。輻輳表示値は、ＷＴの最大のアップリンクデータレート選択肢７に対応する値１、又は、ＷＴの最大のアップリンクデータレート選択肢３に対応する値０の何れかを伝達する１個の情報ビットを使用してもよく、基地局は２個の候補の間で選択してもよい。例えば、基地局は、第１のタイプの割り当てが与えられると、例えば、ＷＴの最大のアップリンクデータレート選択肢３に対応する値０を選択してもよい。幾つかの実施形態では、ステップ３６１０は、基地局がアップリンクのレート選択肢についての第１の表を使用するサブステップ３６１４を含む。動作はステップ３６１０からステップ３６１６へ進む。
【０２４２】
ステップ３６１６において、基地局は、無線通信チャネルを介して、無線端末が第１の通信セグメントで送信しているときに使用されるべきアップリンクの実際の伝送レートを決定する際に第１の割り当てが向けられた無線端末によって使用されるべきアップリンクの第１の最大のレート選択肢を指示するアップリンクの第１の最大のレート選択肢のインディケータ値を含む第１の割り当てを送信する。第１の通信セグメントは、第１のタイプの割り当て、例えば、フラッシュ割り当てである第１の割り当てに対応するアップリンクのトラヒックチャネルのセグメントである。例えば、基地局は、インデックス番号＝３であるアップリンクのトラヒックチャネルのセグメントに対応する割り当てを送信してもよく、この割り当ては、５ビットのＷＴ識別子フィールドと、１ビットの輻輳表示値フィールドとを含む。ＷＴ識別子フィールドは、現時点でＢＳに登録され、オンの動作状態にある複数のＷＴの中から割り当てが向けられているＷＴを特定するＢＳが割り当てたＷＴのオン状態識別子を含んでもよい。輻輳表示値は、例えば、アップリンクのトラヒックチャネルの対応するセグメントのためにＷＴが使用してもよい最大のアップリンクデータレート選択肢がデータレート選択肢３であることを指示する値０であってもよい。割り当てを受信するＷＴは、幾つかの実施形態では、使用すべき最大のアップリンクデータレートをさらに制限する際に、追加的な基準、例えば、ジェネリックビーコン比率のレポートの情報を使用する。
【０２４３】
ステップ３６１６はサブステップ３６１８を含む。ステップ３６１８において、基地局は、第１のタイプの選択されたアップリンクの最大レートのインディケータ値を伝達する第１のタイプの変調方法を使用する。例えば、第１のタイプの選択されたアップリンクの最大レートのインディケータ値は、アップリンクのトラヒックチャネルのセグメントを割り当てるために使用されるフラッシュのダウンリンク制御サブチャネルのセグメントで伝達される情報の一部分であってもよく、フラッシュの変調シグナリング技術が使用されてもよい。フラッシュの変調シグナリング技術は非コヒーレント変調方式を使用してもよい。
【０２４４】
ステップ３６１２に戻ると、ステップ３６１２において、基地局は、第２のタイプの最大のレート選択肢のインディケータ値を選択するために作動され、上記第２のタイプの最大のレート選択肢のインディケータは、第１のタイプのインディケータを使用して指示されるより多くのアップリンクの最大のレート選択肢が指定されるように、上記第１のタイプの最大のレート選択肢のインディケータより多数のビットを含む。例えば、ステップ３６１０に関して記載された、アップリンクのトラヒックチャネルのセグメントのためのアップリンクの８個のデータレート選択肢（０，１，２，３，４，５，６，７）をサポートし、レート選択肢０が最低のデータレート選択肢を表現し、レート選択肢７が最高のデータレート選択肢を表現する典型的なシステムを仮定し、第２のタイプの最大のレート選択肢のインディケータが割り当て内のレート選択肢として指定されうる場合を考える。レート選択肢は、ＷＴの最大のアップリンクデータレート選択肢（０，１，２，３，４，５，６，７）のそれぞれに対応する（０，１，２，３，４，５，６，７）のうちの何れかの値を伝達するために３個の情報ビットを使用してもよく、基地局は８個の候補の間で選択してもよい。例えば、基地局は、第２のタイプの割り当てが与えられると、例えば、最大のアップリンクデータレート選択肢５に対応する値５を選択してもよい。幾つかの実施形態では、ステップ３６１２は、基地局がアップリンクの最大のレート選択肢についての第２の表を使用するサブステップ３６２０を含む。動作はステップ３６１２からステップ３６２２へ進む。
【０２４５】
ステップ３６２２において、基地局は、無線通信チャネルを介して、無線端末が第２の通信セグメントで送信しているときに使用されるべき実際のアップリンクの伝送レートを決定する際に第２の割り当てが向けられた無線端末によって使用されるべき第２のアップリンクの最大のレート選択肢を指示する第２のアップリンクのレート選択肢のインディケータ値を含む第２の割り当てを送信する。第２の通信セグメントは、第２のタイプの割り当て、例えば、レギュラー割り当てである第２の割り当てに対応するアップリンクのトラヒックチャネルのセグメントである。例えば、基地局は、インデックス番号＝９であるアップリンクのトラヒックチャネルのセグメントに対応する割り当てを送信してもよく、この割り当ては、５ビットのＷＴ識別子フィールドと、３ビットのレート選択肢フィールドとを含んでもよい。ＷＴ識別子フィールドは、現時点でＢＳに登録され、オンの動作状態にある複数のＷＴの中から割り当てが向けられているＷＴを特定するＢＳが割り当てたＷＴのオン状態識別子を含む。第２の通信セグメントが割り当てられているＷＴは、ステップ３６１６において記載されているように第１の通信セグメントが割り当てられたＷＴと同じＷＴでもよく、異なるＷＴでもよい。レート選択肢は、例えば、アップリンクのトラヒックチャネルの対応するセグメントのためにＷＴが使用してもよい最大のアップリンクデータレート選択肢がデータレート選択肢５であることを指定する値５であってもよい。
【０２４６】
幾つかの実施形態では、ステップ３６２２はサブステップ３６２４を含む。ステップ３６２４において、基地局は、第２のタイプの選択された最大のアップリンクのレートのインディケータ値を伝達する第２のタイプの変調方法を使用する。例えば、第２のタイプの選択された最大のアップリンクのレートのインディケータ値は、アップリンクのトラヒックチャネルのセグメントを割り当てるため使用され、ＱＰＳＫ変調コンステレーションを伴うコヒーレント変調を使用するレギュラーのダウンリンク制御サブチャネルのセグメントで伝達される情報の一部分であってもよい。
【０２４７】
幾つかの実施形態では、第１のタイプの変調方法に対応する送信された非零変調シンボル値は、第２の変調方法に対応する非零変調シンボル値の送信エネルギーレベルより高いエネルギーレベルで送信される。幾つかの実施形態では、１トーン当たりの相対的な送信電力の差は、少なくとも６ｄＢ、９ｄＢ又は１２ｄＢである。幾つかの実施形態では、基地局によって送信された異なるタイプのダウンリンク信号に関して、ビーコン信号だけが、第１のタイプの割り当て信号より高い１トーン当たりの相対的な送信電力で送信される。
【０２４８】
幾つかの実施形態では、アップリンクのトラヒックチャネルの第１のタイプの割り当て、例えば、フラッシュ型の割り当てのそれぞれは、アップリンクのトラヒックチャネルの最大で１個の第１の割り当てを含むメッセージの一部分として含まれてもよい。幾つかのこのような実施形態では、このようなメッセージは、アップリンクのトラヒックチャネルのセグメントへの肯定応答をさらに含んでもよい。
【０２４９】
幾つかの実施形態では、アップリンクのトラヒックチャネルの第２のタイプの割り当て、例えば、レギュラー型の割り当てのそれぞれは、最大で１個又は２個のアップリンクのトラヒックチャネルの割り当てを含むメッセージの一部分として含まれてもよい。幾つかのこのような実施形態では、このようなメッセージは、ダウンリンクのトラヒックチャネルの割り当て情報及び／又はアップリンクのトラヒックの肯定応答の情報をさらに含む。
【０２５０】
幾つかの実施形態では、例えば、フラッシュ割り当てのシグナリング技術を使用して、第１のタイプの割り当てを伝達するメッセージは、例えば、非フラッシュ変調及び符号化を使用して、第２のタイプの割り当てを伝達するメッセージより頑強な誤り保護を提供する。幾つかの実施形態では、第１のタイプの割り当てを含むメッセージを伝達するために使用されるエアーリンクのリソースの一部は、第２のタイプの割り当てを含むメッセージによって同時に使用される。
【０２５１】
第３７図は、本発明に従って実装され、本発明の方法を使用する例示的な無線端末３７００の図である。典型的な基地局３７００は、無線端末、例えば、移動ノードがネットワークへアクセスできるようにするので、アクセスノードと呼ばれることもある。幾つかの実施形態では、基地局３７００は、ＯＦＤＭアップリンク及びダウンリンクのシグナリングを介してＷＴと通信する。基地局３７００は、種々のエレメントがデータ及び情報を交換してもいいように用いられるバス３７１２を介して一緒に連結されている受信機３７０２、送信機３７０４、プロセッサ３７０６、Ｉ／Ｏインタフェース３７０８、及び、メモリ３７１０を含む。
【０２５２】
受信機３７０２は受信アンテナ３７０３に連結され、ＢＳは受信アンテナを用いてＷＴから、リソース要求メッセージ及びアップリンクのトラヒックチャネルのセグメント信号を含むアップリンク信号を受信することが可能である。受信機３７０２は、受信されたアップリンク信号を復号化する復号器３７１４を含む。
【０２５３】
送信機３７０４は送信アンテナ３７０５に連結され、送信アンテナを用いてＢＳは、アップリンクの最大のレート選択肢のインディケータの情報を含む割り当て信号を含むダウンリンク信号をＷＴへ送信することが可能である。送信機３７０４は、送信前に信号を符号化する符号化器３７１６を含む。幾つかの実施形態では、同じアンテナが受信機３７０２と送信機３７０４の両方のために使用される。送信機３７０４は、第１の変調モジュール３７１５及び第２の変調モジュール３７１７をさらに含む。第１の変調モジュール３７１５は、第１のタイプの変調、例えば、非コヒーレント変調方式を使用して、第１のタイプの割り当てモジュール３７３８からの第１のタイプの割り当て信号、例えば、フラッシュの割り当ての信号を変調するために使用される。第２の変調モジュール３７１７は、例えば、ＱＰＳＫコンステレーションを使用する、コヒーレント変調方式のような第２のタイプの変調を使用して、第２のタイプの割り当てモジュール３７４０からの第２のタイプの割り当て信号、例えば、レギュラー型の割り当ての信号を変調するために使用される。幾つかの実施形態では、第１のタイプの割り当て信号の非零変調シンボルに対し、１トーン当たりの平均電力は、第２のタイプの割り当て信号の非零変調シンボルの１トーン当たりの平均電力より高い。
【０２５４】
Ｉ／Ｏインタフェース３７０８は、他のネットワークノード、例えば、他の基地局、ルーター、ホームエージェントノード、ＡＡＡサーバーノードなど、及び／又は、インターネットへのインタフェースを提供する。Ｉ／Ｏインタフェース３７０８は、バックホールネットワークを介して、ネットワークへの自分の接続ポイントとしてＢＳ３７００を使用する無線端末に、システム内の他の無線セル内に位置し、異なるＢＳをネットワークへの自分の接続ポイントとして使用する他のピアノードへの接続性を提供する。
【０２５５】
メモリ３７１０はルーチン３７１８及びデータ／情報３７２０を含む。プロセッサ３７０６、例えば、ＣＰＵは、基地局３７００の動作を制御し、本発明の方法を実装するために、メモリ３７１０内のルーチン３７１８を実行し、データ／情報３７２０を使用する。
【０２５６】
ルーチン３７１８は通信ルーチン３７２２及び基地局制御ルーチン３７２４を含む。通信ルーチン３７２２はＢＳ３７００によって使用される種々の通信プロトコルを実装する。基地局制御ルーチン３７２４は、スケジューリングモジュール３７２６、割り当て生成モジュール３７２８、アップリンクのレート選択肢のインディケータの選択モジュール３７３０、送信制御モジュール３７３２、受信機制御モジュール３７３４、及び、Ｉ／Ｏインタフェースモジュール３７３６を含む。
【０２５７】
スケジューリングモジュール３７２６、例えば、スケジューラは、アップリンクのトラヒックチャネルのセグメントを含む無線端末に対してアップリンク及びダウンリンクのセグメントをスケジュールする。割り当て生成モジュール３７２８は、送信されるべき割り当て信号、例えば、アップリンクのトラヒックチャネルのセグメントのＷＴへの割り当て、及び、アップリンクのトラヒックチャネルの割り当てに対応する通信セグメントへ送信するときに使用されるべきアップリンクの実際のデータ伝送レートを決定する際に、セグメントが割り当てられている無線端末によって使用されるべきアップリンクの最大のレート選択肢を指示するアップリンクの最大のレート選択肢のインディケータ値を含むアップリンク割り当てを生成する。割り当て生成モジュール３７２８は、第１のタイプの割り当てモジュール３７３８及び第２のタイプの割り当てモジュール３７４０を含む。第１のタイプの割り当てモジュール３７３８は、第１のタイプの割り当て、例えば、フラッシュ型の割り当てを生成するために使用され、アップリンクのトラヒックチャネルの最大で１個のセグメント割り当てがフラッシュ割り当てメッセージに含まれ、アップリンクの最大のレート選択肢のインディケータを伝達する１ビットフィールドが使用され、非コヒーレント変調方法が使用される。第２のタイプの割り当てモジュール３７４０は、第２のタイプの割り当て、例えば、レギュラー型の割り当てを生成するために使用され、アップリンクのトラヒックチャネルの１または２個の個セグメント割り当てが割り当てメッセージに含まれ、アップリンクの割り当てられた各セグメント毎に、最大のレート選択肢のインディケータを伝達する３ビットフィールドが使用され、コヒーレント変調方法が使用される。
【０２５８】
送信制御モジュール３７３２は、最大のレートのインディケータを含む割り当ての送信を制御することを始めとして、送信機３７０４の動作を制御し、アップリンクのトラヒックチャネルの割り当てられているセグメントに対して一定のタイミング関係を有する所定の周期的な送信スケジュールに従って、例えば、第１のタイプの割り当ては第１のタイプの最大のレートのインディケータを含み、第２のタイプの割り当ては第２のタイプの最大のレートのインディケータを含む。幾つかの実施形態では、アップリンクのトラヒックチャネルは、多数のアップリンクのトラヒックチャネルのインデックス付きのセグメントに分割され、一部は第１のタイプの割り当てと関連付けられ、その他は第２のタイプの割り当てと関連付けられる。
【０２５９】
受信機制御モジュール３７３４は受信機３７０２の動作を制御する。Ｉ／Ｏインタフェース制御モジュール３７３６はＩ／Ｏインタフェース３７０８の動作を制御する。
【０２６０】
データ／情報３７２０は、ＷＴのデータ／情報３７４２、受信されたアップリンクのリソース要求メッセージ３７４４、アップリンクのセグメントの割り当てメッセージ（アップリンクのセグメントの割り当てメッセージ１  ３７４６、．．．、アップリンクのセグメントの割り当てメッセージＸ  ３７４８）、受信されたアップリンクのトラヒックチャネルのセグメント情報（受信されたアップリンクのトラヒックのセグメント１の情報３７５０、．．．、受信されたアップリンクのトラヒックチャネルのセグメントＹの情報３７５２）、及び、システムのデータ／情報３７５４を含む。ＷＴのデータ／情報３７４２は、例えば、現時点でＢＳ３７００に登録されているＷＴに対応するＷＴのデータ／情報の複数の集合（ＷＴ１のデータ／情報３７５５、ＷＴＮのデータ／情報３７５６）を含む。ＷＴ１のデータ／情報３７５５は、例えば、音声、映像、テキスト、ファイルなどに対応するユーザデータのようなユーザデータ３７５７と、例えば、ＢＳが割り当てたＷＴの識別子のようなＷＴの識別情報３７５８と、例えば、ＷＴ１の機器識別情報、ピアノードを識別するセッション情報、及び、ルーティング情報のような機器／セッション／リソース情報３７５９と、ＷＴ１に割り当てられたアップリンク及びダウンリンクのトラヒックチャネルのセグメントとを含む。ＷＴ１のデータ／情報３７５５は、例えば、受信されたリソース要求及びアップリンクのトラヒックチャネルの割り付けられたセグメント割り当てに基づき、ＷＴ１に対応するアップリンクの伝送データ３７６０の推定値と、割り当てられているならば、アップリンクの１個以上の割り当てセグメントの情報（アップリンクの割り当てセグメント１の情報３７６１、．．．、アップリンクの割り当てセグメントＺの情報３７６２）とを含む。アップリンクの割り当てセグメント１の情報３７６１は、セグメントの識別情報３７６３、最大のアップリンクデータレートのインディケータの情報３７６４、アップリンクの受信されたセグメントデータ３７６５、及び、アップリンクの使用されるデータレートの情報３７６６を含む。セグメントの識別情報３７６３は、例えば、アップリンクのタイミング及び周波数の構造内のアップリンクのセグメントを特定するアップリンクのセグメントのインデックス識別子である。最大のアップリンクデータレートのインディケータの情報３７６４は、例えば、アップリンクの最大のレート選択肢、割り当てタイプ、及び、インディケータ値を含む。アップリンクの受信されたセグメントデータ３７６５は、アップリンクのトラヒックチャネルのセグメントに対応する符号化及び／又は復号化されたユーザデータを含む。アップリンクの使用されるデータレートの選択肢３７６６は、アップリンクのトラヒックチャネルのセグメントのためにＷＴが使用した、例えば、ＷＴが使用するために選択したアップリンクデータレートであり、使用されるレートは、情報３７６４によって指示された最大のアップリンクデータレート以下であり、ＷＴが使用するレートはアップリンクのトラヒックチャネルの受信されたセグメント信号からＢＳによって復元される。
【０２６１】
アップリンクの受信されたリソース要求メッセージ３７４４は、アップリンクのトラヒックチャネルのセグメントのためにＷＴから受信されたメッセージであり、例えば、アップリンクのトラヒックチャネルのセグメントを要求するか、又は、通信されるべきアップリンクのデータの量を指示する。幾つかの実施形態では、幾つかのアップリンクの幾つかのセグメント割り当てメッセージ３７６４、３７４８は、異なるフォーマットを有し、例えば、第１のフラッシュ型の割り当てと、第２のレギュラー型の割り当ては、別々のフォーマットを有する。幾つかの実施形態では、第２のタイプの割り当てメッセージの一部は異なるフォーマットを有し、例えば、アップリンクの１個又は２個のセグメント割り当てがメッセージに含まれている。アップリンクのセグメント割り当てメッセージ３７４６は、割り当て１の識別情報３７６７、及び、対応するアップリンクの最大のレート選択肢のインディケータ値３７６８を含み、割り当てられたＷＴがアップリンクのトラヒックチャネルの対応するセグメントのために使用してもよいアップリンクの最大のレート選択肢を指示する。幾つかの実施形態では、割り当てメッセージの少なくとも一部は、アップリンクのトラヒックチャネルの２個以上のセグメントのための割り当てを含む。例えば、アップリンクのセグメント割り当てメッセージ１は、割り当てｎのＩＤ情報３７６９、及び、対応する割り当てｎのアップリンクの最大のレート選択肢のインディケータ値３７７０を含んでもよい。アップリンクのトラヒックチャネルの受信されたセグメント１の情報３７５０は、ユーザデータ３７７２、及び、対応するデータレート情報３７７４を含み、例えば、セグメントのため使用されるデータを特定し、使用されるデータレートがセグメントのユーザデータのために使用される符号化レート及び変調方法を特定する。
【０２６２】
システムのデータ／情報３７５４は、アップリンク／ダウンリンクのタイミング及び周波数の構造の情報３７０１、最大のアップリンクデータレート選択肢のインディケータの情報３７７９、及び、アップリンクデータレートの選択肢の情報３７８０を含む。アップリンク／ダウンリンクのタイミング及び周波数の構造の情報３７０１は、アップリンクのトラヒックチャネルのセグメントの情報３７７５、及び、送信スケジューリング情報３７７６を含む。アップリンクのトラヒックのセグメントの情報３７７５は、トーン情報３７７７及びタイミング情報３７７８を含む。各通信セグメント、例えば、アップリンクのＯＦＤＭアップリンクのトラヒックチャネルの各通信セグメントは、複数のＯＦＤＭシンボルの伝送期間のために使用される複数のトーンを含む。幾つかの実施形態では、アップリンクのタイミング及び周波数の構造内のアップリンクのトラヒックチャネルの各セグメントは、アップリンクのトーンホッピングの所定のシーケンスに従って周波数ホップされた所定の論理トーンを使用する。アップリンクのタイミング及び周波数の構造内のアップリンクのトラヒックチャネルの各セグメントは、所定の間隔を有する。幾つかの実施形態では、幾つかのアップリンクのトラヒックチャネルの少なくとも幾つかのセグメントは、異なる所定の間隔を有する。幾つかの実施形態では、アップリンクのタイミング及び周波数の構造内のアップリンクのトラヒックチャネルの各セグメントは、同数の基本伝送単位、例えば、トーンシンボルを有する。例えば、アップリンクのトラヒックチャネルのあるタイプのセグメントは第１の個数のＯＦＤＭ伝送期間（Ｎ２）に第１の個数のトーン（Ｎ１）が割り付けられてもよく、アップリンクのトラヒックチャネルの第２のタイプのセグメントは、第２の個数のＯＦＤＭ伝送期間（Ｎ４）に第２の個数のトーン（Ｎ３）が割り付けられてもよく、ここで、Ｎ１、Ｎ２、Ｎ３、Ｎ４は正整数であり、Ｎ１＞Ｎ３、Ｎ４＞Ｎ２、かつ、Ｎ１×Ｎ２＝Ｎ３×Ｎ４である。送信スケジューリング情報３７７６は、アップリンクのトラヒックチャネルの各セグメントと割り当てとの間に一定のタイミング関係がある所定の周期的な送信スケジュールを特定する情報を含む。
【０２６３】
最大のアップリンクデータレートの選択肢のインディケータの情報３７９９は、第１のタイプの最大のアップリンクデータレート選択肢のインディケータの情報３７８１、及び、第２のタイプの最大のアップリンクデータレート選択肢のインディケータの情報３７８２を含む。第１のタイプの情報３７８１は第１のタイプの割り当てモジュール３７３８に対応し、第１の変調モジュール３７１５は、複数のレート選択肢の情報（レート１の情報３７８３、．．．、レートＭの情報３７８４）、ビット数３７８５、変調モードの情報３７８６、及び、最大のアップリンクデータレート選択肢のインディケータについての表３７８７を含む。例えば、ＷＴは、アップリンクの８個のレート選択肢をサポートしてもよく、第１のタイプの最大のレート選択肢のインディケータのフィールドのビット数３７８５は、２つのレートの識別を可能にする１であってもよく、例えば、インディケータのビット値が０であるレート１の情報は、レート選択肢３、すなわち、中間のレート選択肢のレベルに対応してもよく、インディケータのビット値が１であるレートＭの情報は、レート選択肢７、すなわち、最高のレート選択肢に対応してもよく、変調方法の情報は割り当てセグメントのトーンシンボルにマップされた零ＱＰＳＫ変調シンボルと非零ＱＰＳＫ変調シンボルの組み合わせを使用する非コヒーレント変調方法を特定してもよい。少なくとも幾つかの情報３７８３、３７８４、３７８５、３７８６を含むレート選択肢のインディケータについての第１の表３７８７は、幾つかの実施形態に組み入れられ、第１のタイプのインディケータの割り当てを生成する際に第１のタイプの割り当てモジュール３７３８によって使用される。
【０２６４】
第２のタイプの情報３７８２は第２のタイプの割り当てモジュール３７４０に対応し、第２の変調モジュール３７１７は、複数のレート選択肢の情報（レート１の情報３７８８、．．．、レートｍの情報３７８９）、ビット数３７９０、変調モードの情報３７９１、及び、最大のアップリンクデータレート選択肢のインディケータについての表３７９２を含む。例えば、ＷＴは、アップリンクの８個のレート選択肢をサポートしてもよく、第２のタイプの最大のレート選択肢のインディケータのフィールドのビット数は、アップリンクのサポートされている各レートの識別を可能にする３であってもよく、例えば、インディケータのビット値が（０００）であるレート１の情報は、レート選択肢０、すなわち、最低のレート選択肢のレベルに対応してもよく、インディケータのビット値が（００１）であるレート２の情報は、レート選択肢１に対応してもよく、インディケータのビット値が（１１１）であるレートｍ情報は、レート選択肢７、すなわち、最高のレート選択肢に対応してもよく、変調方法の情報は、例えば、ＱＰＳＫ変調のコンステレーションを使用する従来のコヒーレント変調方法を特定してもよい。少なくとも幾つかの情報３７８８、３７８９、３７９０、３７９１を含むレート選択肢のインディケータについての第２の表３７９２は、幾つかの実施形態に組み入れられ、第２のタイプのインディケータの割り当てを生成する際に第２のタイプの割り当てモジュール３７４０によって使用される。幾つかの実施形態では、レート選択肢のインディケータについての第２の表３７９２はサポートされている各レート選択肢を含む。
【０２６５】
アップリンクデータレートの選択肢の情報３７８９は、アップリンクのトラヒックチャネルのセグメント通信に関してＷＴによってサポートされているアップリンクデータレートの各選択肢に対応する情報（レート１の情報３７９３、．．．、レートＮの選択肢の情報３７９４）を含む。データレート選択肢の情報（３７９３，３７９４）の各集合は、使用される符号化レート及び変調方法に対応する。幾つかの実施形態では、少なくとも２個のデータレート選択肢は異なる符号化レートを使用する。幾つかの実施形態では、少なくとも２個のデータレート選択肢は、異なる変調方法、例えば、ＱＰＳＫとＱＡＭ１６を使用する。
【０２６６】
本願は通信システムを実施するため使用されることの可能な多数の方法及び装置を対象にする。種々の実施形態では、例示的な実施形態に関して記載されている１つ以上の特徴は、別の例示的な実施形態に関して記載されている１つ以上の特徴と組み合わされてもよい。
【０２６７】
ＯＦＤＭシステムの文脈で記載されているが、本発明の多数の方法及び装置は、多数の非ＯＦＤＭ及び／又は非セルラーシステムを含む広範囲の通信システムに適用可能である。
【０２６８】
種々の実施形態において、本書で記載されているノードは、例えば、最大のアップリンクデータ伝送レートを選択し、最大のアップリンクデータレートのインディケータを送信し、干渉レベルを推定し、アップリンクの使用するデータレートを選択し、ユーザデータ／情報と共にアップリンクデータレートの情報を符号化し、アップリンクデータレートの情報を復元するといった本発明の１つ以上の方法に対応するステップを実行するために１つ以上のモジュールを使用して実施される。幾つかの実施形態において、本発明の種々の特徴はモジュールを用いて実施される。このようなモジュールは、ソフトウェア、ハードウェア、又は、ソフトウェアとハードウェアの組み合わせを使用して実施される。上記の方法及び方法ステップの殆どは、例えば、１つ以上のノードにおいて、上記の方法の全部又は幾つかを実施するため、例えば、追加的なハードウェアの有無を問わない汎用コンピュータのような機械を制御するために、例えば、ＲＡＭ、フロッピー（登録商標）ディスクなどのメモリ機器のような機械読み取り可能な媒体に収容された、ソフトウェアのような機械実行可能な命令を使用して実装されうる。したがって、特に、本発明は、例えば、プロセッサ及び付随するハードウェアのような機械に、上記の１つ又は複数の方法の１つ以上のステップを実行させるために、機械実行可能な命令を含む機械読み取り可能な媒体を対象にする。
【０２６９】
上記の本発明の方法及び装置に関する多数の追加的な変形は、発明の上記の説明に鑑みて当業者に明白である。このような変形は発明の範囲内であると考えられる。本発明の方法及び装置は、種々の実施形態においても、ＣＤＭＡ、直交周波数分割多重（ＯＦＤＭ）、及び／又は、アクセスノードと移動ノードとの間に無線通信リンクを提供するために使用されるであろう様々な他のタイプの通信技術と共に使用されてもよい。幾つかの実施形態では、アクセスノードは、ＯＦＤＭ及び／又はＣＤＭＡを使用して移動ノードと通信リンクを確立する基地局として実施される。種々の実施形態では、移動ノードは、本発明の方法を実施するノートブックコンピュータ、個人情報端末（ＰＤＡ）、又は、受信機／送信機回路及びロジック及び／又はルーチンを含むその他の携帯機器として実施される。
【図１】
2011259461.tif 000003
【図２】
2011259461.tif 000004
【図３】
2011259461.tif 000005
【図４】
2011259461.tif 000006
【図５】
2011259461.tif 000007
【図６】
2011259461.tif 000008
【図７】
2011259461.tif 000009
【図８】
2011259461.tif 000010
【図９】
2011259461.tif 000011
【図１０】
2011259461.tif 000012
【図１１】
2011259461.tif 000013
【図１２】
2011259461.tif 000014
【図１３】
2011259461.tif 000015
【図１４】
2011259461.tif 000016
【図１５】
2011259461.tif 000017
【図１６】
2011259461.tif 000018
【図１７】
2011259461.tif 000019
【図１８】
2011259461.tif 000020
【図１９】
2011259461.tif 000021
【図２０】
2011259461.tif 000022
【図２１】
2011259461.tif 000023
【図２２】
2011259461.tif 000024
【図２３】
2011259461.tif 000025
【図２４】
2011259461.tif 000026
【図２５】
2011259461.tif 000027
【図２６】
2011259461.tif 000028
【図２７】
2011259461.tif 000029
【図２８】
2011259461.tif 000030
【図２９】
2011259461.tif 000031
【図３０】
2011259461.tif 000032
【図３１】
2011259461.tif 000033
【図３２】
2011259461.tif 000034
【図３３】
2011259461.tif 000035
【図３４Ａ】
2011259461.tif 000036
【図３４Ｂ】
2011259461.tif 000037
【図３５】
2011259461.tif 000038
【図３６】
2011259461.tif 000039
【図３７】
2011259461.tif 000040
【図３８】
2011259461.tif 000041
【手続補正書】
【提出日】平成23年8月15日(2011.8.15)
【手続補正１】
【補正対象書類名】特許請求の範囲
【補正対象項目名】全文
【補正方法】変更
【補正の内容】
【特許請求の範囲】
【請求項１】
無線通信チャネルを介して基地局と相互作用する少なくとも１台の無線端末を含む無線通信システムにおいて前記基地局を作動させる方法、該方法は下記を備える：
少なくとも幾つかの情報を前記基地局へ送信するときに、前記無線端末によって使用される最大のアップリンクデータ伝送レートを選択すること、ここにおいて、前記最大のアップリンクデータ伝送レートは複数の可能な伝送データレートのうちの１つである；
最大のアップリンクデータレートのインディケータを前記無線端末へ送信すること、ここにおいて、該最大のアップリンクデータレートのインディケータは、前記選択された最大のアップリンクデータ伝送レートを指示し、ここにおいて、前記選択された最大のアップリンクデータ伝送レートは、前記少なくとも幾つかの情報を送信するときに、前記無線端末が使用することを許可された、最大のアップリンクデータ伝送レートである；および、
前記無線通信チャネルを介して通信され、前記送信された最大のアップリンクデータレートのインディケータによって前記無線端末へ指示された前記選択された最大のアップリンクデータ伝送レートより大きくない、前記無線端末によって選択されたアップリンクデータ伝送レートで送信されたデータを、前記無線端末から、受信すること。
【手続補正２】
【補正対象書類名】明細書
【補正対象項目名】０２６９
【補正方法】変更
【補正の内容】
【０２６９】
上記の本発明の方法及び装置に関する多数の追加的な変形は、発明の上記の説明に鑑みて当業者に明白である。このような変形は発明の範囲内であると考えられる。本発明の方法及び装置は、種々の実施形態においても、ＣＤＭＡ、直交周波数分割多重（ＯＦＤＭ）、及び／又は、アクセスノードと移動ノードとの間に無線通信リンクを提供するために使用されるであろう様々な他のタイプの通信技術と共に使用されてもよい。幾つかの実施形態では、アクセスノードは、ＯＦＤＭ及び／又はＣＤＭＡを使用して移動ノードと通信リンクを確立する基地局として実施される。種々の実施形態では、移動ノードは、本発明の方法を実施するノートブックコンピュータ、個人情報端末（ＰＤＡ）、又は、受信機／送信機回路及びロジック及び／又はルーチンを含むその他の携帯機器として実施される。なお、本願の出願当初の請求項と同一の記載を以下に付記する。
[１] 無線通信チャネルを介して基地局と相互作用する少なくとも１台の無線端末を含む無線通信システムにおいて前記基地局を作動させる方法、該方法は下記を備える：
少なくとも幾つかの情報を前記基地局へ送信するときに、前記無線端末によって使用される最大のアップリンクデータ伝送レートを選択すること、ここにおいて、前記最大のアップリンクデータ伝送レートは複数の可能な伝送データレートのうちの１つである；
最大のアップリンクデータレートのインディケータを前記無線端末へ送信すること、ここにおいて、該最大のアップリンクデータレートのインディケータは、前記選択された最大のアップリンクデータ伝送レートを指示し、ここにおいて、前記選択された最大のアップリンクデータ伝送レートは、前記少なくとも幾つかの情報を送信するときに、前記無線端末が使用することを許可された、最大のアップリンクデータ伝送レートである；および、
前記無線通信チャネルを介して通信され、前記送信された最大のアップリンクデータレートのインディケータによって前記無線端末へ指示された前記選択された最大のアップリンクデータ伝送レートより大きくない、前記無線端末によって選択されたアップリンクデータ伝送レートで送信されたデータを、前記無線端末から、受信すること。
[２]  更に下記を備える[１]記載の方法：
データを前記基地局へ通信する際に使用されるアップリンクのトラヒックのセグメントの少なくとも幾つかを、前記無線端末に割り当てること、ここにおいて、前記アップリンクのトラフィックチャネルのセグメントは、アップリンク信号を前記基地局へ通信するために専ら使用される無線通信チャネルのセグメントである；および、
アップリンクのトラヒックのセグメント割り当ての情報を、前記無線通信チャネルを介して、前記無線端末へ送信すること。
[３]  ある期間に亘って下記の前記ステップを繰り返すことを更に備える[２]記載の方法：
前記選択すること；
前記最大のアップリンクデータレートのインディケータを送信すること；
前記少なくとも幾つかのアップリンクのトラヒックのセグメントを割り当てること；
前記アップリンクのトラヒックのセグメントの割り当て情報を送信すること。
[４]  [３]記載の方法、ここにおいて、
前記少なくとも幾つかのアップリンクのトラヒックのセグメントを割り当てるステップが前記期間に実行される度に、前記最大のアップリンクデータ伝送レートを選択するステップが１回ずつ実行される。
[５]  [１]記載の方法、ここにおいて、
前記最大のアップリンクデータ伝送レートを選択するステップは、
前記無線通信チャネルの品質に基づいて選択を行うことを含む。
[６]  更に下記を備える[５]記載の方法：
前記最大のアップリンクデータ伝送レートとして選択するために考慮されている少なくとも１つのデータ伝送レートを使用して、アップリンク信号を、前記無線端末が送信するならば、他の無線端末に引き起こされるであろう干渉を推定すること、ここにおいて、
前記最大のアップリンクデータ伝送レートを選択するステップは、前記選択された最大のアップリンクデータレートが使用されるときに、前記無線端末からのアップリンク伝送によって引き起こされるであろう前記他の無線端末への干渉の量にさらに基づいている、５に記載の方法。
[７]  [６]記載の方法、ここにおいて、
前記基地局は、
前記アップリンク信号を送信するために使用される少なくとも１個のアップリンクの通信セグメントを割り当て、
前記セグメントの割り当て情報を前記無線端末へ通信し、
ある時点に前記無線端末へ割り当てられるセグメントの個数が前記無線端末によって送信されるデータの量の推定値に基づくように、
作動される。
[８]  [１]記載の方法、ここにおいて、
前記選択された最大のアップリンクデータ伝送レートは、指示されうる複数の可能な最大のアップリンクデータ伝送レートのうちの１つであり、指示されうる個数は、アップリンク信号の送信のために前記無線端末によって選択され使用されうるアップリンクデータレートの個数より少ない。
[９]  [１]記載の方法、ここにおいて、
前記最大のアップリンクデータレートのインディケータは、前記無線端末によって使用されうるアップリンクデータ伝送レートの完全な集合を一意に特定するために必要とされるビット数未満である最大のビット数を最大で含む。
[１０]  更に下記を備える[１]記載の方法：
前記無線端末から電力情報を受信すること、ここにおいて、
前記最大のアップリンクデータ伝送レートを選択するステップは、前記受信された電力情報によって指示されるような、前記無線端末で利用可能な電力の関数として実行される、１に記載の方法。
[１１]  更に下記を備える[２]記載の方法：
データを前記基地局へ通信するために前記無線端末によって使用されるアップリンクデータ伝送レートを指示するアップリンクデータレートの情報を前記無線端末から受信すること。
[１２]  [１１]記載の方法、ここにおいて、
利用されたアップリンクデータレートの情報は、が前記利用されたアップリンクデータレートの情報によって指示された前記データレートで送信されたデータと共に受信される。
[１３]  [１２]記載の方法、ここにおいて、
前記利用されたアップリンクデータレートの情報は、前記データを通信するために使用される１個以上の信号の所定の部分集合で前記データを通信するために使用されるエネルギーを超える追加のエネルギーのロケーションによって指示され、
ここにおいて、前記部分集合は、前記データを通信するため使用される前記アップリンクデータレートに対応し、前記１個以上の信号は、直交周波数分割多重信号のトーンである。
[１４]  前記追加のエネルギーは、選択された前記データレートに応じて決まる、[１３]に記載の方法。
[１５]  前記追加のエネルギーは、最低のデータレートに応じて決まる、[１３]に記載の方法。
[１６]  前記追加のエネルギーは、前記データを送信するため使用されるエネルギーを少なくとも２ｄＢ上回る、[１５]に記載の方法。
[１７]  無線通信チャネルを介して基地局と相互作用する少なくとも１台の無線端末を含む無線通信システムにおける前記基地局、前記基地局は下記を備える：
少なくとも幾つかの情報を前記基地局へ送信するときに、前記無線端末によって使用される最大のアップリンクデータ伝送レートを選択する手段、ここにおいて、前記最大のアップリンクデータ伝送レートは、複数の可能な伝送データレートのうちの１つである；
最大のアップリンクデータレートのインディケータを前記無線端末へ送信する手段、ここにおいて、該最大のアップリンクデータレートのインディケータは、前記選択された最大のアップリンクデータ伝送レートを指示し、ここにおいて、前記選択された最大のアップリンクデータ伝送レートは、前記少なくとも幾つかの情報を送信するときに、前記無線端末が使用することを許可された最大のアップリンクデータ伝送レートである；および、
前記無線通信チャネルを介して通信され、前記送信された最大のアップリンクデータレートのインディケータによって前記無線端末へ指示された前記選択された最大のアップリンクデータ伝送レートより大きくない、前記無線端末によって選択されたアップリンクデータ伝送レートで送信されたデータを、前記無線端末から受信する手段。
[１８]  更に下記を備える[１７]記載の基地局：
データを前記基地局へ通信する際に使用されるアップリンクのトラヒックのセグメントの少なくとも幾つか幾つかを、前記無線端末に割り当てる手段、ここにおいて、アップリンクのトラヒックチャネルの前記セグメントは、アップリンク信号を前記基地局へ通信するために専ら使用される無線通信チャネルのセグメントである；
アップリンクのトラヒックのセグメント割り当て情報を、前記無線通信チャネルを介して、前記無線端末へ送信する手段。
[１９]  更に下記を備える[１８]記載の基地局、
下記の前記ステップをある期間に亘って繰り返すように前記基地局を制御する手段：
前記選択すること；
前記最大のアップリンクデータレートのインディケータを送信すること；
前記少なくとも幾つかのアップリンクのトラヒックのセグメントを割り当てること；および、
前記アップリンクのトラヒックのセグメント割り当て情報を送信すること。
[２０]  [１９]記載の基地局、ここにおいて、前記制御する手段は下記を含む、
前記無線端末によって専用で使用される少なくとも幾つかのアップリンクのトラヒックのセグメントを前記基地局が割り当てる度に、前記基地局に最大のアップリンクデータ伝送レートを１回選択させる手段。
[２１]  前記最大のアップリンクデータ伝送レートを選択する手段は、前記無線通信チャネルの品質に基づいて選択を行う手段を含む、[１７]に記載の基地局。
[２２]  更に下記を備える[２１]記載の基地局：
前記最大のアップリンクデータ伝送レートとして選択するため考慮されている少なくとも１つのデータ伝送レートを使用して、アップリンク信号を、前記無線端末が送信するならば、他の無線端末に引き起こされるであろう干渉を推定する手段、ここにおいて、
前記最大のアップリンクデータ伝送レートを選択する手段は、前記選択された最大のアップリンクデータレートが使用されるときに前記無線端末からのアップリンク伝送によって引き起こされるであろう前記他の無線端末への干渉の量を前記選択の基礎に置く。
[２３]  無線通信チャネルを介して無線端末と相互作用する少なくとも１台の基地局を含む無線通信システムにおいて前記無線端末を作動させる方法、該方法は下記を備える：
前記無線端末が使用することを許可された最大のアップリンクデータ伝送レートを指示する最大のアップリンクデータレートのインディケータを前記基地局から受信すること；
前記最大のアップリンクデータ伝送レート以下である複数の可能なアップリンク伝送データレートから、使用するアップリンク伝送データレートを選択すること；および、
前記選択されたアップリンクデータ伝送レートを使用して前記無線通信リンクを介して前記基地局へデータを送信すること。
[２４]  更に下記を備える[２３]記載の方法：
前記基地局によって前記無線端末に割り当てられ、アップリンク信号を通信する際に使用される少なくとも１個のアップリンクのセグメントを指定する割り当て情報を受信すること、ここにおいて、
前記最大のアップリンクデータレートのインディケータは、前記無線端末に割り当てられた前記少なくとも１個のアップリンクのセグメントで使用されうる前記最大のアップリンクデータ伝送レートを指示する。
[２５]  [２４]記載の方法、ここにおいて、
前記最大のアップリンクデータレートのインディケータは、アップリンク信号を送信するために前記無線端末によって選択されうる前記複数の可能なアップリンクデータ伝送レートを一意に識別するために必要とされるビット数未満であるビット数を最大で含む。
[２６]  [２３]記載の方法、ここにおいて、
アップリンクデータ伝送レートを選択することは、使用するアップリンクデータ伝送レートを選択する際に、係数として利用可能な電力に関する情報を使用することを含む。
[２７]  前記アップリンクデータ伝送レートを選択することは、前記基地局へ送信されるデータの量に応じてさらに実行される、[２３]に記載の方法。
[２８]  前記アップリンクデータ伝送レートを選択することは、前記無線通信チャネルの変化に関係して前記無線端末に記憶された情報に応じてさらに実行される、[２７]に記載の方法。
[２９]  前記アップリンクデータ伝送レートを選択することは、送信されるデータの重要度に応じてさらに実行される、[２８]に記載の方法。
[３０]  更に下記を備える[２４]記載の方法：
前記無線端末によって使用されるアップリンクデータ伝送レートを指示するアップリンクデータレートの情報を前記基地局へ通信すること。
[３１]  [３０]記載の方法、ここにおいて、
前記アップリンクデータレートの情報を通信することは、前記指示されたデータレートで送信された前記データと共に前記アップリンクデータレートの情報を送信することを含む。
[３２]  [３１]記載の方法、ここにおいて、
前記データを通信するために使用された信号の所定の部分集合で前記データを通信するのに使用されたエネルギーを超える追加のエネルギーを配置することにより、前記アップリンクデータレートの情報は指示され、ここにおいて、前記部分集合は前記データを通信するため使用された前記アップリンクデータレートに対応している。
[３３]  前記追加のエネルギーは前記選択されたデータレートに応じて決まる、[３２]に記載の方法。
[３４]  前記追加のエネルギーは最低のデータレートに応じて決まる、[３２]に記載の方法。
[３５]  前記追加のエネルギーは前記データを送信するため使用された前記エネルギーを少なくとも２ｄＢ上回る、[３４]に記載の方法。
[３６]  前記アップリンクデータ伝送レートを選択することは前記無線端末によって検出された前記無線通信チャネルの品質に応じてさらに実行される、[２７]に記載の方法。
[３７]  無線通信チャネルを介して無線端末と相互作用する少なくとも１台の基地局を含む無線通信システムにおいて使用される前記無線端末、該無線端末は下記を備える：
前記無線端末が使用することを許可された最大のアップリンクデータ伝送レートを指示する最大のアップリンクデータレートのインディケータを前記基地局から受信する手段；
前記最大のアップリンクデータ伝送レート以下である複数の可能なアップリンク伝送データレートから、使用するアップリンク伝送データレートを選択する手段；および、
前記選択されたアップリンクデータ伝送レートを使用して前記無線通信リンクを介して前記基地局へデータを送信する手段。
[３８]  [３７]記載の無線端末、ここにおいて、前記受信する手段は下記を含む：
アップリンク信号を通信する際に使用するために、前記基地局によって前記無線端末に割り当てられた少なくとも１個のアップリンクのセグメントを指示する割り当て情報を検出する手段、ここにおいて、
前記最大のアップリンクデータレートのインディケータは前記無線端末に割り当てられた前記少なくとも１個のアップリンクのセグメントで使用されうる前記最大のアップリンクデータ伝送レートを指示する、３７に記載の無線端末。
[３９]  [３８]記載の無線端末、ここにおいて、
前記最大のアップリンクデータレートのインディケータは、アップリンク信号を送信するために前記無線端末によって選択されうる前記複数の可能なアップリンクデータ伝送レートを一意に識別するために必要とされるビット数未満であるビット数を最大で含む。
[４０]  [３７]記載の無線端末、ここにおいて、
前記アップリンクデータ伝送レートを選択する手段は下記を含む：
使用するアップリンクデータ伝送レートを選択する際に、係数として利用可能な電力に関する情報を使用する手段。
[４１]  [３７]記載の無線端末、ここにおいて、
前記アップリンクデータ伝送レートを選択する手段は、前記基地局へ送信されるデータの量に応じて前記アップリンクデータ伝送レートを選択する。
[４２]  [３７]記載の無線端末、ここにおいて、
前記アップリンクデータ伝送レートを選択する手段は、前記基地局へ送信されるデータの重要度に応じて前記アップリンクデータ伝送レートを選択する。
【外国語明細書】
2011259461000001.pdf